(57)【要約】【課題】  遊技機の予約を集客向上や混乱防止に利用でき、かつ遊技者が整理券取得のために店舗に出向くことの面倒を解消すること。【解決手段】  遊技場用端末１５０から予約可能対象情報と優先入場情報を受付けて記憶し、オープンコンピュータネットワークを介して接続された遊技者端末１６に、前記予約可能対象情報と優先入場情報に基づく予約対象情報と優先入店対象情報を配信し、該遊技者端末１６から予約対象となる遊技機の遊技機識別情報と該遊技者の遊技者識別情報とを含む予約要求や、該遊技者の遊技者識別情報とを含む整理券データ配信要求を受付け、予約を許容するか並びに整理券データを配信するかを判定し、許容した予約の予約情報を記憶するともに配信するとの判定により整理券データを配信する。【選択図】  図１
2006075528.tif 000002
【特許請求の範囲】
【請求項１】
利用契約した遊技場の関係者が操作可能であって通信回線網を介して接続された遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付手段と、
前記予約可能対象情報受付手段にて受付けた予約可能対象情報を記憶するための予約可能対象情報記憶手段と、
前記予約可能対象情報記憶手段に記憶されている予約可能対象情報に基づいて、オープンコンピュータネットワークを介して接続された遊技者が操作可能な遊技者端末からのアクセス時点において予約可能な遊技機を特定し、該特定した予約可能な遊技機を特定可能な情報を含む予約対象情報をアクセスしてきた遊技者端末に配信する予約対象情報配信手段と、
前記遊技者端末から遊技者が予約を所望する遊技機の遊技機識別情報と、当該遊技者を個々に識別可能な遊技者識別情報と、を予約要求として受付ける予約要求受付け手段と、
前記予約要求受付け手段にて予約要求として受付けた遊技機識別情報から識別される遊技機の予約を許容するか否かを判定する判定手段と、
前記判定手段において予約を許容すると判定されたことを条件に、前記予約要求受付け手段にて予約要求として受付けた遊技機識別情報と遊技者識別情報とを対応付けて予約情報として記憶するための予約情報記憶手段と、
前記遊技場用端末から、該遊技場において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
前記優先入店情報記憶手段の記憶情報に基づいて、優先入店を実施する日付を含む優先入店対象情報を、前記遊技者端末に配信する優先入店対象情報配信手段と、
前記遊技者端末から、当該遊技者を個々に識別可能な遊技者識別情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる遊技者識別情報から特定される遊技者に整理券データを配信するか否かを判定する配信可否判定手段と、
前記配信可否判定手段において配信すると判定されたことを条件として、優先入店番号を含む整理券データを前記整理券データ配信要求の送信元の遊技者端末に対して配信する整理券データ配信手段と、
を備えることを特徴とする遊技用サービス提供装置。
【請求項２】
前記優先入店情報受付け手段は、前記優先入店情報として、前記日付における優先入店番号のうち前記整理券データに使用する優先入店番号を含む優先入店情報を受付け、
前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴とする請求項１に記載の遊技用サービス提供装置。
【請求項３】
前記遊技者端末から遊技者の属性情報を含む遊技者登録要求を受付ける遊技者登録要求受付け手段と、
前記遊技者登録要求受付け手段にて受付けた遊技者登録要求に含まれる属性情報を、前記遊技者識別情報に対応付けて記憶するための遊技者情報記憶手段と、
を備え、
前記判定手段は、受付けた予約要求に含まれる遊技者識別情報が前記遊技者情報記憶手段に記憶されている遊技者識別情報に一致することを条件として予約を許容する判定を行い、
前記配信可否判定手段は、受付けた整理券データ配信要求に含まれる遊技者識別情報が前記遊技者情報記憶手段に記憶されている遊技者識別情報に一致することを条件として配信すると判定することを特徴とする請求項１または２に記載の遊技用サービス提供装置。
【請求項４】
前記遊技者端末から、複数の前記利用契約した遊技場の内から遊技者が所望する特別遊技場の指定を受付ける特別遊技場受付け手段と、
前記特別遊技場受付け手段にて指定を受付けた遊技場を特定可能な遊技場特定情報を当該遊技者の遊技者識別情報に対応付けて記憶するための特別遊技場記憶手段と、
を備え、
前記予約要求受付け手段は、遊技者が予約を希望する遊技機が設置されている遊技場を含む予約要求を受付け、
前記整理券データ配信要求受付け手段は、遊技者が優先入店を希望する遊技場を含む整理券データ配信要求を受付け、
前記判定手段は、受付けた予約要求に含まれる遊技場が、前記遊技者情報記憶手段に当該遊技者の遊技者識別情報に対応付けて記憶されている遊技場特定情報から特定される遊技場に一致することを条件として予約を許容する判定を行い、
前記配信可否判定手段は、受付けた整理券データ配信要求に含まれる遊技場が、前記特別遊技場記憶手段に当該遊技者の遊技者識別情報に対応付けて記憶されている遊技場特定情報から特定される遊技場に一致することを条件として配信すると判定することを特徴とする３に記載の遊技用サービス提供装置。
【請求項５】
前記予約要求受付け手段は、遊技者が予約を希望する日付を予約要求として受付け、
前記優先入店対象情報配信手段は、複数の日付を含む優先入店対象情報を配信し、
前記整理券データ配信要求受付け手段は、前記配信された優先入店対象情報に含まれる複数の日付のうち、遊技者が優先入店を希望する日付を含む整理券データ配信要求を受付け、
前記整理券データ配信手段は、前記整理券データ配信要求に含まれる日付における優先入店番号を含む整理券データを配信し、
前記予約情報記憶手段に記憶された予約情報に含まれる遊技者識別情報に対応付けて当該予約情報の対象となる日付を記憶する予約状況記憶手段と、
前記整理券データ配信手段にて各遊技者に配信された整理券データの対象となる日付を当該遊技者の遊技者識別情報に対応付けて記憶するための優先入店状況記憶手段と、
を備え、
前記判定手段は、予約要求として受付けた予約の対象日が該予約要求に含まれる遊技者識別情報に対応付けて前記予約状況記憶手段に記憶されていないことを条件として予約を許容すると判定し、
前記配信可否判定手段は、前記整理券データ配信要求に含まれる日付が該整理券データ配信要求に含まれる遊技者識別情報に対応付けて前記優先入店状況記憶手段に記憶されていないことを条件として配信すると判定することを特徴とする請求項３または４に記載の遊技用サービス提供装置。
【請求項６】
前記予約情報記憶手段に記憶された予約情報の予約の対象日における当該予約を要求した遊技者の来店を確認するための来店確認情報並びに前記整理券データ配信手段にて配信された整理券データの対象日における当該整理券データの配信を受けた遊技者の来店の有無を確認するための来店確認情報を受付ける来店確認情報受付け手段と、
各遊技者の遊技者識別情報に対応付けて、所定期間における前記予約情報記憶手段に予約情報として記憶した当該遊技者の予約の回数を特定可能な情報を記憶するための予約回数記憶手段と、
各遊技者の遊技者識別情報に対応付けて、前記予約回数記憶手段において記憶対象とされた所定期間における前記来店確認情報に基づく当該遊技者の各予約の対象日における来店回数を特定可能な情報を記憶するための予約時来店回数記憶手段と、
各遊技者の遊技者識別情報に対応付けて、所定期間における前記整理券データ配信手段による当該遊技者への整理券データの配信回数を特定可能な情報を記憶するための整理券データ配信回数記憶手段と、
各遊技者の遊技者識別情報に対応付けて、前記整理券データ配信回数記憶手段において記憶対象とされた所定期間における前記来店確認情報に基づく各整理券データの対象日における当該整理券データの配信を受けた遊技者の来店回数を特定可能な情報を記憶するための優先入店時来店回数記憶手段と、
前記予約回数記憶手段、予約時来店回数記憶手段、整理券データ配信回数記憶手段並びに優先入店時来店回数記憶手段に記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率並びに整理券データの配信を受けた際の各遊技者の来店率、または前記所定期間における各遊技者が遊技機を予約或いは整理券データの配信を受けた際の各遊技者の来店率の少なくとも一方を算出する来店率算出手段と、
前記来店率算出手段にて算出された各遊技者の来店率に基づいて各遊技者の前記判定手段または前記配信可否判定手段による判定条件を変更する判定条件変更手段と、
を備えることを特徴とする請求項３〜５のいずれかに記載の遊技用サービス提供装置。
【請求項７】
前記優先入店対象情報配信手段は、複数の日付を含む優先入店対象情報を配信し、
前記整理券データ配信要求受付け手段は、前記配信された優先入店対象情報に含まれる複数の日付のうち、遊技者が優先入店を希望する日付を含む整理券データ配信要求を受付け、
所定期間において受付けた同一の日付を含む整理券データ配信要求に含まれる遊技者識別情報から特定される遊技者を対象とした抽選を実施する整理券抽選手段を備え、
前記配信可否判定手段は、前記整理券抽選手段における抽選において当選したことを条件として配信すると判定し、
前記整理券データ配信手段は、前記整理券データ配信要求に含まれる日付における優先入店番号を含む整理券データを配信することを特徴とする請求項１〜６のいずれかに記載の遊技用サービス提供装置。
【請求項８】
所定期間において受付けた同一の遊技機に対する予約要求に含まれる遊技者識別情報から特定される遊技者を対象とした抽選を実施する予約抽選手段を備え、
前記判定手段は、前記予約抽選手段における抽選において当選したことを条件として遊技機の予約を許容することを特徴とする請求項１〜７のいずれかに記載の遊技用サービス提供装置。
【請求項９】
少なくとも前記予約可能対象情報受付手段にて受付けた情報から特定される予約を可能とする遊技機の前記遊技機識別情報と当該遊技機での遊技に関連して発生する遊技関連情報を入力するための遊技関連情報入力手段と、
前記遊技関連情報入力手段より入力された前記遊技機識別情報と遊技関連情報とを対応付けて記憶するための遊技関連情報記憶手段と、
前記遊技関連情報記憶手段に記憶されている少なくとも予約を可能とする遊技機の遊技関連情報を前記遊技者端末に配信する遊技関連情報配信手段と、
を備えることを特徴とする請求項１〜８のいずれかに記載の遊技用サービス提供装置。
【請求項１０】
前記遊技関連情報入力手段には、予約を可能とする遊技機以外の予約を不能とする遊技機の前記遊技機識別情報と遊技関連情報とが入力され、
各遊技機識別情報に対応する遊技機が予約を可能とする遊技機か否かを識別可能な予約可否情報を当該遊技機識別情報に対応付けて記憶する予約可否情報記憶手段と、
前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能に配信する予約可否情報配信手段と、
を備えることを特徴とする請求項９に記載の遊技用サービス提供装置。
【請求項１１】
利用契約した遊技場の関係者が操作可能であって通信回線網を介して接続された遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付ステップと、
前記予約可能対象情報受付ステップにて受付けた予約可能対象情報を記憶する予約可能対象情報記憶ステップと、
前記予約可能対象情報記憶ステップにて記憶した予約可能対象情報に基づいて、オープンコンピュータネットワークを介して接続された遊技者が操作可能な遊技者端末からのアクセス時点において予約可能な遊技機を特定し、該特定した予約可能な遊技機を特定可能な情報を含む予約対象情報をアクセスしてきた遊技者端末に配信する予約対象情報配信ステップと、
前記遊技者端末から遊技者が予約を所望する遊技機の遊技機識別情報と、当該遊技者を個々に識別可能な遊技者識別情報と、を予約要求として受付ける予約要求受付けステップと、
前記予約要求受付けステップにて予約要求として受付けた遊技機識別情報から識別される遊技機の予約を許容するか否かを判定する判定ステップと、
前記判定ステップにおいて予約を許容すると判定されたことを条件に、前記予約要求受付けステップにて予約要求として受付けた遊技機識別情報と遊技者識別情報とを対応付けて予約情報として記憶する予約情報記憶ステップと、
前記遊技場用端末から、該遊技場において優先入店番号を含む整理券データを用いた優先入店を実施する日付を少なくとも含む優先入店情報を受付ける優先入店情報受付けステップと、
前記優先入店情報受付けステップにて受付けた優先入店情報を記憶する優先入店情報記憶ステップと、
前記優先入店情報記憶ステップにて記憶した記憶情報に基づいて、優先入店を実施する日付を含む優先入店対象情報を、前記遊技者端末に配信する優先入店対象情報配信ステップと、
前記遊技者端末から、当該遊技者を個々に識別可能な遊技者識別情報を含み、前記優先入店対象情報配信ステップにて配信した優先入店対象情報に含まれる日付における優先入店番号を含む整理券データの配信を要求する整理券データ配信要求を受付ける整理券データ配信要求受付けステップと、
前記整理券データ配信要求に含まれる遊技者識別情報から特定される遊技者に整理券データを配信するか否かを判定する配信可否判定ステップと、
前記配信可否判定ステップにおいて配信すると判定されたことを条件として、優先入店番号を含む整理券データを前記整理券データ配信要求の送信元の遊技者端末に対して配信する整理券データ配信ステップと、
を含むことを特徴とする遊技用サービス提供方法。
【請求項１２】
前記優先入店情報受付けステップにおいては、前記優先入店情報として、前記日付における優先入店番号のうち前記整理券データに使用する優先入店番号を含む優先入店情報を受付け、
前記優先入店情報記憶ステップにおいて記憶された優先入店情報に含まれている優先入店番号のうちから１つの優先入店番号を抽出する優先入店番号抽出ステップを含み、
前記整理券データ配信ステップにおいては、前記優先入店番号抽出ステップにて抽出された優先入店番号を含む整理券データを配信することを特徴とする請求項１１に記載の遊技用サービス提供方法。
【請求項１３】
前記遊技者端末から遊技者の属性情報を含む遊技者登録要求を受付ける遊技者登録要求受付けステップと、
前記遊技者登録要求受付けステップにて受付けた遊技者登録要求に含まれる属性情報を、前記遊技者識別情報に対応付けて記憶する遊技者情報記憶ステップと、
を含み、
前記判定ステップにおいては、受付けた予約要求に含まれる遊技者識別情報が前記遊技者情報記憶ステップにて記憶されている遊技者識別情報に一致することを条件として予約を許容する判定を行い、
前記配信可否判定ステップにおいては、受付けた整理券データ配信要求に含まれる遊技者識別情報が前記遊技者情報記憶ステップにて記憶されている遊技者識別情報に一致することを条件として配信すると判定することを特徴とする請求項１１または１２に記載の遊技用サービス提供方法。
【請求項１４】
前記遊技者端末から、複数の前記利用契約した遊技場の内から遊技者が所望する特別遊技場の指定を受付ける特別遊技場受付けステップと、
前記特別遊技場受付けステップにて指定を受付けた遊技場を特定可能な遊技場特定情報を当該遊技者の遊技者識別情報に対応付けて記憶する特別遊技場記憶ステップと、
を含み、
前記予約要求受付けステップにおいては、遊技者が予約を希望する遊技機が設置されている遊技場を含む予約要求を受付け、
前記整理券データ配信要求受付けステップにおいては、遊技者が優先入店を希望する遊技場を含む整理券データ配信要求を受付け、
前記判定ステップにおいては、受付けた予約要求に含まれる遊技場が、前記遊技者情報記憶ステップにて当該遊技者の遊技者識別情報に対応付けて記憶されている遊技場特定情報から特定される遊技場に一致することを条件として予約を許容する判定を行い、
前記配信可否判定ステップにおいては、受付けた整理券データ配信要求に含まれる遊技場が、前記特別遊技場記憶ステップにて当該遊技者の遊技者識別情報に対応付けて記憶されている遊技場特定情報から特定される遊技場に一致することを条件として配信すると判定することを特徴とする請求項１３に記載の遊技用サービス提供方法。
【請求項１５】
前記予約要求受付けステップにおいては、遊技者が予約を希望する日付を予約要求として受付け、
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、遊技者が優先入店を希望する日付を含む整理券データ配信要求を受付け、
前記整理券データ配信ステップにおいては、前記整理券データ配信要求に含まれる日付における優先入店番号を含む整理券データを配信し、
前記予約情報記憶ステップにて記憶された予約情報に含まれる遊技者識別情報に対応付けて当該予約情報の対象となる日付を記憶する予約状況記憶ステップと、
前記整理券データ配信ステップにて各遊技者に配信された整理券データの対象となる日付を当該遊技者の遊技者識別情報に対応付けて記憶する優先入店状況記憶ステップと、
を含み、
前記判定ステップにおいては、予約要求として受付けた予約の対象日が該予約要求に含まれる遊技者識別情報に対応付けて前記予約状況記憶ステップにて記憶されていないことを条件として予約を許容すると判定し、
前記配信可否判定ステップにおいては、前記整理券データ配信要求に含まれる日付が該整理券データ配信要求に含まれる遊技者識別情報に対応付けて前記優先入店状況記憶ステップにて記憶されていないことを条件として配信すると判定することを特徴とする請求項１３または１４に記載の遊技用サービス提供方法。
【請求項１６】
前記予約情報記憶ステップにて記憶された予約情報の予約の対象日における当該予約を要求した遊技者の来店を確認するための来店確認情報並びに前記整理券データ配信ステップにて配信された整理券データの対象日における当該整理券データの配信を受けた遊技者の来店の有無を確認するための来店確認情報を受付ける来店確認情報受付けステップと、
各遊技者の遊技者識別情報に対応付けて、所定期間における前記予約情報記憶ステップにて予約情報として記憶した当該遊技者の予約の回数を特定可能な情報を記憶する予約回数記憶ステップと、
各遊技者の遊技者識別情報に対応付けて、前記予約回数記憶ステップにおいて記憶対象とされた所定期間における前記来店確認情報に基づく当該遊技者の各予約の対象日における来店回数を特定可能な情報を記憶する予約時来店回数記憶ステップと、
各遊技者の遊技者識別情報に対応付けて、所定期間における前記整理券データ配信ステップによる当該遊技者への整理券データの配信回数を特定可能な情報を記憶する整理券データ配信回数記憶ステップと、
各遊技者の遊技者識別情報に対応付けて、前記整理券データ配信回数記憶ステップにおいて記憶対象とされた所定期間における前記来店確認情報に基づく各整理券データの対象日における当該整理券データの配信を受けた遊技者の来店回数を特定可能な情報を記憶する優先入店時来店回数記憶ステップと、
前記予約回数記憶ステップ、予約時来店回数記憶ステップ、整理券データ配信回数記憶ステップ並びに優先入店時来店回数記憶ステップにて記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率並びに整理券データの配信を受けた際の各遊技者の来店率、または前記所定期間における各遊技者が遊技機を予約或いは整理券データの配信を受けた際の各遊技者の来店率の少なくとも一方を算出する来店率算出ステップと、
前記来店率算出ステップにて算出された各遊技者の来店率に基づいて各遊技者の前記判定ステップまたは前記配信可否判定ステップによる判定条件を変更する判定条件変更ステップと、
を含むことを特徴とする請求項１３〜１５のいずれかに記載の遊技用サービス提供方法。
【請求項１７】
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、遊技者が優先入店を希望する日付を含む整理券データ配信要求を受付け、
所定期間において受付けた同一の日付を含む整理券データ配信要求に含まれる遊技者識別情報から特定される遊技者を対象とした抽選を実施する整理券抽選ステップを含み、
前記配信可否判定ステップにおいては、前記整理券抽選ステップにおける抽選において当選したことを条件として配信すると判定し、
前記整理券データ配信ステップにおいては、前記整理券データ配信要求に含まれる日付における優先入店番号を含む整理券データを配信することを特徴とする請求項１１〜１６のいずれかに記載の遊技用サービス提供方法。
【請求項１８】
所定期間において受付けた同一の遊技機に対する予約要求に含まれる遊技者識別情報から特定される遊技者を対象とした抽選を実施する予約抽選ステップを含み、
前記判定ステップにおいては、前記予約抽選ステップにおける抽選において当選したことを条件として遊技機の予約を許容することを特徴とする請求項１１〜１７のいずれかに記載の遊技用サービス提供方法。
【請求項１９】
少なくとも前記予約可能対象情報受付ステップにて受付けた情報から特定される予約を可能とする遊技機の前記遊技機識別情報と当該遊技機での遊技に関連して発生する遊技関連情報を入力するための遊技関連情報入力ステップと、
前記遊技関連情報入力ステップにて入力された前記遊技機識別情報と遊技関連情報とを対応付けて記憶する遊技関連情報記憶ステップと、
前記遊技関連情報記憶ステップにて記憶された少なくとも予約を可能とする遊技機の遊技関連情報を前記遊技者端末に配信する遊技関連情報配信ステップと、
を含むことを特徴とする請求項１１〜１８のいずれかに記載の遊技用サービス提供方法。
【請求項２０】
前記遊技関連情報入力ステップにおいては、予約を可能とする遊技機以外の予約を不能とする遊技機の前記遊技機識別情報と遊技関連情報とが入力され、
各遊技機識別情報に対応する遊技機が予約を可能とする遊技機か否かを識別可能な予約可否情報を当該遊技機識別情報に対応付けて記憶する予約可否情報記憶ステップと、
前記遊技関連情報記憶ステップにて記憶された遊技関連情報を、当該遊技関連情報に対応付けて記憶された前記予約可否情報に基づいて、当該遊技関連情報に対応する遊技機が予約を可能とする遊技機であるか否かを識別可能に配信する予約可否情報配信ステップと、
を含むことを特徴とする請求項１９に記載の遊技用サービス提供方法。
【発明の詳細な説明】
【技術分野】
【０００１】
本発明は、遊技者に遊技場に設置されている遊技機の予約を可能とする予約サービスや、遊技場において使用される整理券となる整理券データを配信するサービス等の遊技用サービスを提供するための遊技用サービス提供装置および遊技用サービス提供方法に関する。
【背景技術】
【０００２】
近年のインターネット等のコンピュータネットワークの普及に伴ない、遊技場に出向くことなく、自宅や出先から、パソコンや携帯電話を利用して遊技場に設置されている遊技機である台を予約することのできる遊技場用予約システムがある（例えば、特許文献１参照）。
【０００３】
また、遊技場において使用する整理券を発行する装置として、遊技場内に設置された景品交換装置にこれら整理券を発行する機能を設けたものがある（例えば、特許文献２参照）。
【０００４】
【特許文献１】特開平８−１６４２６１号公報 （第１５頁、第６図）
【特許文献２】特開２００４−３３３２１号公報（第２１頁、第８図）
【発明の開示】
【発明が解決しようとする課題】
【０００５】
しかしながら、特許文献１に示す遊技場用予約システムにあっては、これらの遊技場用予約システムを導入する遊技場においては、例えば、好出玉台を予約対象台として設定することにより予約システムの利用者増を図りたいという要望や、低稼働の台をイベント台とし、その一部或いは全部を予約対象台として設定することによりイベントとの相乗効果を図りたいという要望や、新台を予約対象台として混乱を防止したいという要望があるが、前記した従来の遊技場用予約システムや該遊技場用予約システムにより提供される遊技機予約サービスにあっては、遊技機の出玉状況や遊技場の営業方針等を加味して日付毎や期間毎に予約対象台を遊技場が設定することができず、よって、これらの予約システムや予約サービスを集客向上や客が殺到する遊技機の混乱防止等のために利用できないという問題があった。
【０００６】
また、特許文献２に示す整理券を発行する機能を設けた景品交換装置を用いる場合にあっては、来店者となる遊技者が整理券の発行を受けるには、わざわざ遊技場に出向く必要があり、遊技者にとって面倒であるという問題があった。
【０００７】
本発明は、このような問題点に着目してなされたもので、日付毎や期間毎に予約対象台を遊技場が設定できるようにすることで、遊技機の予約を集客向上や客が殺到する遊技機の混乱防止等のために利用することができ、かつ遊技者が整理券の発行を受けるために遊技場に出向かなくてはならない面倒を解消することのできる遊技用サービス提供装置および遊技用サービス提供方法を提供することを目的とする。
【課題を解決するための手段】
【０００８】
上記課題を解決するために、本発明の請求項１に記載の遊技用サービス提供装置は、
利用契約した遊技場の関係者が操作可能であって通信回線網を介して接続された遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付手段と、
前記予約可能対象情報受付手段にて受付けた予約可能対象情報を記憶するための予約可能対象情報記憶手段と、
前記予約可能対象情報記憶手段に記憶されている予約可能対象情報に基づいて、オープンコンピュータネットワークを介して接続された遊技者が操作可能な遊技者端末からのアクセス時点において予約可能な遊技機を特定し、該特定した予約可能な遊技機を特定可能な情報を含む予約対象情報をアクセスしてきた遊技者端末に配信する予約対象情報配信手段と、
前記遊技者端末から遊技者が予約を所望する遊技機の遊技機識別情報と、当該遊技者を個々に識別可能な遊技者識別情報と、を予約要求として受付ける予約要求受付け手段と、
前記予約要求受付け手段にて予約要求として受付けた遊技機識別情報から識別される遊技機の予約を許容するか否かを判定する判定手段と、
前記判定手段において予約を許容すると判定されたことを条件に、前記予約要求受付け手段にて予約要求として受付けた遊技機識別情報と遊技者識別情報とを対応付けて予約情報として記憶するための予約情報記憶手段と、
前記遊技場用端末から、該遊技場において優先入店番号を含む整理券データを用いた優先入店を実施する日付を少なくとも含む優先入店情報を受付ける優先入店情報受付け手段と、
前記優先入店情報受付け手段にて受付けた優先入店情報を記憶するための優先入店情報記憶手段と、
前記優先入店情報記憶手段の記憶情報に基づいて、優先入店を実施する日付を含む優先入店対象情報を、前記遊技者端末に配信する優先入店対象情報配信手段と、
前記遊技者端末から、当該遊技者を個々に識別可能な遊技者識別情報を含み、前記優先入店対象情報配信手段にて配信した優先入店対象情報に含まれる日付における優先入店番号を含む整理券データの配信を要求する整理券データ配信要求を受付ける整理券データ配信要求受付け手段と、
前記整理券データ配信要求に含まれる遊技者識別情報から特定される遊技者に整理券データを配信するか否かを判定する配信可否判定手段と、
前記配信可否判定手段において配信すると判定されたことを条件として、優先入店番号を含む整理券データを前記整理券データ配信要求の送信元の遊技者端末に対して配信する整理券データ配信手段と、
を備えることを特徴としている。
この特徴によれば、遊技場は、前記遊技場用端末から遊技機の予約を可能とする期間と当該期間において予約を可能とする遊技機とを、出玉状況や営業方針を加味して設定できるようになるため、従来の予約サービスに比べて、遊技場の営業戦略に沿った予約サービスを提供でき、これにより、例えば、遊技機の予約を集客向上や客が殺到する遊技機の混乱防止等のために利用することができる。更には、遊技者は遊技者端末を用いて、オープンコンピュータネットワークを介して遊技場において整理券となる整理券データの配信を、遊技場に出向くことなく受けることができ、整理券を取得するために遊技場に出向く面倒を解消することができる。
【０００９】
本発明の請求項２に記載の遊技用サービス提供装置は、請求項１に記載の遊技用サービス提供装置であって、
前記優先入店情報受付け手段は、前記優先入店情報として、前記日付における優先入店番号のうち前記整理券データに使用する優先入店番号を含む優先入店情報を受付け、
前記優先入店情報記憶手段に記憶されている優先入店情報に含まれている優先入店番号のうちから１つの優先入店番号を抽出する優先入店番号抽出手段を備え、
前記整理券データ配信手段は、前記優先入店番号抽出手段にて抽出された優先入店番号を含む整理券データを配信することを特徴としている。
この特徴によれば、遊技場の関係者が遊技用サービス提供装置において遊技者に配信される整理券データに使用される優先入店番号を指定できるようになるので、遊技場での整理券の発行と連携した運用が可能となり、これら連携により整理券を固定客化の促進に活用することができる。
【００１０】
本発明の請求項３に記載の遊技用サービス提供装置は、請求項１または２に記載の遊技用サービス提供装置であって、
前記遊技者端末から遊技者の属性情報を含む遊技者登録要求を受付ける遊技者登録要求受付け手段と、
前記遊技者登録要求受付け手段にて受付けた遊技者登録要求に含まれる属性情報を、前記遊技者識別情報に対応付けて記憶するための遊技者情報記憶手段と、
を備え、
前記判定手段は、受付けた予約要求に含まれる遊技者識別情報が前記遊技者情報記憶手段に記憶されている遊技者識別情報に一致することを条件として予約を許容する判定を行い、
前記配信可否判定手段は、受付けた整理券データ配信要求に含まれる遊技者識別情報が前記遊技者情報記憶手段に記憶されている遊技者識別情報に一致することを条件として配信すると判定することを特徴としている。
この特徴によれば、予約を許容するための条件、並びに整理券データの配信を受けるための条件として、遊技者に遊技者登録の実施を課すことで、来店意欲の少ない遊技者による予約や整理券データの取得を抑制できる。
【００１１】
本発明の請求項４に記載の遊技用サービス提供装置は、請求項３に記載の遊技用サービス提供装置であって、
前記遊技者端末から、複数の前記利用契約した遊技場の内から遊技者が所望する特別遊技場の指定を受付ける特別遊技場受付け手段と、
前記特別遊技場受付け手段にて指定を受付けた遊技場を特定可能な遊技場特定情報を当該遊技者の遊技者識別情報に対応付けて記憶するための特別遊技場記憶手段と、
を備え、
前記予約要求受付け手段は、遊技者が予約を希望する遊技機が設置されている遊技場を含む予約要求を受付け、
前記整理券データ配信要求受付け手段は、遊技者が優先入店を希望する遊技場を含む整理券データ配信要求を受付け、
前記判定手段は、受付けた予約要求に含まれる遊技場が、前記遊技者情報記憶手段に当該遊技者の遊技者識別情報に対応付けて記憶されている遊技場特定情報から特定される遊技場に一致することを条件として予約を許容する判定を行い、
前記配信可否判定手段は、受付けた整理券データ配信要求に含まれる遊技場が、前記特別遊技場記憶手段に当該遊技者の遊技者識別情報に対応付けて記憶されている遊技場特定情報から特定される遊技場に一致することを条件として配信すると判定することを特徴としている。
この特徴によれば、予約を許容するための条件、並びに整理券データの配信を受けるための条件として、遊技者に所望する特定遊技場を指定することを課すことで、来店意欲の少ない遊技者による予約や整理券データの取得をさらに抑制できる。
【００１２】
本発明の請求項５に記載の遊技用サービス提供装置は、請求項３または４に記載の遊技用サービス提供装置であって、
前記予約要求受付け手段は、遊技者が予約を希望する日付を予約要求として受付け、
前記優先入店対象情報配信手段は、複数の日付を含む優先入店対象情報を配信し、
前記整理券データ配信要求受付け手段は、前記配信された優先入店対象情報に含まれる複数の日付のうち、遊技者が優先入店を希望する日付を含む整理券データ配信要求を受付け、
前記整理券データ配信手段は、前記整理券データ配信要求に含まれる日付における優先入店番号を含む整理券データを配信し、
前記予約情報記憶手段に記憶された予約情報に含まれる遊技者識別情報に対応付けて当該予約情報の対象となる日付を記憶する予約状況記憶手段と、
前記整理券データ配信手段にて各遊技者に配信された整理券データの対象となる日付を当該遊技者の遊技者識別情報に対応付けて記憶するための優先入店状況記憶手段と、
を備え、
前記判定手段は、予約要求として受付けた予約の対象日が該予約要求に含まれる遊技者識別情報に対応付けて前記予約状況記憶手段に記憶されていないことを条件として予約を許容すると判定し、
前記配信可否判定手段は、前記整理券データ配信要求に含まれる日付が該整理券データ配信要求に含まれる遊技者識別情報に対応付けて前記優先入店状況記憶手段に記憶されていないことを条件として配信すると判定することを特徴としている。
この特徴によれば、同一の遊技者により同日に複数の遊技場における整理券データが取得或いは予約がなされることを防止できる。
【００１３】
本発明の請求項６に記載の遊技用サービス提供装置は、請求項３〜５のいずれかに記載の遊技用サービス提供装置であって、
前記予約情報記憶手段に記憶された予約情報の予約の対象日における当該予約を要求した遊技者の来店を確認するための来店確認情報並びに前記整理券データ配信手段にて配信された整理券データの対象日における当該整理券データの配信を受けた遊技者の来店の有無を確認するための来店確認情報を受付ける来店確認情報受付け手段と、
各遊技者の遊技者識別情報に対応付けて、所定期間における前記予約情報記憶手段に予約情報として記憶した当該遊技者の予約の回数を特定可能な情報を記憶するための予約回数記憶手段と、
各遊技者の遊技者識別情報に対応付けて、前記予約回数記憶手段において記憶対象とされた所定期間における前記来店確認情報に基づく当該遊技者の各予約の対象日における来店回数を特定可能な情報を記憶するための予約時来店回数記憶手段と、
各遊技者の遊技者識別情報に対応付けて、所定期間における前記整理券データ配信手段による当該遊技者への整理券データの配信回数を特定可能な情報を記憶するための整理券データ配信回数記憶手段と、
各遊技者の遊技者識別情報に対応付けて、前記整理券データ配信回数記憶手段において記憶対象とされた所定期間における前記来店確認情報に基づく各整理券データの対象日における当該整理券データの配信を受けた遊技者の来店回数を特定可能な情報を記憶するための優先入店時来店回数記憶手段と、
前記予約回数記憶手段、予約時来店回数記憶手段、整理券データ配信回数記憶手段並びに優先入店時来店回数記憶手段に記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率並びに整理券データの配信を受けた際の各遊技者の来店率、または前記所定期間における各遊技者が遊技機を予約或いは整理券データの配信を受けた際の各遊技者の来店率の少なくとも一方を算出する来店率算出手段と、
前記来店率算出手段にて算出された各遊技者の来店率に基づいて各遊技者の前記判定手段または前記配信可否判定手段による判定条件を変更する判定条件変更手段と、
を備えることを特徴としている。
この特徴によれば、各遊技者の予約した際の来店率並びに整理券データを取得した際の来店率または遊技機を予約或いは整理券データの配信を受けた際の来店率の少なくとも一方を算出し、これら来店率に基づいて、例えば、来店率が低い遊技者に関しては、予約を所定期間停止或いは整理券データの配信を所定期間停止するように判定条件を変更すること等により、来店率が高い遊技者を優遇することで、集客効果向上並びに固定客化を更に促進することができる。
【００１４】
本発明の請求項７に記載の遊技用サービス提供装置は、請求項１〜６のいずれかに記載の遊技用サービス提供装置であって、
前記優先入店対象情報配信手段は、複数の日付を含む優先入店対象情報を配信し、
前記整理券データ配信要求受付け手段は、前記配信された優先入店対象情報に含まれる複数の日付のうち、遊技者が優先入店を希望する日付を含む整理券データ配信要求を受付け、
所定期間において受付けた同一の日付を含む整理券データ配信要求に含まれる遊技者識別情報から特定される遊技者を対象とした抽選を実施する整理券抽選手段を備え、
前記配信可否判定手段は、前記整理券抽選手段における抽選において当選したことを条件として配信すると判定し、
前記整理券データ配信手段は、前記整理券データ配信要求に含まれる日付における優先入店番号を含む整理券データを配信することを特徴としている。
この特徴によれば、受付け開始時刻等による遊技者の不平等を生じることなく、公平に整理券データを配信することができる。
【００１５】
本発明の請求項８に記載の遊技用サービス提供装置は、請求項１〜７のいずれかに記載の遊技用サービス提供装置であって、
所定期間において受付けた同一の遊技機に対する予約要求に含まれる遊技者識別情報から特定される遊技者を対象とした抽選を実施する予約抽選手段を備え、
前記判定手段は、前記予約抽選手段における抽選において当選したことを条件として遊技機の予約を許容することを特徴としている。
この特徴によれば、受付け開始時刻等による遊技者の不平等を生じることなく、公平な予約を実施することができる。
【００１６】
本発明の請求項９に記載の遊技用サービス提供装置は、請求項１〜８のいずれかに記載の遊技用サービス提供装置であって、
少なくとも前記予約可能対象情報受付手段にて受付けた情報から特定される予約を可能とする遊技機の前記遊技機識別情報と当該遊技機での遊技に関連して発生する遊技関連情報を入力するための遊技関連情報入力手段と、
前記遊技関連情報入力手段より入力された前記遊技機識別情報と遊技関連情報とを対応付けて記憶するための遊技関連情報記憶手段と、
前記遊技関連情報記憶手段に記憶されている少なくとも予約を可能とする遊技機の遊技関連情報を前記遊技者端末に配信する遊技関連情報配信手段と、
を備えることを特徴としている。
この特徴によれば、遊技者は、遊技関連情報を参考にして予約する遊技機を決定できるため、遊技者の利便性を向上できる。
【００１７】
本発明の請求項１０に記載の遊技用サービス提供装置は、請求項９に記載の遊技用サービス提供装置であって、
前記遊技関連情報入力手段には、予約を可能とする遊技機以外の予約を不能とする遊技機の前記遊技機識別情報と遊技関連情報とが入力され、
各遊技機識別情報に対応する遊技機が予約を可能とする遊技機か否かを識別可能な予約可否情報を当該遊技機識別情報に対応付けて記憶する予約可否情報記憶手段と、
前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能に配信する予約可否情報配信手段と、
を備えることを特徴としている。
この特徴によれば、遊技者は、予約可能な遊技機の遊技関連情報を、予約可能とされていない遊技機の遊技関連情報と比較して予約する遊技機を選択できるようになるため、遊技者の利便性を更に向上できる。
【００１８】
本発明の請求項１１に記載の遊技用サービス提供方法は、
利用契約した遊技場の関係者が操作可能であって通信回線網を介して接続された遊技場用端末から、当該遊技場に設置されている遊技機の予約を可能とする期間を特定可能な情報と、当該期間において予約を可能とする遊技機を個々に識別可能な遊技機識別情報と、を予約可能対象情報として受付ける予約可能対象情報受付ステップと、
前記予約可能対象情報受付ステップにて受付けた予約可能対象情報を記憶する予約可能対象情報記憶ステップと、
前記予約可能対象情報記憶ステップにて記憶した予約可能対象情報に基づいて、オープンコンピュータネットワークを介して接続された遊技者が操作可能な遊技者端末からのアクセス時点において予約可能な遊技機を特定し、該特定した予約可能な遊技機を特定可能な情報を含む予約対象情報をアクセスしてきた遊技者端末に配信する予約対象情報配信ステップと、
前記遊技者端末から遊技者が予約を所望する遊技機の遊技機識別情報と、当該遊技者を個々に識別可能な遊技者識別情報と、を予約要求として受付ける予約要求受付けステップと、
前記予約要求受付けステップにて予約要求として受付けた遊技機識別情報から識別される遊技機の予約を許容するか否かを判定する判定ステップと、
前記判定ステップにおいて予約を許容すると判定されたことを条件に、前記予約要求受付けステップにて予約要求として受付けた遊技機識別情報と遊技者識別情報とを対応付けて予約情報として記憶する予約情報記憶ステップと、
前記遊技場用端末から、該遊技場において優先入店番号を含む整理券データを用いた優先入店を実施する日付を少なくとも含む優先入店情報を受付ける優先入店情報受付けステップと、
前記優先入店情報受付けステップにて受付けた優先入店情報を記憶する優先入店情報記憶ステップと、
前記優先入店情報記憶ステップにて記憶した記憶情報に基づいて、優先入店を実施する日付を含む優先入店対象情報を、前記遊技者端末に配信する優先入店対象情報配信ステップと、
前記遊技者端末から、当該遊技者を個々に識別可能な遊技者識別情報を含み、前記優先入店対象情報配信ステップにて配信した優先入店対象情報に含まれる日付における優先入店番号を含む整理券データの配信を要求する整理券データ配信要求を受付ける整理券データ配信要求受付けステップと、
前記整理券データ配信要求に含まれる遊技者識別情報から特定される遊技者に整理券データを配信するか否かを判定する配信可否判定ステップと、
前記配信可否判定ステップにおいて配信すると判定されたことを条件として、優先入店番号を含む整理券データを前記整理券データ配信要求の送信元の遊技者端末に対して配信する整理券データ配信ステップと、
を含むことを特徴としている。
この特徴によれば、遊技場は、前記遊技場用端末から遊技機の予約を可能とする期間と当該期間において予約を可能とする遊技機とを、出玉状況や営業方針を加味して設定できるようになるため、従来の予約サービスに比べて、遊技場の営業戦略に沿った予約サービスを提供でき、これにより、例えば、遊技機の予約を集客向上や客が殺到する遊技機の混乱防止等のために利用することができる。更には、遊技者は遊技者端末を用いて、オープンコンピュータネットワークを介して遊技場において整理券となる整理券データの配信を、遊技場に出向くことなく受けることができ、整理券を取得するために遊技場に出向く面倒を解消することができる。
【００１９】
本発明の請求項１２に記載の遊技用サービス提供方法は、請求項１１に記載の遊技用サービス提供方法であって、
前記優先入店情報受付けステップにおいては、前記優先入店情報として、前記日付における優先入店番号のうち前記整理券データに使用する優先入店番号を含む優先入店情報を受付け、
前記優先入店情報記憶ステップにおいて記憶された優先入店情報に含まれている優先入店番号のうちから１つの優先入店番号を抽出する優先入店番号抽出ステップを含み、
前記整理券データ配信ステップにおいては、前記優先入店番号抽出ステップにて抽出された優先入店番号を含む整理券データを配信することを特徴としている。
この特徴によれば、遊技場の関係者が前記整理券データ配信ステップにて遊技者に配信される整理券データに使用される優先入店番号を指定できるようになるので、遊技場での整理券の発行と連携した運用が可能となり、これら連携により整理券を固定客化の促進に活用することができる。
【００２０】
本発明の請求項１３に記載の遊技用サービス提供方法は、請求項１１または１２に記載の遊技用サービス提供方法であって、
前記遊技者端末から遊技者の属性情報を含む遊技者登録要求を受付ける遊技者登録要求受付けステップと、
前記遊技者登録要求受付けステップにて受付けた遊技者登録要求に含まれる属性情報を、前記遊技者識別情報に対応付けて記憶する遊技者情報記憶ステップと、
を含み、
前記判定ステップにおいては、受付けた予約要求に含まれる遊技者識別情報が前記遊技者情報記憶ステップにて記憶されている遊技者識別情報に一致することを条件として予約を許容する判定を行い、
前記配信可否判定ステップにおいては、受付けた整理券データ配信要求に含まれる遊技者識別情報が前記遊技者情報記憶ステップにて記憶されている遊技者識別情報に一致することを条件として配信すると判定することを特徴としている。
この特徴によれば、予約を許容するための条件、並びに整理券データの配信を受けるための条件として、遊技者に遊技者登録の実施を課すことで、来店意欲の少ない遊技者による予約や整理券データの取得を抑制できる。
【００２１】
本発明の請求項１４に記載の遊技用サービス提供方法は、請求項１３に記載の遊技用サービス提供方法であって、
前記遊技者端末から、複数の前記利用契約した遊技場の内から遊技者が所望する特別遊技場の指定を受付ける特別遊技場受付けステップと、
前記特別遊技場受付けステップにて指定を受付けた遊技場を特定可能な遊技場特定情報を当該遊技者の遊技者識別情報に対応付けて記憶する特別遊技場記憶ステップと、
を含み、
前記予約要求受付けステップにおいては、遊技者が予約を希望する遊技機が設置されている遊技場を含む予約要求を受付け、
前記整理券データ配信要求受付けステップにおいては、遊技者が優先入店を希望する遊技場を含む整理券データ配信要求を受付け、
前記判定ステップにおいては、受付けた予約要求に含まれる遊技場が、前記遊技者情報記憶ステップにて当該遊技者の遊技者識別情報に対応付けて記憶されている遊技場特定情報から特定される遊技場に一致することを条件として予約を許容する判定を行い、
前記配信可否判定ステップにおいては、受付けた整理券データ配信要求に含まれる遊技場が、前記特別遊技場記憶ステップにて当該遊技者の遊技者識別情報に対応付けて記憶されている遊技場特定情報から特定される遊技場に一致することを条件として配信すると判定することを特徴としている。
この特徴によれば、予約を許容するための条件、並びに整理券データの配信を受けるための条件として、遊技者に所望する特定遊技場を指定することを課すことで、来店意欲の少ない遊技者による予約や整理券データの取得をさらに抑制できる。
【００２２】
本発明の請求項１５に記載の遊技用サービス提供方法は、請求項１３または１４に記載の遊技用サービス提供方法であって、
前記予約要求受付けステップにおいては、遊技者が予約を希望する日付を予約要求として受付け、
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、遊技者が優先入店を希望する日付を含む整理券データ配信要求を受付け、
前記整理券データ配信ステップにおいては、前記整理券データ配信要求に含まれる日付における優先入店番号を含む整理券データを配信し、
前記予約情報記憶ステップにて記憶された予約情報に含まれる遊技者識別情報に対応付けて当該予約情報の対象となる日付を記憶する予約状況記憶ステップと、
前記整理券データ配信ステップにて各遊技者に配信された整理券データの対象となる日付を当該遊技者の遊技者識別情報に対応付けて記憶する優先入店状況記憶ステップと、
を含み、
前記判定ステップにおいては、予約要求として受付けた予約の対象日が該予約要求に含まれる遊技者識別情報に対応付けて前記予約状況記憶ステップにて記憶されていないことを条件として予約を許容すると判定し、
前記配信可否判定ステップにおいては、前記整理券データ配信要求に含まれる日付が該整理券データ配信要求に含まれる遊技者識別情報に対応付けて前記優先入店状況記憶ステップにて記憶されていないことを条件として配信すると判定することを特徴としている。
この特徴によれば、同一の遊技者により同日に複数の遊技場における整理券データが取得或いは予約がなされることを防止できる。
【００２３】
本発明の請求項１６に記載の遊技用サービス提供方法は、請求項１３〜１５のいずれかに記載の遊技用サービス提供方法であって、
前記予約情報記憶ステップにて記憶された予約情報の予約の対象日における当該予約を要求した遊技者の来店を確認するための来店確認情報並びに前記整理券データ配信ステップにて配信された整理券データの対象日における当該整理券データの配信を受けた遊技者の来店の有無を確認するための来店確認情報を受付ける来店確認情報受付けステップと、
各遊技者の遊技者識別情報に対応付けて、所定期間における前記予約情報記憶ステップにて予約情報として記憶した当該遊技者の予約の回数を特定可能な情報を記憶する予約回数記憶ステップと、
各遊技者の遊技者識別情報に対応付けて、前記予約回数記憶ステップにおいて記憶対象とされた所定期間における前記来店確認情報に基づく当該遊技者の各予約の対象日における来店回数を特定可能な情報を記憶する予約時来店回数記憶ステップと、
各遊技者の遊技者識別情報に対応付けて、所定期間における前記整理券データ配信ステップによる当該遊技者への整理券データの配信回数を特定可能な情報を記憶する整理券データ配信回数記憶ステップと、
各遊技者の遊技者識別情報に対応付けて、前記整理券データ配信回数記憶ステップにおいて記憶対象とされた所定期間における前記来店確認情報に基づく各整理券データの対象日における当該整理券データの配信を受けた遊技者の来店回数を特定可能な情報を記憶する優先入店時来店回数記憶ステップと、
前記予約回数記憶ステップ、予約時来店回数記憶ステップ、整理券データ配信回数記憶ステップ並びに優先入店時来店回数記憶ステップにて記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率並びに整理券データの配信を受けた際の各遊技者の来店率、または前記所定期間における各遊技者が遊技機を予約或いは整理券データの配信を受けた際の各遊技者の来店率の少なくとも一方を算出する来店率算出ステップと、
前記来店率算出ステップにて算出された各遊技者の来店率に基づいて各遊技者の前記判定ステップまたは前記配信可否判定ステップによる判定条件を変更する判定条件変更ステップと、
を含むことを特徴としている。
この特徴によれば、各遊技者の予約した際の来店率並びに整理券データを取得した際の来店率または遊技機を予約或いは整理券データの配信を受けた際の来店率の少なくとも一方を算出し、これら来店率に基づいて、例えば、来店率が低い遊技者に関しては、予約を所定期間停止或いは整理券データの配信を所定期間停止するように判定条件を変更すること等により、来店率が高い遊技者を優遇することで、集客効果向上並びに固定客化を更に促進することができる。
【００２４】
本発明の請求項１７に記載の遊技用サービス提供方法は、請求項１１〜１６のいずれかに記載の遊技用サービス提供方法であって、
前記優先入店対象情報配信ステップにおいては、複数の日付を含む優先入店対象情報を配信し、
前記整理券データ配信要求受付けステップにおいては、前記配信された優先入店対象情報に含まれる複数の日付のうち、遊技者が優先入店を希望する日付を含む整理券データ配信要求を受付け、
所定期間において受付けた同一の日付を含む整理券データ配信要求に含まれる遊技者識別情報から特定される遊技者を対象とした抽選を実施する整理券抽選ステップを含み、
前記配信可否判定ステップにおいては、前記整理券抽選ステップにおける抽選において当選したことを条件として配信すると判定し、
前記整理券データ配信ステップにおいては、前記整理券データ配信要求に含まれる日付における優先入店番号を含む整理券データを配信することを特徴としている。
この特徴によれば、受付け開始時刻等による遊技者の不平等を生じることなく、公平に整理券データを配信することができる。
【００２５】
本発明の請求項１８に記載の遊技用サービス提供方法は、請求項１１〜１７のいずれかに記載の遊技用サービス提供方法であって、
所定期間において受付けた同一の遊技機に対する予約要求に含まれる遊技者識別情報から特定される遊技者を対象とした抽選を実施する予約抽選ステップを含み、
前記判定ステップにおいては、前記予約抽選ステップにおける抽選において当選したことを条件として遊技機の予約を許容することを特徴としている。
この特徴によれば、受付け開始時刻等による遊技者の不平等を生じることなく、公平な予約を実施することができる。
【００２６】
本発明の請求項１９に記載の遊技用サービス提供方法は、請求項１１〜１８のいずれかに記載の遊技用サービス提供方法であって、
少なくとも前記予約可能対象情報受付ステップにて受付けた情報から特定される予約を可能とする遊技機の前記遊技機識別情報と当該遊技機での遊技に関連して発生する遊技関連情報を入力するための遊技関連情報入力ステップと、
前記遊技関連情報入力ステップにて入力された前記遊技機識別情報と遊技関連情報とを対応付けて記憶する遊技関連情報記憶ステップと、
前記遊技関連情報記憶ステップにて記憶された少なくとも予約を可能とする遊技機の遊技関連情報を前記遊技者端末に配信する遊技関連情報配信ステップと、
を含むことを特徴としている。
この特徴によれば、遊技者は、遊技関連情報を参考にして予約する遊技機を決定できるため、遊技者の利便性を向上できる。
【００２７】
本発明の請求項２０に記載の遊技用サービス提供方法は、請求項１９に記載の遊技用サービス提供方法であって、
前記遊技関連情報入力ステップにおいては、予約を可能とする遊技機以外の予約を不能とする遊技機の前記遊技機識別情報と遊技関連情報とが入力され、
各遊技機識別情報に対応する遊技機が予約を可能とする遊技機か否かを識別可能な予約可否情報を当該遊技機識別情報に対応付けて記憶する予約可否情報記憶ステップと、
前記遊技関連情報記憶ステップにて記憶された遊技関連情報を、当該遊技関連情報に対応付けて記憶された前記予約可否情報に基づいて、当該遊技関連情報に対応する遊技機が予約を可能とする遊技機であるか否かを識別可能に配信する予約可否情報配信ステップと、
を含むことを特徴としている。
この特徴によれば、遊技者は、予約可能な遊技機の遊技関連情報を、予約可能とされていない遊技機の遊技関連情報と比較して予約する遊技機を選択できるようになるため、遊技者の利便性を更に向上できる。
【発明を実施するための最良の形態】
【００２８】
本発明の実施例を以下に説明する。
【００２９】
まず図１は、本発明の遊技用サービス提供装置および遊技用サービス提供方法が適用された本実施例の遊技用サービス提供システムの構成を示す図であり、本実施例の遊技用サービス提供システムは、図１に示すように、優先入場や台予約等の各種の遊技用サービスを提供するための後述するカード管理会社が運営する遊技用サービスサイト（ＪＧサイト）にサイト会員として登録したアクセス利用者となる遊技者ａ、ｂ・・・が操作可能とされ、通信回線網としてのインターネット網に接続された遊技者端末である携帯電話１６と、後述するカード管理会社と利用契約した各遊技場の関係者（遊技場管理者）が操作可能とされ、インターネット網に接続された本発明における遊技場用端末となるノートパソコン１５０と、該携帯電話１６が携帯電話通信網並びに携帯電話会社に設置されているゲートウエイサーバ１５及びインターネット網を通じてアクセス可能とされるとともに、前記ノートパソコン１５０がインターネット網を介してアクセス可能とされ、各遊技場において使用されるプリペイドカード等の管理を行うカード管理会社に設置されて前記遊技用サービスサイト（ＪＧサイト）を提供するための本発明における整理券データ配信装置を成すサイトサーバ１４と、このサイトサーバ１４とＬＡＮケーブルにより接続されて双方に高速のデータ送受信を可能とされるとともに、各遊技場とデータ通信可能に接続されて、遊技場において優先入場に使用される整理券データを含む当選メールの配信サービスや、各遊技場に設置されている遊技機であるパチンコ機２やパチスロ機４の台予約のサービスを提供するとともに、各遊技場に関する各種の情報やサイト会員に関する各種の情報を管理する本発明における整理券データ配信装置を成す管理サーバ１４０と、から主に構成されている。
【００３０】
また、本実施例の管理サーバ１４０は、遊技場における会員遊技者に関する各種情報の管理等を行う各遊技場に設置された会員管理コンピュータ１２０と通信回線１１を介して接続されているとともに、遊技場に設置された各遊技機であるパチンコ機２やパチスロ機４における遊技関連情報である遊技データを収集、管理するホールコンピュータ１１０と、会員管理コンピュータ１２０を介して接続されており、これら会員管理コンピュータ１２０やホールコンピュータ１１０から、遊技場において会員となっている遊技者に関する情報や遊技場に設置されているパチンコ機２やパチスロ機４の遊技データを入手できるようになっている。
【００３１】
この本実施例において用いた遊技者端末としての携帯電話１６は、インターネット接続機能を有するとともに、該インターネット網を介して前記サイトサーバ１４にアクセス可能とされており、該サイトサーバ１４から配信される各種ページにおいて、携帯電話１６に設けられたテンキーや十字キー等の入力部を操作することで、各種の入力や選択等を実施できるようになっている。
【００３２】
また遊技場の関係者（遊技場管理者）が操作可能なノートパソコン１５０も、カードスロットに装着されたモデムカード（図示略）を通じてインターネット網に接続可能とされていて、該インターネット網を介して前記サイトサーバ１４にアクセス可能とされていて、遊技場の関係者（遊技場管理者）がサイトサーバ１４にアクセスして、遊技場に関する情報の入力や変更、優先入場の設定や予約台の設定等を行えるようになっている。
【００３３】
まず、本実施例に用いた会員管理コンピュータ１２０と、ホールコンピュータ１１０の構成を、図２を用いて説明する。
【００３４】
本実施例に用いたホールコンピュータ１１０は、図２に示すように、コンピュータ内部にてデータの送受を行うデータバス１１１に、該ホールコンピュータ１１０が実施する各パチンコ機２やパチスロ機４における遊技に関連して発生する可変表示の始動回数や大当り回数や供給玉数や打込玉数やカードユニット３における使用度数等の遊技関連情報の収集処理や、これら収集した遊技関連情報を記憶する遊技関連情報管理データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う通信部１０９、パチンコ機２やパチスロ機４における遊技関連情報を収集、送信する図示しない中継端末やカードユニット３等との通信を行う通信インターフェイス（Ｉ／Ｆ）１０１が接続された通常のコンピュータであり、各中継端末から送信される遊技関連情報の受信に基づいて、前記記憶装置１０５の遊技関連情報管理データベースにおいて、各パチンコ機２やパチスロ機４を個々に識別可能な遊技機識別情報である台番号に対応付けて記憶されている遊技関連情報を更新することで、各パチンコ機２やパチスロ機４の遊技関連情報を管理するとともに、これら遊技関連情報管理データベースにて管理されている各パチンコ機２やパチスロ機４の遊技関連情報を、前記通信部１０９を通じて会員管理コンピュータ１２０に送信する。
【００３５】
このホールコンピュータ１１０に接続された本実施例の会員管理コンピュータ１２０は、図２に示すように、コンピュータ内部にてデータの送受を行うデータバス１２１に、該会員管理コンピュータ１２０が実施する会員の個人情報等の会員遊技者に関する会員関連情報を受付けて、該会員遊技者を個々に識別可能な会員識別情報である遊技場会員ＩＤに対応付けて記憶管理するとともに、予約情報の受信処理等の各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、新規会員に関する会員関連情報等の各種情報を入力するためのキーボードやマウス等の入力装置１２５、後述の予約情報テーブルに記憶された予約情報を表示出力するための表示装置１２６並びに印刷出力するためのプリンタ１２７、遊技場内に各パチンコ機２に対応して設置されたカードユニット３や該カードユニット３にて使用される会員カードやプリペイドカードの度数等の管理を行うシステムコントローラ（図示略）とのデータ通信を行う第１通信部１２８、前記ホールコンピュータ１１０とのデータ通信を行う第２通信部１２９、前記管理サーバ１４０とのデータ通信を行うデジタルサービスユニット（ＤＳＵ）１３０が接続された通常のコンピュータである。
【００３６】
また、前記記憶装置１２４には、該会員管理コンピュータ１２０が処理を実施するための各種処理プログラムに加えて、図３に示す各種テーブルから成る会員管理データベース（ＤＢ）が記憶されている。
【００３７】
まず、会員管理データベースを構成する会員情報テーブルには、図３（ａ）に示すように、会員遊技者に発行された会員カードに記録された遊技場会員ＩＤ毎に、本人確認のための暗証番号と、その時点の貯蓄玉数、並びに当該会員カードを所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否や、遊技場会員となってからの来店回数と、来店ポイントが記憶されており、これら貯蓄玉数や来店回数や来店ポイント等の各データが、来店によるカードユニット３への会員カードの挿入や図示しない玉計数器における貯玉の実施により逐次更新されることで、各会員遊技者に関する属性情報が管理されている。
【００３８】
また、会員管理データベースを構成する遊技関連情報テーブルには、図３（ｂ）に示すように、遊技機であるパチンコ機２を個々に識別可能な遊技機識別情報である台番号に対応付けて、該パチンコ機２の機種と、該パチンコ機２に供給された総玉数である供給玉数、該パチンコ機２にて遊技に使用された総玉数である打込玉数、これら供給玉数と打込玉数の差に基づく遊技場側の差玉数（出玉数）、パチンコ機２の可変表示器の総可変表示回数である始動回数、パチンコ機２において発生した大当り回数である大当り回数、パチンコ機２において確率変動状態が発生した回数である確変回数、並びに各大当り間のスタート回数１，２・・・とが、ホールコンピュータ１１０から入手した遊技関連情報に基づいて更新されるようになっており、会員管理コンピュータ１２０において、各パチンコ機２の遊技関連情報を把握、管理できるようになっていて、これら遊技関連情報テーブルに記憶されている当該遊技場に設置されている各パチンコ機２における遊技データが管理サーバ１４０に送信されて、後述する管理サーバ１４０の遊技関連情報テーブルに反映されることで、管理サーバ１４０においても各遊技場に設置された遊技機である各パチンコ機２の遊技関連情報を把握できるようになっている。尚、遊技関連情報テーブルには、図示しないが、パチスロ機４を個々に識別可能な遊技機識別情報である台番号に対応付けて、該パチスロ機４の機種や、レギュラーボーナス（ＲＢ）回数や、ビッグーボーナス（ＲＢ）回数や、ゲーム数等の各種遊技関連情報が記憶されており、これら遊技場に設置されているパチスロ機４における遊技データも管理サーバ１４０に送信されて、後述する管理サーバ１４０の遊技関連情報テーブルに反映される。
【００３９】
また、会員管理データベースを構成する予約情報テーブルには、図３（ｃ）に示すように、サイトサーバ１４にて受付けられた当該遊技場に設置されているパチンコ機２への予約が、営業開始前の所定時間において前記管理サーバ１４０から配信されることで記憶されており、該予約情報テーブルには、当該遊技場の会員遊技者のみならず、当該遊技場の会員遊技者ではなく、サイトサーバ１４による予約サイトのサイト会員のみである予約者も特定できるように、遊技場会員ＩＤとともに遊技者識別情報である予約サイトのサイト会員ＩＤとが、予約日と予約された遊技機であるパチンコ機２の台番号に対応付けて記憶されるようになっており、携帯電話１６に配信される後述する当選メールとともに、例えば携帯電話１６を忘れた場合等においても、これら遊技場会員ＩＤやサイト会員ＩＤによって予約者の本人確認を実施できるようになっている。
【００４０】
次いで、本実施例に用いた管理サーバ１４０とサイトサーバ１４の構成を図４を用いて説明すると、サイトサーバ１４はコンピュ−タ内部にてデータの送受を行うデータバス１８１に、後述する記憶装置１８４に記憶された処理プログラムに基づいて該サイトサーバ１４が実施する後述する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１通信部１８８と、前記インターネット網に接続された遊技者端末である携帯電話１６、並びに遊技場用端末となるノートパソコン１５０とデータの送受信を行う第２通信部１８９と、磁気ディスクや光磁気ディスクから成り、前記ＣＰＵ１８２が実施する携帯電話１６やノートパソコン１５０とのデータの送受（セッション）を管理するセッション管理処理や、優先入場の受付け並びに整理券データを含む当選メールの配信や、台予約の受付けや台予約の抽選に当選した当選メールの配信や、ノートパソコン１５０からの設定受付け等の後述する各種処理を実施するための処理プログラムや、サイトを構築・運営するための各種コンテンツファイルや各種ＨＴＭＬデータ等から成るＷＷＷ（ワールドワイドウェッブ）データ等の各種データが記憶された記憶装置１８４と、が接続された比較的高速の演算処理が可能なコンピュータとされている。
【００４１】
また、記憶装置１８４には、図１０（ａ）に一部略示するように、市販されているパチンコ機２の各機種の内、主たる機種を個々に識別可能な機種ＩＤに対応付けて、そのパチンコ機２の機種名や、タイプ、メーカー名、大当り確率、確変時確率、時短突入率、時間回数、賞球数、平均出玉等の各種のパチンコ機２の特性に関する台データが記憶されているとともに、該パチンコ機２に対してアクセス利用者から投票された投票数や、当該パチンコ機２の台画像データファイルへのパスデータや、当該パチンコ機２の実践データコンテンツファイルへのパスデータや、当該パチンコ機２のコラムコンテンツファイルへのパスデータや、当該パチンコ機２の業界ニュースコンテンツファイルへのパスデータや、当該パチンコ機２の動作映像を含むムービーコンテンツファイルへのパスデータや、当該パチンコ機２に使用されているキャラクタの映像を含む携帯電話１６に使用可能な待受画像コンテンツファイルへのパスデータや、当該パチンコ機２において使用されている演出音楽から成る携帯電話１６に使用可能な着メロコンテンツファイルのパスデータや、当該パチンコ機２におけるリーチアクションの映像（ムービー）を含むリーチアクションコンテンツファイルへのパスデータが記憶されているパチンコ台データテーブルが記憶されており、これら台データや台画像データが後述する機種情報ページ（図２５（ｄ）参照）としてアクセス利用者の携帯電話１６に配信されるとともに、これら機種情報ページに設けられている「実践データ」メニューや、「コラム」メニュー、「業界ニュース」メニュー、「ムービー」メニュー、「ムービー」メニュー、「待受画像」メニュー、「着メロ」メニュー、「リーチアクション」メニューが選択されることで、選択されたメニューに対応するコンテンツファイルへのパスが特定されて該特定されたパスに存在する各コンテンツファイルが読み出されて、該コンテンツファイルに基づくページやデータが携帯電話１６に配信されるようになっている。
【００４２】
また、記憶装置１８４には、図１０（ｂ）に示すように、市販されているパチスロ機４の各機種の内、主たる機種を個々に識別可能な機種ＩＤに対応付けて、そのパチンコ機２の機種名や、タイプ、メーカー名、ビッグボーナス（ＢＢ）確率、レギュラーボーナス（ＲＢ）確率の台データが記憶されているとともに、該パチスロ機４に対してアクセス利用者から投票された投票数や、当該パチスロ機４の台画像データファイルへのパスデータや、当該パチスロ機４の実践データコンテンツファイルへのパスデータや、当該パチスロ機４のコラムコンテンツファイルへのパスデータや、当該パチスロ機４の業界ニュースコンテンツファイルへのパスデータや、当該パチスロ機４の動作映像を含むムービーコンテンツファイルへのパスデータや、当該パチスロ機４に使用されているキャラクタの映像を含む携帯電話１６に使用可能な待受画像コンテンツファイルへのパスデータや、当該パチスロ機４において使用されている演出音楽から成る携帯電話１６に使用可能な着メロコンテンツファイルのパスデータや、当該パチスロ機４におけるリーチアクションの映像（ムービー）を含むリーチアクションコンテンツファイルへのパスデータが記憶されるパチスロ台データテーブルが記憶されており、これら台データや台画像データが前記パチンコ機２の機種情報ページ（図２５（ｄ）参照）と同様にアクセス利用者の携帯電話１６に配信されるとともに、これら機種情報ページに設けられている「実践データ」メニューや、「コラム」メニュー、「業界ニュース」メニュー、「ムービー」メニュー、「ムービー」メニュー、「待受画像」メニュー、「着メロ」メニュー、「リーチアクション」メニューが選択されることで、選択されたメニューに対応するコンテンツファイルへのパスが特定されて該特定されたパスに存在する各コンテンツファイルが読み出されて、該コンテンツファイルに基づくページやデータが携帯電話１６に配信されるようになっている。
【００４３】
また、記憶装置１８４には、前記各コンテンツファイルに加えて、図４に示すように、サイトサーバ１４により提供される本実施例の遊技用サービスサイト（ＪＧサイト）にてアクセス利用者に提供されるサイトのトップページの各メニュー項目に対応する各コンテンツファイル、具体的には、攻略法各コンテンツファイル、Ｑ＆Ａコンテンツファイル、メールマガジンコンテンツファイル、用語集コンテンツファイル、パチパチランキングコンテンツファイル、ゲームコンテンツファイル、シークレットコンテンツファイル等の各種コンテンツファイルが記憶されているとともに、その他、これら各コンテンツの配信や携帯電話１６やノートパソコン１５０とのセッション管理等に使用される各種データファイル、例えばログイン中のノートパソコン１５０に対応する遊技場を特定可能な本発明における遊技場特定情報となる遊技場ＩＤとノートパソコン１５０のＴＣＰ−ＩＰアドレス等が対応付けて記憶されるデータファイル等が記憶されている。
【００４４】
また、サイトサーバ１４の前記ＣＰＵ１８２は、後述するように、インターネット網を介してサイトサーバ１４のＷＷＷ（ワールドワイドウェッブ）サイトにアクセスしてきた遊技場の関係者（遊技場管理者）のログインに対して行う認証処理や、各種ページの配信処理や、各契約遊技場の遊技機の予約に関する情報や優先入場に関する情報を配信する処理や、遊技機の予約や優先入場の申し込みを受付けるための処理や、管理サーバ１４０からの指示により当選メールや落選メールの配信を実行する処理や、各遊技場の遊技場管理者から当該遊技場に関する各種の登録情報を受付けるための処理や、各遊技場の遊技場管理者から優先入場や台予約に関する各種設定項目の内容を受付けるための処理や、台予約や優先入場に当選したアクセス利用者（遊技者）が実際に遊技場に来場したかを確認するための後述する各種来店確認情報を受付けるための処理等を実施するようになっている。
【００４５】
また前記処理において発生するデータや受付けた各種データは、管理サーバ１４０に送信されて各種テーブルの更新等が実施される。つまり、ＣＰＵ１８２は各種処理において必要な情報があった場合には管理サーバ１４０とサイトサーバ１４とが協調して各種の処理を行う。
【００４６】
また、前記記憶装置１８４には、利用者並びに遊技場が使用する各情報端末のプラットホーム（オペレーティングシステム）等に依存せずに、どのプラットホームにおいても相互に使用可能なＨＴＭＬ（ハイパーテキストマークアップラングエッジ）に代表されるタグ形式による半構造化言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記各種処理プログラムとが協調して、サイト内の各種処理を実施するようになっている。
【００４７】
次に、本実施例の管理サーバ１４０はコンピュータ内部にてデータの送受を行うデータバス１４１に、モニタ等の表示装置１４６や、キーボードやマウス等の入力装置１４４や、後述する記憶装置１４５に記憶された処理プログラムに基づいて、該管理サーバ１４０が実施する後述する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、後述するサイト会員情報テーブル（図５（ａ））、サイト予約情報テーブル（図５（ｂ））、遊技関連情報テーブル（図６（ａ））、予約対象台テーブル（図６（ｂ））、優先入場情報テーブル（図７（ａ））、予約・優先入場状況テーブル（図７（ｂ））ランキングテーブル（図８）、遊技場情報テーブル（図９）等の各種テーブル等が記憶された記憶装置１４５と、が接続された比較的高速の演算処理が可能なコンピュータとされている。
【００４８】
また、本実施例の管理サーバ１４０のＣＰＵ１４２は、各遊技場に設置された会員管理コンピュータ１２０から遊技関連情報の更新データを受付けて、後述する遊技関連情報テーブルを更新する更新処理や、サイトサーバ１４へのアクセス利用者や遊技場管理者の認証に関する処理や、ノートパソコン１５０からサイトサーバ１４にて受付けた優先入場に関する優先入場情報を後述する優先入場情報テーブルに記憶（登録）する処理や、ノートパソコン１５０からサイトサーバ１４にて受付けた予約対象台に関する予約可能対象情報を予約対象台テーブルに記憶（登録）する処理や、サイトサーバ１４からの後述する整理券配信要求や予約要求の受信に基づいて該整理券配信要求や予約要求に基づく優先入場或いは台予約の申し込みを受付けるか否かを、所定のエラーの有無に基づいて判定するエラー判定処理や、サイトサーバ１４にて予約を受付けた遊技機の台番号と予約者のサイト会員ＩＤと予約日等の予約要求を後述するサイト予約情報テーブルに記憶する予約要求登録処理や、サイトサーバ１４にて優先入場の申し込みを受付けたアクセス利用者のサイト会員ＩＤを、申し込まれた遊技場と（申し込まれた優先入場の対象日）に対応付けて優先入場情報テーブルの申込者の項目に追加記憶する処理や、後述する予約抽選処理や、後述する整理券データ抽選処理や、後述する判定条件変更処理や、当選して確定した各遊技場における予約情報を、各遊技場の会員管理コンピュータ１２０に送信する予約情報送信処理等の各種処理を実施する。
【００４９】
本発明におけるサイト会員情報テーブルには、図５（ａ）に一部略示するように、各サイト会員を個々に識別可能とするためのサイト会員ＩＤに対応付けて、当該サイト会員の氏名（名字並びに名前）、性別、生年月日、職業、郵便番号、住所、電話番号、携帯電話番号等の個人情報や、交通手段、趣味、記念日、電子メールアドレス並びにダイレクトメールの送付の可否等からなるサイト会員の属性情報と、本実施例のサイト内の後述する収支帳簿メニューにて当該サイト会員にて入力された収支情報が記憶された収支データファイルへのパスデータと、当該サイト会員がお気に入りホールに登録した遊技場の遊技場ＩＤ（本実施例では最大１０件）と、各遊技場における当該サイト会員の遊技場会員ＩＤ（遊技場会員のみ）と、各遊技場において遊技場会員となってからの各遊技場における来店回数と、来店ポイントとが記憶されており、これらの記憶情報の内、来店回数や来店ポイントの情報は、各遊技場において会員登録を実施しているサイト会員のみが、当該会員となっている遊技場に設置されている前記会員管理コンピュータ１２０から定期的（１日に１回）に送られてくる更新情報に基づいて更新されるようになっている。
【００５０】
これらサイト会員情報テーブルに記憶されているサイト会員の属性情報は、サイトサーバ１４にて携帯電話１６から受付けた後述する遊技者登録要求に含まれるサイト会員の属性情報が、当該アクセス利用者に対して携帯電話会社にて予め付与されている顧客ＩＤを本発明における遊技者識別情報となるサイト会員ＩＤとし、該サイト会員ＩＤに対応付けて記憶されるようになっており、該サイト会員情報テーブルによって、本発明における遊技者登録要求受付け手段となるサイトサーバ１４にて受付けた遊技者登録要求に含まれる属性情報を、遊技者識別情報となるサイト会員ＩＤに対応付けて記憶するための本発明における利用者情報記憶手段が形成されている。
【００５１】
また、サイト会員情報テーブルに各サイト会員ＩＤに対応付けて記憶されている遊技場ＩＤは、アクセス利用者が後述するサイト内の「マイページ登録」メニューを選択することにより、携帯電話１６に配信中のページに該当する遊技場がアクセス利用者（遊技者）に指定されたものと判定して、該遊技場の遊技場ＩＤとアクセス利用者（遊技者）のサイト会員ＩＤとを含む後述するマイページ登録要求が該管理サーバ１４０に送信されることで、受信した遊技場ＩＤが受信したサイト会員ＩＤに対応する遊技場ＩＤの項目に記憶されるようになっており、該サイト会員情報テーブルによって、本発明における特別遊技場受付け手段となるサイトサーバ１４にて指定を受付けた遊技場を特定可能な遊技場特定情報となる遊技場ＩＤを当該アクセス利用者（遊技者）の遊技者識別情報であるサイト会員ＩＤに対応付けて記憶するための本発明における特別遊技場記憶手段が形成されている。
【００５２】
また、サイト会員情報テーブルに記憶されているサイト会員の属性情報のうち、氏名や電子メールアドレス以外の情報は、当該サイト会員の登録時に遊技場名と遊技場会員ＩＤの受付けがあった場合において、該遊技場名の遊技場に設置されている会員管理コンピュータ１２０から管理サーバ１４０が入手して記憶することで、遊技場において既に会員となっているアクセス利用者（遊技者）が、これら性別や生年月日等の各種属性情報を再度入力する必要がなく、これら入力の面倒を解消できるようになっている。
【００５３】
また、本実施例におけるサイト予約情報テーブルには、図５（ｂ）に示すように、サイトサーバ１４にてアクセス利用者である遊技者から台予約を受付けることで、該サイトサーバ１４から送信される予約要求に含まれる予約内容である、予約日と、予約された遊技機の遊技機識別情報である台番号と、該遊技機が設置されている遊技場の遊技場ＩＤと、予約を実施したサイト会員のサイト会員ＩＤと、当該サイト会員が予約を実施した遊技場の遊技場会員である場合において記憶される遊技場会員ＩＤとが、予約要求として記憶されるようになっており、該サイト予約情報テーブルの記憶内容に基づいて、同一の予約日対して複数の予約の受付けが存在する遊技機が特定されるとともに、各遊技場の遊技場管理者のノートパソコン１５０からの予約状況の確認において、指定された日付における当該遊技場の遊技場ＩＤが記憶されている予約が抽出されて予約状況として配信されるようになっている。
【００５４】
また、本実施例における遊技関連情報テーブルには、図６（ａ）に示すように、各遊技場の遊技場ＩＤに対応付けて、各遊技場の遊技場名と当該遊技場が属している地域コード（本実施例では郵便番号を利用）や、各遊技場に設置されている全ての遊技機（パチンコ機２とスロット機４を含む）の遊技機識別情報である台番号や、各台番号に対応付けて当該遊技機が翌日に予約可能であるか否かを示す「予約」の項目が記憶されており、更に、これら記憶された各台番号に対応付けて、当該遊技機の機種名と始動回数、大当り回数、確変回数、供給玉数、打込玉数、差玉数（出玉数）、各大当り間のスタート回数１，２・・・とから成る遊技関連情報（スロット機２の場合には図示しないが、ＲＢ回数、ＢＢ回数、ゲーム数等から成る遊技関連情報）が、前日から７日前までの１週間分に亘り記憶されていて、これら各遊技機場の遊技機の遊技関連情報は、図１２に示すように前記会員管理コンピュータ１２０から定期的に送信される更新データにより更新される。
【００５５】
また、前記した「予約」の項目には、各台番号の遊技機が、後述する予約対象台テーブルに記憶されている予約対象情報に基づいて、予約可能台であるか、具体的には、該台番号の遊技機が予約対象台番号に該当し、その時点において予約受付開始日を経過しているか否かにより、その時点において予約が可能な予約可能台であるか否かが判定され、予約可能台であると判定された場合には当該項目に「可」が登録（記憶）され、予約可能台ではないと判定された場合には、「不可」が記憶されることで、当該遊技機が予約可能な台であるか否かを迅速に把握できるようになっており、これら「予約」の項目における登録（記憶）情報に基づいて、後述するランキングテーブルにおける予約の可・不可が特定されて該ランキングテーブルに記憶された各遊技機の予約の内容が登録（記憶）され、該ランキングテーブルの情報が後述する昨日ランキングの各ランキングページおいてランキングされた各遊技機が予約可能な台であるかを、該登録（記憶）されている予約の内容に基づく「予約可」の表示の有無により、アクセス利用者が判断できるようになっている。
【００５６】
つまりは、該遊技関連情報テーブルにおいて、各遊技機識別情報である台番号に対応する遊技機が予約を可能とする遊技機か否かを識別可能な予約可否情報となる「可」または「不可」の情報が当該台番号に対応付けて記憶されるようになっており、該遊技関連情報テーブルによって本発明における予約可否情報記憶手段が形成されている。
【００５７】
この本実施例の遊技関連情報テーブルに記憶されている各遊技場の遊技機の遊技関連情報が更新される流れについて、図１２に基づいて説明すると、遊技場に設置された会員管理コンピュータ１２０は、前述のように、該会員管理コンピュータ１２０に通信接続されたホールコンピュータ１１０から当該遊技場に設置されている各遊技機（パチンコ機２やパチスロ機４）の遊技関連情報を、比較的高頻度となる所定時間毎に入手して図３（ｂ）に示す遊技関連情報テーブルを更新する。
【００５８】
つまり、会員管理コンピュータ１２０から受信（入力）された遊技関連情報と遊技機識別情報である台番号とが対応付けて遊技関連情報テーブルに記憶されるようになり、該遊技関連情報テーブルによって本発明における遊技関連情報記憶手段が形成されている。
【００５９】
このようにして更新されることで管理されている遊技機（パチンコ機２やパチスロ機４）毎の遊技関連情報は、比較的低頻度となる所定時間毎に、該遊技関連情報テーブルに記憶されている各遊技機の遊技関連情報が、対応する台番号並びに遊技場ＩＤを含む更新データとともに管理サーバ１４０に送信されることで、該更新データを受信した（入力された）管理サーバ１４０が、受信した更新データに含まれる遊技場ＩＤと台番号とに対応して図６（ａ）の遊技関連情報テーブルに記憶されている遊技関連情報を更新することで、各遊技場に設置されている全ての遊技機（パチンコ機２やパチスロ機４）の遊技関連情報、つまりは予約可能な遊技機だけではなく、予約可能ではない遊技機の遊技関連情報も含めて管理されるようになっている。尚、この際、各遊技機の予約可否が、前述のように後述する予約対象台テーブルに記憶されている予約対象情報に基づいて判定されて、該予約の可否が各遊技機に対応する「予約」の項目に記憶される。尚、図６（ａ）には、パチンコ機に対応する遊技関連情報のメニュー内容を示したが、該遊技関連情報テーブルにはパチスロ機４に対応する遊技関連情報のメニュー（例えば、ＢＢ回数やＲＢ回数やゲーム数や出メダル数等）も図示しないが設けられている。
【００６０】
つまりは、このようにして管理サーバ１４０が、予約を可能とする遊技機、並びに予約を不能とする遊技機の遊技機識別情報である台番号と当該遊技機での遊技に関連して発生する遊技関連情報を会員管理コンピュータ１２０から受信する遊技関連情報受信処理を実施するとで、該遊技関連情報受信処理により本発明における遊技関連情報入力手段並びに遊技関連情報入力ステップが形成され、該遊技関連情報入力ステップにて受付けた会員管理コンピュータ１２０からの遊技機識別情報である台番号と遊技関連情報とを対応付けて遊技関連情報テーブルに記憶する遊技関連情報記憶処理を実施することで、該遊技関連情報記憶処理により本発明における遊技関連情報記憶ステップが形成されている。そして、これら遊技関連情報記憶処理において、前述のように、管理サーバ１４０が、各遊技機識別情報である台番号に対応付けて当該遊技機が予約を可能とする遊技機か否かを識別可能な予約可否情報を記憶しており、該遊技関連情報記憶処理によって予約可否情報記憶ステップが形成されている。
【００６１】
このようにして遊技場に設置されている各遊技機（パチンコ機２やパチスロ）の遊技関連情報が遊技関連情報テーブルにて管理されていることで、これら各遊技機（パチンコ機２やパチスロ）の昨日の遊技関連情報に基づいて、図８のランキングテーブルにおける当該遊技場における各遊技関連情報別の昨日のベスト１０やワースト１０の昨日ランキングが決定され、該決定された各順位の台番号や機種名や大当り回数、出玉数、確変回数…等の遊技関連情報が自動的に記憶されてランキングテーブルが更新されるランキングテーブル更新処理が管理サーバ１４０において実施されるようになっているとともに、図４０（ａ）に示す後述する「昨日ランキング」の項目（メニュー）の選択において、これらランキングテーブルに記憶されている各ランキングにおける予約が可能でない遊技機の台データ並びに予約が可能な遊技機の台データとがアクセス利用者（遊技者）に配信される昨日ランキングページ配信処理が実施されるとともに、予約が可能である遊技機には予約可の表示が対応付けてなされることで、アクセス利用者（遊技者）は、予約が可能な遊技機がどれであるかを容易に認識できるようになっている。つまりは、前記ランキングテーブル更新処理において、前記遊技関連情報入力ステップとなる遊技関連情報受信処理にて受信（入力）された遊技関連情報となる遊技関連情報テーブルに記憶された遊技関連情報と、遊技機が予約を可能とする遊技機か否かを識別可能な予約可否情報とが、ランキングテーブルに更新記憶されており、該ランキングテーブル更新処理によっても、本発明における遊技関連情報記憶ステップが形成されているとともに予約可否情報記憶ステップが形成されている。
【００６２】
また、本実施例における予約対象台テーブルには、図６（ｂ）に示すように、各遊技場の遊技場ＩＤに対応付けて、当該遊技場の遊技場名や、該遊技場における予約を許容すると判定される判定条件となる予約許容禁止フラグの変更に使用される適用来店率や、当該遊技場において台予約を実施する日付となる予約日や、該予約日において予約対象とする台の台番号（始番と終番）が記憶される予約対象台番号や、当該台番号の遊技機の機種名や、当該台番号の遊技機の予約の受付けを開始する予約受付け開始日や、後述する予約抽選処理を実施して抽選結果（後述する当選メールまたは落選メール）を、台予約を申し込んだアクセス利用者（遊技者）に通知（配信）する日が記憶される通知日とが記憶されるようになっており、これらの予約対象台テーブルに記憶されている予約対象台に関する予約可能対象情報は、遊技場の関係者（遊技場管理者）が、ノートパソコン１５０からサイトサーバ１４にアクセスして、後述する台予約設定ページ１〜３（図２２（ｃ）〜（ｄ）参照）において予約可能台を設定することで、該設定された予約可能台の設定内容が該予約対象台テーブルに登録（記憶）されるようになっている。つまりは、該予約対象台テーブルにおいて、前記予約可能対象情報受付手段並びに予約可能対象情報受付ステップとなる後述する予約可能対象情報受付処理において受付けた遊技機の予約を可能とする期間（予約日）を特定可能な情報と、当該期間において予約を可能とする遊技機の遊技機識別情報となる台番号とを含む予約可能対象情報が記憶されており、該予約対象台テーブルによって本発明における予約可能対象情報記憶手段が形成されている。
【００６３】
また、本実施例の優先入場情報テーブルには、図７（ａ）に示すように、各遊技場の遊技場識別情報となる遊技場ＩＤに対応付けて、当該遊技場の遊技場名と、優先入場に使用される整理券データを配信すると判定される判定条件となる整理券配信禁止フラグの変更に使用される適用来店率や、当該遊技場において優先入場番号を含む整理券データを用いた優先入場を実施する日付となる対象日や、当該対象日の優先入場の申込の受付けを開始する開始日が記憶される受付開始日や、当該対象日における整理券データに使用可能な優先入場番号が記憶される配信可能優先入場番号や、後述する整理券データ抽選処理を実施して抽選結果（後述する当選メールまたは落選メール）を優先入場を申し込んだ申込者であるアクセス利用者（遊技者）に通知（配信）する日が記憶される通知日や、当該遊技場の当該対象日に優先入場を申し込んだアクセス利用者（遊技者）のサイト会員ＩＤが追加記憶される申込会員とが記憶されるようになっており、これらの優先入場情報テーブルに記憶されている優先入場情報は、遊技場の関係者（遊技場管理者）が、ノートパソコン１５０からサイトサーバ１４にアクセスして、後述する優先入場設定ページ（図２１（ｃ）参照）において、該優先入場設定ページ内の各項目の内容を入力して設定することで、該入力された設定内容が該優先入場情報テーブルに当該遊技場の遊技場ＩＤに対応付けて記憶されるようになっている。つまりは、該優先入場情報テーブルによって、本発明における優先入店情報受付け手段となるサイトサーバ１４にて受付けた優先入店情報となる優先入場情報を記憶するための本発明における優先入店情報記憶手段が形成されている。
【００６４】
また、本実施例の予約・優先入場状況テーブルには、図７（ｂ）に示すように、遊技者識別情報である各サイト会員ＩＤに対応付けて、後述する予約抽選処理において予約を許容すると判定されることに基づいて、本発明の予約情報となる該許容された予約の予約日と予約した遊技機が設置されている対象遊技場の遊技場ＩＤと台番号とが記憶されているとともに、当該サイト会員であるアクセス利用者（遊技者）が当選した整理券データの優先入場日と該優先入場の対象となる対象遊技場の遊技場ＩＤと当選した優先入場番号とが記憶されている。
【００６５】
つまり、該予約・優先入場状況テーブルにおいて、本発明における判定手段となる後述する予約抽選処理において予約を許容すると判定されたことを条件に、予約要求受付け手段となるサイトサーバ１４にて予約要求として受付けた遊技機識別情報である台番号と、遊技者が予約を希望する日付である予約日と、遊技者識別情報となるサイト会員ＩＤとが対応付けて予約情報として記憶されようになっており、該予約・優先入場状況テーブルによって本発明における予約情報記憶手段並びに予約状況記憶手段が形成されている。
【００６６】
また、該予約・優先入場状況テーブルにおいて、後述する整理券データ抽選処理にて整理券データを配信すると判定されることで配信された当選メールに含まれる整理券データの対象となる日付である優先入場日が、該当選メールが配信されたアクセス利用者（遊技者）の遊技者識別情報となるサイト会員ＩＤに対応付けて記憶されるようになっており、該予約・優先入場状況テーブルによって本発明における優先入店状況記憶手段が形成されている。
【００６７】
また、本実施例の予約・優先入場状況テーブルには、図７（ｂ）に示すように、各サイト会員ＩＤに対応付けて、当該サイト会員がお気に入りホールに登録している遊技場の各遊技場ＩＤが記憶されているとともに、これら各遊技場ＩＤ毎に、当該遊技場を対象遊技場とする台予約に所定期間（本実施例では最近３ヶ月）において当選（未抽選による当選を含む）した回数である予約回数や、該台予約に当選した際に該対象遊技場に来店した回数である予約時来店回数や、予約時来店回数を予約回数にて除した予約時来店率と、当該遊技場を対象遊技場とする整理券データに所定期間（本実施例では最近３ヶ月）において当選（未抽選による当選を含む）した回数である優先入場回数や、該優先入場に当選した際に該対象遊技場に来店した回数である優先入場時来店回数や、優先入場時来店回数を優先入場回数にて除した優先入場時来店率や、前記予約時来店回数と優先入場時来店回数との和を予約回数と優先入場回数との和にて除した予約または優先入場時来店率や、当該アクセス利用者（遊技者）の台予約を許容すると判定する判定条件を成す予約許容禁止フラグと、当該アクセス利用者（遊技者）へ整理券データを含む後述する当選メールの配信をするか否かを判定する判定条件を成す整理券配信禁止フラグとが記憶されるようになっており、本実施例では、予約回数、予約時来店回数、優先入場回数、優先入場時来店回数が、前々月、前月、今月の各区分毎の回数に分かれて記憶されるようになっており、月が更新される毎、つまりは月初となる毎月１日に、それまで前々月に記憶されていた回数が削除され、前月の回数が前々月に、今月の回数が前月に更新されることで、前々月と前月と今月の最近３ヶ月の各回数を管理、集計できるようになっている。
【００６８】
尚、本実施例では、図７（ｂ）に示すように、予約回数や優先入場回数の和が所定回数、具体的には５回に達していない場合には各来店率を算出しないようにしており、このようにすることで、例えば、初期において１回の台予約や優先入場に当選したときに、たまたま急用等で来店できなかったアクセス利用者（遊技者）の場合、各来店率が「０％」となってしまうことで、後述する判定条件変更処理により前述の予約許容禁止フラグや整理券配信禁止フラグのデータが禁止を示す「１」のデータに変更されてしまうことがないようにされている。
【００６９】
つまり、該予約・優先入場状況テーブルにおいて、各アクセス利用者（遊技者）のサイト会員ＩＤに対応付けて、所定期間における前記予約情報として記憶した当該アクセス利用者（遊技者）の予約の回数を特定可能な情報である予約回数が記憶されるようになっており、該予約・優先入場状況テーブルによって本発明における予約回数記憶手段が形成されている。
【００７０】
更には、該予約・優先入場状況テーブルにおいて、各アクセス利用者（遊技者）のサイト会員ＩＤに対応付けて、前記予約・優先入場状況テーブルにおける予約回数に記憶された予約の対象日における来店回数、つまりは、予約・優先入場状況テーブルにおける予約回数の記憶対象とされた所定期間における、遊技場の関係者（遊技場管理者）がノートパソコン１５０より後述する台予約来店入力ページにて入力された各情報を含む予約時来店確認情報に基づく当該アクセス利用者（遊技者）の各予約の対象日における来店回数を特定可能な情報となる予約時来店回数が記憶されるようになっており、該予約・優先入場状況テーブルによって本発明における予約時来店回数記憶手段が形成されている。
【００７１】
更には、該予約・優先入場状況テーブルにおいて、各アクセス利用者（遊技者）のサイト会員ＩＤに対応付けて、所定期間における本発明の整理券データ配信手段となる後述する整理券データ抽選処理により当該アクセス利用者（遊技者）への整理券データを含む当選メールの配信回数を特定可能な情報となる優先入場回数が記憶されるようになっており、該予約・優先入場状況テーブルによって本発明における整理券データ配信回数記憶手段が形成されている。
【００７２】
更には、該予約・優先入場状況テーブルにおいて、各アクセス利用者（遊技者）のサイト会員ＩＤに対応付けて、前記予約・優先入場状況テーブルにおける優先入場回数に記憶された整理券データを用いた優先入場の対象日における来店回数、つまりは、予約・優先入場状況テーブルにおける優先入場回数の記憶対象とされた所定期間における、遊技場の関係者（遊技場管理者）がノートパソコン１５０より後述する優先入場来店入力ページにて入力された各情報を含む優先入場時来店確認情報に基づく当該アクセス利用者（遊技者）の各優先入場の対象日における来店回数を特定可能な情報となる優先入場時来店回数が記憶されるようになっており、該予約・優先入場状況テーブルによって本発明における優先入店時来店回数記憶手段が形成されている。
【００７３】
これら予約・優先入場状況テーブルに記憶された予約情報が各会員管理コンピュータ１２０に配信される流れについて、図１３に基づき説明すると、管理サーバ１４０は、営業開始前の所定時間に、各遊技場の遊技場ＩＤが対象遊技場に記憶されているとともに、本日を予約日に含む予約情報の台番号とサイト会員ＩＤと該サイト会員の当該遊技場の遊技場会員ＩＤ（サイト会員情報テーブルに登録がある場合のみ）を予約リストとしてすべて抽出し、抽出した予約リストを予約情報として対応する各遊技場の会員管理コンピュータ１２０に対して送信する。
【００７４】
この予約情報を受信した会員管理コンピュータ１２０においては、本日の日付に対応付けて、受信した予約情報に含まれる台番号とサイト会員ＩＤと存在する場合には遊技場会員ＩＤとを対応付けて予約情報テーブルに記憶することで、予約情報テーブルを更新する。尚、これら予約情報テーブルに記憶された本日において予約された予約台の情報は、会員管理コンピュータ１２０において所定操作を実施することにより、表示装置１２６やプリンタ１２７にて出力され、これら印刷出力された本日において予約された予約台リストは、予約者の来店／非来店の確認等に好適に使用することができるようになっている。
【００７５】
また、本実施例のランキングテーブルには、図８に示すように、各遊技場の遊技場ＩＤ毎に、１位から１０位までのベスト１０とワースト１０のランキング情報が、パチンコ機においては大当り回数と差玉（出玉）数と確変回数（図示せず）それぞれの各遊技関連情報別に、パチスロ機４においてはメダルの差枚数やビッグボーナス回数（図示略）等の各遊技関連情報別に記憶されている。この各遊技関連情報におけるランキング情報には、各遊技場における当該遊技関連情報に関する１位から１０位までの台番号と、各台番号に対応付けて当該遊技機の機種名と、当該順位付けに使用された当該遊技関連情報の値、具体的には、大当りベスト（ワースト）１０であれば、当該順位付けに使用された当該遊技関連情報である大当り回数が、また、差玉ベスト（ワースト）１０であれば、当該順位付けに使用された当該遊技関連情報である差玉数が記憶されているとともに、当該遊技機が翌日の営業開始時点において予約可能であるか否かが、前記遊技関連情報テーブルにおける「予約」の項目の記憶内容に基づいて記憶されるようになっている。
【００７６】
また、本実施例の遊技場情報テーブルには、図９に示すように、各遊技場の遊技場ＩＤに対応付けて、当該遊技場の関係者（遊技場責任者）がサイトサーバ１４にログインする際に必要となるパスワードと、当該遊技場の遊技場名と、郵便番号と、都道府県、市区町村、その他の住所、建物名を含む住所と、最寄り駅からの時間と交通手段が記憶される最寄り駅＆交通手段と、営業時間と、パチンコ玉と特殊景品との交換率であるＰレートと、スロット玉と特殊景品との交換率であるＳレートと、当該遊技場に設置されているパチンコ機２の台数であるＰ台数と、当該遊技場に設置されているパチスロ機４の台数であるＳ台数と、駐車場の有無または駐車可能台数が記憶される駐車場と、休日の有無または休日の曜日等が記憶される休日と、遊技場の関係者（遊技場責任者）の氏名が記憶される担当者名と、該担当者となる遊技場の関係者（遊技場責任者）の電子メールアドレス（ノートパソコン１５０にて受信可能な電子メールアドレス）と、当該遊技場の電話番号と、当該遊技場のファックス番号と、当該遊技場を経営する法人の法人名と、該法人の代表者名と、当該遊技場に設置されている遊技機の機種の情報を含む設置機種データへのパスデータが記憶される設置機種と、ノートパソコン１５０に配信される後述する出玉情報入力ページや出玉情報更新・削除ページ（図１９参照）にて入力、編集される出玉情報を含む出玉情報データへのパスデータが記憶される出玉情報と、ノートパソコン１５０に配信される後述するお得情報入力ページやお得情報更新・削除ページ（図２０参照）にて入力、編集されるお得情報を含むお得情報データへのパスデータが記憶されるお得情報と、ノートパソコン１５０からアップロードされる遊技場の写真データや写真を含む写真館ページから成る写真館情報データへのパスデータが記憶される写真館情報と、当該遊技場をお気に入りホールとして登録しているサイト会員の会員数が記憶されるマイページ登録者数とが記憶されるようになっており、これら上記した設置機種以下の情報以外の情報（基本情報、但しマイページ登録者数を除く）は、ノートパソコン１５０に配信される後述する詳細登録１ページや詳細登録２ページにおいて遊技場の関係者（遊技場責任者）が入力することでサイトサーバ１４にて受付けた各内容が登録（記憶）されるようになっている。
【００７７】
尚、本実施例では、これら遊技場情報テーブルに記憶されている情報は、サイトにおいて一般に公開する情報であることから、必要とされる秘匿性が低いので、これら遊技場情報テーブルのパスワードを除く各データをサイトサーバ１４と共有するようにしており、これによって、サイトサーバ１４においても、遊技場名から遊技場ＩＤを特定したり、遊技場ＩＤから遊技場名や住所や設置機種データへのパスデータや、出玉情報へのパスデータや、お得情報へのパスデータを特定できるようになっている。
【００７８】
次に、これら管理サーバ１４０に記憶されている各テーブルの記憶データの記憶や更新がなされる流れについて、以下に説明する。
【００７９】
まず、図５（ａ）に示すサイト会員情報テーブルへの登録（記憶）が実施される流れを、図１１に基づいて説明すると、これら会員情報テーブルへの登録（記憶）はサイト会員への会員登録により実施されるようになっており、前記サイトサーバ１４による本実施例の遊技用サービスサイト（ＪＧサイト）に、当該サイトに会員登録していないアクセス利用者（遊技者）がアクセスしてきた場合には、これら会員登録していないアクセス利用者（ゲスト）に対して図４１（ａ）に示す非会員ＴＯＰページが配信され、該配信された非会員ＴＯＰページにおける「会員登録」を、アクセス利用者（ゲスト）が選択入力することによりアクセス利用者（ゲスト）の携帯電話１６に個人情報入力ページ（図４１（ｄ）参照）が配信されて表示され、該個人情報入力ページにて会員登録に必要な属性情報である氏名、生年月日、性別、電子メールアドレス等から成る個人情報、或いはカード管理会社と利用契約している遊技場において既に会員となっているアクセス利用者（ゲスト）の場合は、氏名と電子メールアドレスと会員となっている遊技場名と該遊技場における会員ＩＤとを含む、本発明における遊技者登録要求となるサイト会員登録要求を受付けるサイト会員登録要求受付け処理がサイトサーバ１４において実施される。つまり、本実施例のサイトサーバ１４は、遊技者端末となる携帯電話１６からアクセス利用者（遊技者）の属性情報を含む遊技者登録要求となるサイト会員登録要求を受付けるサイト会員登録要求受付け処理を実施し、該サイト会員登録要求受付け処理によって本発明における遊技者登録要求受付け手段並びに遊技者登録要求受付けステップが形成されている。
【００８０】
これらサイト会員登録要求受付け処理においてアクセス利用者（ゲスト）に配信される各ページと、これら各ページにて受付けられる内容について図４１に基づき説明すると、サイト会員登録を実施していないアクセス利用者（ゲスト）が本実施例の遊技用サービスサイト（ＪＧサイト）にアクセスしてきた場合には、本実施例のサイトが携帯電話会社の公式サイトであることから、該携帯電話会社の前記ゲートウエイサーバ１５により、携帯電話１６から該ゲートウエイサーバ１５を介してサイトサーバ１４が受信する受信データのデータヘッダ、具体的にはＨＴＴＰリクエストヘッダに、携帯電話会社側が該携帯電話１６を所有するアクセス利用者に対して固有に付与した顧客ＩＤが含まれているので、サイトサーバ１４は、これら顧客ＩＤを含む認証要求を管理サーバ１４０に送信することで、管理サーバ１４０において認証要求に含まれる顧客ＩＤ（後述するように本実施例ではサイト会員ＩＤに同一）がサイト会員情報テーブルに記憶されているか否かにより、当該アクセス利用者がサイト会員であるか否かが判定される認証処理が実施され、顧客ＩＤがサイト会員情報テーブルに記憶されていないことでアクセス利用者がサイト会員ではない非会員（ゲスト）であるアクセス利用者であると判定された場合には、その判定結果がサイトサーバ１４に通知されることにより、サイトサーバ１４よりアクセス利用者（ゲスト）の携帯電話１６に対して、図４１（ａ）に示す非会員ＴＯＰページが配信される。
【００８１】
この非会員ＴＯＰページには、図４１（ａ）に示す如く、アクセス利用者が会員登録していない旨を報知するとともに、利用規約を確認した後に会員登録を促すメッセージが含まれているとともに、該ページの下方位置には、「このページについて」や、「会員登録」や、「会員規約」、「ブックマーク登録」の各項目（メニュー）が設けられている。
【００８２】
アクセス利用者（ゲスト）が上記したメッセージに従って会員登録するために、該非会員ＴＯＰページにおいて「会員登録」のメニュー項目を選択すると、図４１（ｂ）に示す会員規約に同意するか否かの確認ページが配信される。この図４１（ｂ）に示す確認ページには、「会員規約に同意する」、「規約はこちら」、「戻る」の選択項目が設けられており、該図４１（ｂ）の確認ページにおいて、「規約に同意する」の項目を選択すると、図４１（ｄ）に示す会員登録のページが配信され、「規約はこちら」の項目を選択すると、図４１（ｃ）に示す会員規約が記載されたページが配信される。
【００８３】
また、図４１（ｂ）に示す確認ページにおいて、「戻る」の項目を選択すると、１つ前の表示画面である図４１（ａ）のＴＯＰページが再び表示される。この「戻る」の選択項目は、本実施例におけるサイトのその他の配信ページにも設けられており、何れのページにおいても、これら「戻る」の項目を選択すると１つ手前の画面（ページ）が表示されるようになっている。
【００８４】
この図４１（ｄ）に示す本実施例の会員登録ページには、遊技者の「名前」、「フリガナ」、「電子メールアドレス」の入力部と、アクセス利用者（ゲスト）が遊技場会員である場合において該会員となっている遊技場の遊技場名や遊技場会員ＩＤを入力する「遊技場名」と「会員ＩＤ」の入力部（最大１０件）や、アクセス利用者（ゲスト）が遊技場会員ではなく「遊技場名」と「会員ＩＤ」を入力しない場合において会員登録に必要となる属性情報である「生年月日」、「性別」などの入力部（性別においては選択部）が設けられている。
【００８５】
この図４１（ｄ）の会員登録ページにおいて、遊技場会員ではないアクセス利用者は、「名前」、「生年月日」、「メールアドレス」に加えて、「生年月日」、「性別」などの会員登録に必要となる属性情報を入力するとともに、当該アクセス利用者が遊技場会員であるならば、該会員となっている遊技場の遊技場名と該遊技場における自己の遊技場会員ＩＤを「遊技場名」と「会員ＩＤ」の各入力項目に対応する入力部に入力することで、該入力した遊技場名の遊技場に設置されている会員管理コンピュータ１２０の会員情報テーブルに既に記憶されている「名前」、「メールアドレス」以外の個人情報や来店ポイントや来店回数を含む会員属性情報が、後述するように該会員管理コンピュータ１２０から取得されて自動登録（記憶）されることで、これら属性情報を入力する手間を省けるようになっている。尚、アクセス利用者が遊技場会員ではない場合、すなわち「遊技場名」と「会員ＩＤ」への入力がない場合には、「性別」、「郵便番号」、「住所」、「電話番号」…等の詳細な属性情報の入力が必須とされる。
【００８６】
アクセス利用者が、例えば図４１（ｄ）に示すように遊技場会員であって「遊技場名」と「会員ＩＤ」を入力し、「次へ」を選択すると図４１（ｅ）に示す登録情報確認ページが配信され、該ページには、名前とフリガナと電子メールアドレスと、入力された遊技場の遊技場名と、会員ＩＤとを含む入力した入力情報の一覧が表示される。そして、アクセス利用者が、当該表示内容を確認した後に該ページに設けられている「登録」を選択すると、サイトサーバ１４から、アクセス利用者より受付けた属性情報や遊技場名や当該遊技場の遊技場会員ＩＤを含む前述のサイト会員登録要求が管理サーバ１４０に送信される。
【００８７】
このようにしてサイト会員登録要求の受信による前記サイト会員登録受付け処理を実施したサイトサーバ１４は、前述したようにＨＴＴＰリクエストヘッダに含まれる顧客ＩＤを特定（取得）し、図１１に示すように、該特定した顧客ＩＤを含む課金設定要求を携帯電話会社に送信し、当サイト利用料のアクセス利用者からの代理徴収を携帯電話会社に依頼するとともに、該顧客ＩＤとアクセス利用者（ゲスト）の属性情報または氏名と電子メールアドレスと遊技場名から特定される遊技場ＩＤと遊技場会員ＩＤとを管理サーバ１４０に送信する。
【００８８】
そして、該送信を受けて管理サーバ１４０では、受信した顧客ＩＤをサイト会員ＩＤとし、該サイト会員ＩＤと属性情報を対応付けてサイト会員情報テーブルに登録（記憶）し、受信がある場合は遊技場ＩＤ、遊技場会員ＩＤ並びに氏名と電子メールアドレスとをサイト会員ＩＤに対応付けてサイト会員情報テーブルに登録（記憶）した後、サイトサーバ１４に対して登録完了通知を送信する。
【００８９】
すなわち管理サーバ１４０は、本発明における遊技者登録要求受付け手段並びに遊技者登録要求受付けステップとなる前記サイト会員登録要求受付け処理にて受付けた遊技者登録要求となるサイト会員登録要求に含まれる属性情報を、本発明における遊技者識別情報となるサイト会員ＩＤに対応付けてサイト会員情報テーブルに登録（記憶）する遊技者情報記憶処理を実施し、該遊技者情報記憶処理によって本発明における利用者情報記憶ステップが形成されている。
【００９０】
そして、前述した登録完了通知の送信を受けてサイトサーバ１４は、図４１（ｆ）に示す登録完了ページをアクセス利用者（ゲスト）の携帯電話１６に配信する。尚、本実施例の登録完了ページには、本実施例のサイトが公式サイトであるために、サイトへのログインに際して会員ＩＤやパスワード等の入力が必要ないことを報知するためのメッセージが含まれている。
【００９１】
一方、登録完了通知の送信後において管理サーバ１４０では、サイト会員ＩＤとともに遊技場ＩＤと遊技場会員ＩＤとがサイト会員情報テーブルに新規に登録（記憶）された場合には、当該新規登録された遊技場ＩＤにより特定される遊技場に設置されている会員管理コンピュータ１２０に対して、新規登録した遊技場会員ＩＤに対応する遊技場会員の会員属性情報の送信要求を送信する。
【００９２】
この会員属性情報の送信要求を受信した会員管理コンピュータ１２０は、該受信した会員属性情報の送信要求に含まれる遊技場会員ＩＤに一致する記憶が図３に示す会員情報テーブルに存在するか否かを確認し、存在する場合には、会員情報テーブルにおいて受信した遊技場会員ＩＤに対応して記憶されている来店ポイント（Ｐｔ．）や来店回数、並びに郵便番号、住所、電話番号、携帯電話番号、交通手段、趣味、記念日等を含む会員属性情報と当該遊技場会員ＩＤと遊技場ＩＤとを管理サーバ１４０に対して返信する。
【００９３】
この返信に基づいて管理サーバ１４０は、サイト会員情報テーブルにおいて受信した遊技場ＩＤと遊技場会員ＩＤと同一の遊技場ＩＤと遊技場会員ＩＤが記憶されているサイト会員ＩＤを特定し、該特定したサイト会員ＩＤに対応する会員属性情報の各項目に、受信した来店ポイント（Ｐｔ．）や来店回数等を含む各会員属性情報を記憶することで、サイト会員登録時においてサイト会員情報テーブルにて未登録となっている属性情報や来店ポイント（Ｐｔ．）や来店回数が登録（記憶）される。
【００９４】
また、遊技場に設置されている会員管理コンピュータ１２０からは、図１１に示すように、定期的（本実施例では一日の所定時間に１回）に、会員管理コンピュータ１２０が記憶管理している各会員遊技者の来店ポイント（Ｐｔ．）や来店回数等を含む各会員属性情報と遊技場会員ＩＤとを含む更新データが管理サーバ１４０に送信されることで、該更新データを受信した管理サーバ１４０が、受信した更新データに基づいてサイト会員情報テーブルを更新することで、来店ポイント（Ｐｔ．）や来店回数や変更があった属性情報が最新のデータに更新、管理される。
【００９５】
次に、本実施例のサイトサーバ１４にて遊技場の関係者（遊技場管理者）に提供される遊技場管理者用サイトにおいて、該サイトサーバ１４にてアクセス利用者（遊技者）に提供される本実施例の遊技用サービスサイト（ＪＧサイト）において提供される各種の情報を登録する流れや、遊技場における整理券データを用いた優先入場を設定する流れや、遊技場における予約可能台を設定する流れや、整理券データを含む当選メールの配信を受けたアクセス利用者（遊技者）の来店状況や台予約に当選したアクセス利用者（遊技者）の来店状況を入力する流れ等について、図１４並びに図１５〜図２４に基づいて以下に説明する。
【００９６】
尚、遊技場とカード管理会社との間においては、既に本実施例の遊技用サービスサイト（ＪＧサイト）の利用契約が締結されていることで、カード管理会社側において、前記遊技場情報テーブルに、カード管理会社が該遊技場に固有に付与した遊技場ＩＤとパスワードとが既に登録されているとともに、これら登録済みの遊技場ＩＤとパスワードと、遊技場管理者用サイトのＵＲＬとが遊技場の関係者（遊技場管理者）に通知されているものとする。
【００９７】
本実施例では、図１５（ａ）に示すように、遊技場管理者がノートパソコン１５０において、前記遊技場管理者用サイトのＵＲＬを入力することで遊技場管理者用サイトにアクセスすると、図１５（ｂ）に示す管理者ログインページがサイトサーバ１４から配信されて表示される。
【００９８】
この管理者ログインページには、図１５（ｂ）に示すように、カード管理会社から遊技場管理者に対して通知された「遊技場ＩＤ」と「パスワード」を入力するための入力部が設けられおり、該入力部に「遊技場ＩＤ」と「パスワード」を入力した後、「ログイン」を選択することに基づいて、該入力された「遊技場ＩＤ」と「パスワード」とを含む管理者認証要求がサイトサーバ１４から管理サーバ１４０に送信されることで、管理サーバ１４０において、該管理サーバ１４０に記憶されている遊技場情報テーブルに、該管理者認証要求に含まれる「遊技場ＩＤ」に対応して記憶されているパスワードと、管理者認証要求に含まれるパスワードとの照合が実施され、その照合結果がサイトサーバ１４に送信され、該照合結果が、照合が一致したことを示す照合結果である場合において、サイトサーバ１４から遊技場管理者のノートパソコン１５０に、図１５（ｄ）に示す管理者用トップページが配信される。尚、照合結果が、照合が一致しない照合結果である場合には、ログインエラーとなり、「ＩＤとパスワードが一致しません。」などのエラーメッセージが記載された図１５（ｃ）のページが配信されることで、図１５（ｄ）に示す管理者用トップページには、遊技場の遊技場管理者以外がログインできないようになっている。
【００９９】
この図１５（ｄ）に示す本実施例の管理者用トップページは、各遊技場毎に用意されており、該管理者用トップページには、図１５（ｄ）に示す如く、「基本情報」、「設置機種情報」、「出玉情報」、「お得情報」、「優先入場」、「台予約」、「来店入力」、「写真館」のメニュー項目が選択可能に設けられている。尚、図１５（ｄ）の管理者用トップページには遊技場名が表示されているが、後述する基本情報を登録するまでは、これら遊技場名には遊技場ＩＤが遊技場名に代えて表示される。また、該管理者用トップページの下部には、遊技場情報テーブルにおいて集計されている、当該遊技場をお気に入りホールに登録しているサイト会員の会員数が「マイページへ登録  ○○人」として表示されることで、アクセス時点においてどの程度のサイト会員が自遊技場を気に入りホールに登録しているかを確認できるようになっている。
【０１００】
まず、図１６（ａ）の管理者用トップページ（前述の図１５（ｄ）に同じ）おいて「基本情報」の項目を選択すると、該選択に基づいてサイトサーバ１４は、図１６（ｂ）並びに図１６（ｃ）に示す詳細登録１ページ並びに詳細登録２ページを配信する。
【０１０１】
この詳細登録１ページ並びに詳細登録２ページには、図１６（ｂ）並びに図１６（ｃ）に示すように、遊技場情報テーブルに登録（記憶）されるととで、遊技用サービスサイトにアクセスしてきたアクセス利用者（遊技者）に配信される当該遊技場に関する各種の情報を入力する。具体的には、当該遊技場の遊技場名を入力するための「ホール名」と、郵便番号を入力するための「〒」と、都道府県（ポップアップメニューから選択）と、市区町村（ポップアップメニューから選択）と、都道府県と市区町村以外の住所を入力するための「その他の住所」と、建物名を入力するための「建物名」と、最寄り駅からの時間と交通手段を入力するための「最寄り駅＆交通手段」と、開始時間（ポップアップメニューから選択）と終了時間（ポップアップメニューから選択）を入力するための「営業時間」と、パチンコ玉と特殊景品との交換率を入力するための「Ｐレート」と、スロット玉と特殊景品との交換率を入力するための「Ｓレート」と、当該遊技場に設置されているパチンコ機２の台数を入力するための「設置台数（パチンコ）」と、当該遊技場に設置されているパチスロ機４の台数を入力するための「設置台数（パチスロ）」と、駐車場の有無または駐車可能台数を入力するための「駐車場」と、休日の有無または休日の曜日等を入力するための「休日」と、遊技場の関係者（遊技場責任者）の氏名を入力するための「担当者名」と、該担当者となる遊技場の関係者（遊技場責任者）の電子メールアドレス（ノートパソコン１５０にて受信可能な電子メールアドレス）を入力するための「Ｅ−ｍａｉｌアドレス」と、当該遊技場の電話番号を入力するための「電話番号」と、当該遊技場のファックス番号を入力するための「ＦＡＸ番号」と、当該遊技場を経営する法人の法人名を入力するための「法人名」と、該法人の代表者名を入力するための「代表者名」の各入力部が設けられており、これらの各入力部に該当する内容を入力または選択した後、「登録」の項目を選択する。尚、「クリア」の項目を選択した場合には、入力内容を含まない詳細登録１ページがサイトサーバ１４から配信されることで、図１６（ｂ）の入力内容を含まない詳細登録１ページに戻る。
【０１０２】
該「登録」並びに詳細画面１における「次へ」の項目の選択によりノートパソコン１５０から送信される詳細登録１ページ並びに詳細登録２ページにおける各データを受信したサイトサーバ１４は、これら受信した詳細登録１ページ並びに詳細登録２ページの各項目に付与されているタグに対応する入力テキストに基づいて入力内容を特定して抽出し、該抽出した内容を含む図１６（ｄ）に示す登録内容確認ページを生成してノートパソコン１５０に配信する。
【０１０３】
この図１６（ｄ）に示す登録内容確認ページにおいて内容に間違い等がある場合には、「戻る」の項目を選択することで、図１６（ｂ）の入力内容を含む詳細登録１ページがサイトサーバ１４から再度配信されて、該詳細登録１ページに戻るようになっている。また、登録内容確認ページにおいて内容に間違い等がない場合には、「確認」の項目を選択することで、サイトサーバ１４から管理サーバ１４０に、ログイン時に入力された遊技場ＩＤと前記にて抽出した入力内容と項目の内容とが対応付けられた基本情報データとを含む基本情報登録要求が送信されることで、遊技場情報テーブルにおいて、該基本情報登録要求に含まれる遊技場ＩＤに対応付けて各入力内容が対応する各項目に登録（記憶）されるとともに、図１６（ａ）の管理者用トップページ（前述の図１５（ｄ）に同じ）がサイトサーバ１４から再度配信されて管理者用トップページに戻るようになっている。
【０１０４】
次に、遊技場管理者が自己の遊技場に設置されている遊技機（パチンコ機２、パチスロ機４）の機種を設定する流れについて以下に説明すると、これら設置機種を設定する場合には、図１７（ａ）の管理者用トップページ（前述の図１５（ｄ）に同じ）において、「設置機種情報」の項目を選択する。該選択に基づいてサイトサーバ１４は、図１７（ｂ）に示す機種情報メニューページを配信する。
【０１０５】
この機種情報メニューページには、図１７（ｂ）に示すように、新装開店等により遊技機の入替や、設置台数に変更があった場合において、既に登録済みの設置機種の変更や設置台数の変更を実施するための「更新・削除」の項目と、新たに未登録の設置機種を登録するための「新規登録」の項目とが設けられているとともに、各項目にはそれぞれ「パチンコ」と「パチスロ」のサブ項目が設けられており、これら各サブ項目に対応付けて「ＧＯ」 の項目が選択入力可能に設けられている。
【０１０６】
ここで新規に設置機種を登録する場合に、新規登録する設置機種がパチンコ機２である場合には、「新規登録」の項目における「パチンコ」のサブ項目に対応する「ＧＯ」 の項目を選択する。尚、新規登録する設置機種がパチスロ機４である場合には、「新規登録」の項目における「パチスロ」のサブ項目に対応する「ＧＯ」 の項目を選択すれば良い。
【０１０７】
該選択に基づいてサイトサーバ１４は、図１７（ｃ）に示す新規機種登録ページを配信し、該新規機種登録ページには、新規登録する機種を検索するための入力部が設けられている。
【０１０８】
この入力部は、具体的には図１７（ｃ）に示す如く、機種名の全部または一部を入力することで、該当する機種が検索される「機種名で検索」の入力部と、機種のメーカー名を入力（ポップアップメニューから選択）ることで、当該メーカーが市販している機種が検索される「メーカー名で検索」の２つの入力部が設けられているとともに、これら双方の入力部に検索内容を入力（選択）した場合において、双方の入力部に入力された検索内容をともに満たす機種が検索される「ａｎｄ」のチェックボックスと、双方の入力部に入力された検索内容のいずれかを満たす機種が検索される「ｏｒ」のチェックボックスとが設けられている。
【０１０９】
この新規機種登録ページにおいて、例えば新規登録の機種名が判っている場合には、機種名の一部、具体的には、ＣＲ◇◇◇…が正式な機種名であれば、「◇◇◇」を入力すれば良く、該入力を実施した後に、当該ページに設けられている「ＧＯ」 の項目を選択すれば良い。
【０１１０】
該選択に基づいてサイトサーバ１４は、前記「ＧＯ」 の項目を選択に基づいて送信される送信データから、配信した新規機種登録ページの各項目に付与されているタグに対応する入力テキストに基づいて入力内容を特定し、具体的には、機種名に対応するタグに対応する入力のみがある場合には、メーカー名との連携による検索がないものと判断して当該機種名に対応するタグに対応する入力テキスト、具体的には「◇◇◇」を機種名に含む全ての機種の機種名を、前記パチンコ台テーブル（機種情報メニューページにおいてパチスロが選択されている場合にはパチスロ台テーブル）における機種名の項目を検索して抽出し、抽出した機種名の一覧を含む図１７（ｄ）に示す機種検索結果ページを生成して配信する。
【０１１１】
この図１７（ｄ）に示す機種検索結果ページには、一覧表示された各機種名毎にチェックボックスが設けられており、これら一覧表示された各機種名から新規登録する機種、例えば「ＣＲ◇◇◇」と「ＣＲ◇◇◇ＭＡＸ」に対応するチェックボックスを選択することで、新規登録する機種を容易に且つ正確に指定することができるようになっており、遊技場管理者は、これらチェックボックスを選択して新規登録する機種を指定した後に、「次へ」の項目を選択する。
【０１１２】
該選択に基づいてサイトサーバ１４は、図１７（ｅ）に示すように、機種検索結果ページにて指定された各機種に対応して台数を入力するための入力部を有する台数指定ページを生成して配信することで、遊技場管理者は、該台数指定ページの各入力部に、各機種の設置台数を入力し、該入力の後に「次へ」の項目を選択する。
【０１１３】
該選択に基づいてサイトサーバ１４は、図１７（ｆ）に示す登録終了ページを配信するとともに、図１７（ｅ）の台数指定ページにて受付けた機種名と台数と当該遊技場の遊技場ＩＤを含む機種登録要求を管理サーバ１４０に送信することで、管理サーバ１４０において、該受信した機種登録要求に含まれる遊技場ＩＤに対応付けて遊技場情報テーブルの設置機種の項目に記憶されているパスデータから特定される当該遊技場の設置機種データに、受信した機種登録要求に含まれる機種名と台数とが追加更新される。
【０１１４】
尚、遊技場管理者のノートパソコン１５０に配信される登録終了ページには、図１７（ｆ）に示す如く、「続けて登録」の項目と、「ページ確認」の項目が選択入力可能に設けられており、「続けて登録」の項目を選択することで、図１７（ｃ）の新規機種登録ページがサイトサーバ１４から配信されて該新規機種登録ページに戻るので、新規機種の登録を続けて実施することができ、一方「ページ確認」の項目を選択した場合には、前記にて更新された設置機種データに基づく後述する図１８（ｃ）に示す設置機種一覧ページが生成されて配信されることで、新規登録した機種が間違いなく登録されているかを該設置機種一覧ページにて確認できるようになっている。
【０１１５】
次に、このようにして登録した機種や台数を変更する流れについて説明すると、これら登録した機種や台数を変更する場合には、図１８（ａ）の管理者用トップページ（前述の図１５（ｄ）に同じ）において、「設置機種情報」の項目を選択する。該選択に基づいてサイトサーバ１４は、図１８（ｂ）に示す機種情報メニューページ（前述の図１７（ｂ）に同じ）を配信する。
【０１１６】
この図１８（ｂ）に示す機種情報メニューページにおいて「更新・削除」の項目における「パチンコ」と「パチスロ」のサブ項目の内、変更する機種に該当するサブ項目を選択する。
【０１１７】
このサブ項目で、例えば「パチンコ」のサブ項目を選択した場合には、該選択に基づいてサイトサーバ１４は、管理サーバ１４０に記憶されている遊技場情報テーブルにアクセスして、該遊技場情報テーブルの設置機種の項目に記憶されているパスデータから特定される当該遊技場の設置機種データを読み出して、該設置機種データ中のパチンコ機２に関する機種名と台数とから成る図１８（ｃ）に示す機種一覧ページを生成して配信する。
【０１１８】
この機種一覧ページには、図１８（ｃ）に示す如く、各機種名毎にチェックボックスが設けられており、設置台数を変更する機種または削除する機種を選択することができるようになっていて、例えば設置台数を変更する場合には、これらチェックボックスにて変更対象の機種を選択するとともに、当該選択した機種名に対応する台数を変更したい台数に変更した後に、当該ページに設けられている「更新」の項目を選択することで、サイトサーバ１４は、チェックボックスにて選択された機種名を特定するとともに、該機種名に対応する台数を特定し、これら特定した機種名と台数とを含むとともに該機種名と台数とを変更対象とすることを示す図１８（ｄ）に示す確認画面を生成して配信する。そして、該確認画面における「決定」の項目の選択に基づいて、前記にて特定した機種名と台数と当該遊技場の遊技場ＩＤを含む機種変更要求を管理サーバ１４０に送信することで、管理サーバ１４０において、該受信した機種変更要求に含まれる遊技場ＩＤに対応付けて遊技場情報テーブルの設置機種の項目に記憶されているパスデータから特定される当該遊技場の設置機種データにおける受信した機種変更要求に含まれる機種名の台数が、受信した機種変更要求に含まれる台数に更新される。尚、図１８（ｃ）に示す機種一覧ページの「削除」の項目を選択した場合には、後述するパチスロの場合と同様に、選択した機種名の登録が設置機種データから削除される。
【０１１９】
一方、前述の図１８（ｂ）に示す機種情報メニューページにおいて「更新・削除」の項目における「パチスロ」のサブ項目を選択した場合には、該選択に基づいてサイトサーバ１４は、管理サーバ１４０に記憶されている遊技場情報テーブルにアクセスして、該遊技場情報テーブルの設置機種の項目に記憶されているパスデータから特定される当該遊技場の設置機種データを読み出して、該設置機種データ中のパチスロ機４に関する機種名と台数とから成る図１８（ｅ）に示す機種一覧ページを生成して配信する。
【０１２０】
この機種一覧ページには、図１８（ｅ）に示す如く、各機種名毎にチェックボックスが設けられており、設置台数を変更する機種または削除する機種を選択することができるようになっていて、例えば機種を削除する場合には、これらチェックボックスにて削除対象の機種を選択した後に、当該ページに設けられている「削除」の項目を選択することで、サイトサーバ１４は、チェックボックスにて選択された機種名を特定し、これら特定した機種名を含むとともに該機種名を削除対象とすることを示す図１８（ｆ）に示す確認ページを生成して配信する。そして、該確認ページにおける「決定」の項目の選択に基づいて、前記にて特定した機種名と当該遊技場の遊技場ＩＤを含む機種削除要求を管理サーバ１４０に送信することで、管理サーバ１４０において、該受信した機種削除要求に含まれる遊技場ＩＤに対応付けて遊技場情報テーブルの設置機種の項目に記憶されているパスデータから特定される当該遊技場の設置機種データにおける受信した機種削除要求に含まれる機種名と台数の登録データが削除更新される。尚、図１８（ｅ）に示す機種一覧ページの「変更」の項目を選択した場合には、前述したパチンコの場合と同様に、選択した機種名の台数が変更される。
【０１２１】
次に、サイトサーバ１４にて提供される遊技用サービスサイトにおいてアクセス利用者（遊技者）に提供される当該遊技場の出玉情報を登録する流れについて説明すると、これら出玉情報を登録する場合には、図１９（ａ）の管理者用トップページ（前述の図１５（ｄ）に同じ）において、「出玉情報」の項目を選択する。該選択に基づいてサイトサーバ１４は、図１９（ｂ）に示す出玉情報メニューページを配信する。
【０１２２】
この出玉情報メニューページには、図１９（ｂ）に示すように、新規に出玉情報を登録るための「出玉情報  新規登録」の項目と、既に登録している出玉情報を変更または削除するための「出玉情報  更新・削除」の項目と、これら出玉情報に基づいてその時点までの非常に高い出玉の情報である過去ベストの情報を変更または削除するための「過去ベスト  更新・削除」の項目とが設けられているとともに、各項目にはそれぞれ「パチンコ」と「パチスロ」のサブ項目が設けられていて、これら各サブ項目に対応付けて「ＧＯ」 の項目が選択入力可能に設けられている。
【０１２３】
まず、出玉情報、例えばパチンコ機２の出玉情報を新規に登録したい場合には、「出玉情報  新規登録」の項目における「パチンコ」のサブ項目に対応する「ＧＯ」 の項目を選択する。尚、パチスロ機４の出玉情報を新規に登録したい場合には、「出玉情報  新規登録」の項目における「パチンコ」のサブ項目に対応する「ＧＯ」 の項目を選択すれば良い。
【０１２４】
該選択に基づいてサイトサーバ１４は、図１９（ｃ）に示す出玉情報新規登録ページを配信し、該出玉情報新規登録ページには、図１９（ｃ）に示す如く、各パチンコ台毎に出玉情報を登録できるようになっており、各パチンコ台毎の機種としては、当該遊技場の設置機種データに含まれる設置機種に基づく一覧が表示されるポップアップメニューから選択できるようになっており、出玉上位の各パチンコ機２の機種を指定するとともに、台番号と大当り回数と出玉数とを入力した後、当該ページの「登録」の項目を選択することで、これら選択並びに入力された出玉情報の内容がサイトサーバ１４にて特定され、該特定された出玉情報の内容と当該遊技場の遊技場ＩＤを含む出玉情報登録要求がサイトサーバ１４から管理サーバ１４０に送信されることで、管理サーバ１４０において、該受信した出玉情報登録要求に含まれる遊技場ＩＤに対応付けて遊技場情報テーブルの出玉情報の項目に記憶されているパスデータから特定される当該遊技場の出玉情報データに、受信した出玉情報登録要求に含まれる出玉情報の内容が追加登録される。
【０１２５】
一方、既に登録済みの出玉情報を削除または変更したい場合には、前述の図１９（ｂ）に示す出玉情報メニューページにおいて「出玉情報  更新・削除」の項目の変更または削除したい遊技機が該当するサブ項目、例えば「パチンコ」のサブ項目を選択すれば良い。尚、変更または削除したい遊技機がパチスロ機４の場合には、「パチスロ」のサブ項目を選択すれば良い。
【０１２６】
該選択に基づいてサイトサーバ１４は、管理サーバ１４０に記憶されている遊技場情報テーブルにアクセスして、該遊技場情報テーブルの出玉情報の項目に記憶されているパスデータから特定される当該遊技場の出玉情報データを読み出して、該出玉情報データ中のパチンコ機２に関する全ての出玉情報の一覧を含む図１９（ｄ）に示す出玉情報更新削除ページを生成して配信する。
【０１２７】
この出玉情報更新削除ページには、図１９（ｄ）に示す如く、各パチンコ台の出玉情報毎に比較的大きなチェックボックスが設けられており、削除または登録内容を変更するパチンコ台の出玉情報を選択することができるようになっていて、出玉情報を削除したい場合には、削除対象の出玉情報に対応するチェックボックスをチェックして選択した後に、当該ページに設けられている「削除」の項目を選択することで、これら削除対象の出玉情報がサイトサーバ１４にて特定され、該特定した出玉情報と当該遊技場の遊技場ＩＤを含む出玉情報削除要求を管理サーバ１４０に送信することで、管理サーバ１４０において、該受信した出玉情報削除要求に含まれる遊技場ＩＤに対応付けて遊技場情報テーブルの出玉情報の項目に記憶されているパスデータから特定される当該遊技場の出玉情報データから、受信した出玉情報削除要求に含まれる出玉情報が削除更新される。
【０１２８】
また、登録されているこれら出玉情報を変更したい場合には、変更対象の出玉情報に対応するチェックボックスをチェックして選択した後に、当該ページに設けられている「更新」の項目を選択することで、これら変更対象の出玉情報がサイトサーバ１４にて特定され、該特定した出玉情報のみを含む図１９（ｅ）に示す出玉情報変更入力ページが配信されることで、該出玉情報変更入力ページにおいて変更したい内容、例えば出玉数を入力して変更した後に、当該ページに設けられている「更新」を選択することで、これら変更後の出玉情報変更入力ページにおける出玉情報がサイトサーバ１４にて特定され、該特定した出玉情報と当該遊技場の遊技場ＩＤを含む出玉情報更新要求を管理サーバ１４０に送信することで、管理サーバ１４０において、該受信した出玉情報更新要求に含まれる遊技場ＩＤに対応付けて遊技場情報テーブルの出玉情報の項目に記憶されているパスデータから特定される当該遊技場の出玉情報データに含まれる対応する出玉情報が、受信した出玉情報更新要求に含まれる出玉情報に更新される。
【０１２９】
尚、出玉情報を登録することで作成される過去ベストの登録内容を変更または削除したい場合には、前述の図１９（ｂ）に示す出玉情報メニューページにおいて「過去ベスト  更新・削除」の項目の変更または削除したい遊技機が該当するサブ項目を選択することで、「出玉情報  更新・削除」の場合と同様に、登録内容を変更または削除を実施することができるようになっており、その詳細な説明は省略する。
【０１３０】
次に、サイトサーバ１４にて提供される遊技用サービスサイトにおいてアクセス利用者（遊技者）に提供される当該遊技場のお得情報を登録する流れについて説明すると、これらお得情報を登録する場合には、図２０（ａ）の管理者用トップページ（前述の図１５（ｄ）に同じ）において、「お得情報」の項目を選択する。該選択に基づいてサイトサーバ１４は、図２０（ｂ）に示すお得情報メニューページを配信する。
【０１３１】
このお得情報メニューページには、図２０（ｂ）に示すように、新規にお得情報を登録るための「新規登録」の項目と、既に登録しているお得情報を更新または削除するための「更新削除」の項目と、各項目に対応する「ＧＯ」 の項目とが設けられている。
【０１３２】
ここで、お得情報を新規登録したい場合には、「新規登録」の項目に対応する「ＧＯ」 の項目を選択すれば良く、該選択に基づいてサイトサーバ１４は、図２０（ｃ）に示すお得情報新規登録ページを配信する。
【０１３３】
このお得情報新規登録ページには、図２０（ｃ）に示す如く、タイトルを入力するためのタイトル入力部と、本文を入力するための本文入力部とが設けられており、これらの各入力部に、例えば新装開店に関する情報やサービスデーに関する情報等を入力した後、当該ページに設けられている「登録」の項目を選択することで、該選択に基づいてサイトサーバ１４は、お得情報新規登録ページにて入力されたタイトル入力部のテキストと、本文入力部のテキストとを対応するタグから特定して抽出し、該抽出した各テキストの内容と当該遊技場の遊技場ＩＤを含むお得情報登録要求を管理サーバ１４０に送信することで、管理サーバ１４０において、該受信したお得情報登録要求に含まれる遊技場ＩＤに対応付けて遊技場情報テーブルのお得情報の項目に記憶されているパスデータから特定される当該遊技場のお得情報データに、受信したお得情報登録要求に含まれるタイトルと本文からなるお得情報が追加登録される。
【０１３４】
また、これら登録済みのお得情報を変更または削除したい場合には、前述の図２０（ｂ）に示す出玉情報メニューページにおける「更新削除」の項目に対応する「ＧＯ」 の項目を選択すれば良く、該選択に基づいてサイトサーバ１４は、図２０（ｄ）に示すお得情報削除更新ページを配信する。
【０１３５】
このお得情報削除更新ページには、図２０（ｄ）に示す如く、削除または変更対象とするお得情報を選択指定するための「タイトル選択」の項目が設けられており、該「タイトル選択」の項目は、既に登録済みのお得情報の全タイトルが選択可能に一覧表示されるポップアップメニューとされており、該ポップアップメニューから削除または変更したいお得情報のタイトルを簡便に指定することができるようになっている。
【０１３６】
お得情報を削除したい場合には、削除対象とするお得情報のタイトルを「タイトル選択」の項目において選択して指定した後、当該ページに設けられている削除の項目を選択することで、これら削除対象のお得情報のタイトルがサイトサーバ１４にて特定され、該特定したお得情報のタイトルと当該遊技場の遊技場ＩＤを含むお得情報削除要求を、サイトサーバ１４が管理サーバ１４０に送信することで、管理サーバ１４０において、該受信したお得情報削除要求に含まれる遊技場ＩＤに対応付けて遊技場情報テーブルのお得情報の項目に記憶されているパスデータから特定される当該遊技場のお得情報データから、受信したお得情報削除要求に含まれるタイトルに対応するお得情報が削除更新される。尚、前記お得情報削除要求を管理サーバ１４０に送信した後、サイトサーバ１４からは図２０（ｅ）に示すように、削除対象のお得情報のタイトルを含む削除完了ページが配信される。
【０１３７】
一方、これら登録されているお得情報を変更したい場合には、変更対象とするお得情報のタイトルを「タイトル選択」の項目において選択して指定した後、当該ページに設けられている「編集」の項目を選択することで、これら変更対象のお得情報のタイトルがサイトサーバ１４にて特定され、該特定したタイトルのお得情報を、管理サーバ１４０の遊技場情報テーブルに当該遊技場の遊技場ＩＤに対応付けて記憶されているパスデータから特定される当該遊技場のお得情報データから読み出し、該読み出したお得情報のみを含む図２０（ｆ）に示すお得情報編集ページが配信されることで、該配信されたお得情報編集ページにおいて変更したい内容、例えばサービスデーの日程を入力して変更した後に、当該ページに設けられている「更新」を選択することにより、これら変更後のお得情報編集ページにおけるお得情報がサイトサーバ１４にて特定され、該特定したお得情報と当該遊技場の遊技場ＩＤを含むお得情報更新要求が、サイトサーバ１４から管理サーバ１４０に送信されることで、管理サーバ１４０において、該受信したお得情報更新要求に含まれる遊技場ＩＤに対応付けて遊技場情報テーブルのお得情報の項目に記憶されているパスデータから特定される当該遊技場のお得情報データにおける、受信したお得情報更新要求に含まれるタイトルに該当するお得情報が、受信したお得情報更新要求に含まれるお得情報に更新される。
【０１３８】
次いで、遊技場管理者が当該遊技場において整理券データを用いた優先入場に関する設定することで、本実施例の管理サーバ１４０の優先入場情報テーブルに当該遊技場の優先入場情報が登録（記憶）される流れについて以下に説明する。
【０１３９】
まず、遊技場管理者が優先入場に関する設定したい場合には、図２１（ａ）の管理者用トップページ（前述の図１５（ｄ）に同じ）において、「優先入場」の項目を選択する。該選択に基づいてサイトサーバ１４は、図２１（ｂ）に示す優先入場メニューページを配信する。
【０１４０】
この優先入場メニューページには、図２１（ｂ）に示すように、優先入場に関する設定を実施するための「優先入場設定」の項目と、その時点における各優先入場を実施する対象日における優先入場の申し込み状況や処理状況を確認するための「優先入場一覧」の項目と、各項目に対応する「ＧＯ」 の項目とが設けられている。
【０１４１】
遊技場管理者が新たに優先入場を実施する日を設定したい場合には、該優先入場メニューページにおいて、「優先入場設定」の項目に対応する選択操作可能とされた「ＧＯ」 の項目を選択すれば良く、該選択に基づいてサイトサーバ１４は、図１４に示すように、優先入場設定ページ（図２１（ｃ））を配信する。
【０１４２】
この優先入場設定ページには、図２１（ｃ）に示す如く、優先入場を実施する開始日を入力するための入力部と終了日を入力するための入力部とを有する開催期間の項目と、後述する整理券データ抽選処理を実施して、優先入場を申し込んだ、つまりは整理券データの配信要求を実施したアクセス利用者（遊技者）に対して後述する当選メールまたは落選メールを配信して当選結果を通知する日、具体的には優先入場の対象日の何日前とするかを入力するための入力部を有する通知日の項目と、優先入場の申し込み、つまりは整理券データの配信要求の受付けを開始する日、具体的には優先入場の対象日の何日前とするかを入力するための入力部を有する受付開始日の項目と、これら各優先入場を実施する対象日の整理券データに使用する優先入場番号、例えば当日の早い時間に遊技場に来場した遊技者に若い優先入場番号の整理券を配布する予定であれば、当日の遊技場において配布される整理券に使用される優先入場番号以降の優先入場番号を入力するための入力部を有する入場番号の項目と、当該遊技場において、これら優先入場に使用される整理券データを含む当選メールを配信するか否かを判定する判定条件となる、前述した予約・優先入場状況テーブルにおける整理券配信禁止フラグの更新に使用される各来店率を指定するための適用来店率の項目とが設けられている。
【０１４３】
尚、本実施例の適用来店率の項目内には、整理券配信禁止フラグの更新に使用される来店率を、優先入場時来店率とするための「優先入場時来店率のみ」のサブ項目と、整理券配信禁止フラグの更新に使用される来店率を予約または優先入場時来店率とするための「予約または優先入場時来店率」のサブ項目とが設けられており、これら各サブ項目に対応付けて排他選択可能なチェックボックスが設けられており、これらチェックボックスをチェックして選択することで、整理券配信禁止フラグの更新にいずれの来店率を使用するかを簡便に選択設定できるようになっている。
【０１４４】
遊技場管理者は、該優先入場設定ページにおける各項目に、新たに設定したい優先入場に関する内容を入力（選択）した後、当該ページの「登録」の項目を選択することで、該選択に基づいてサイトサーバ１４は、当該優先入場設定ページにて入力された優先入場情報を受信する優先入場情報受付け処理を実施する。
【０１４５】
つまりは、該優先入場情報受付け処理において、利用契約した遊技場の関係者である遊技場責任者が操作可能であって通信回線網であるインターネット網を介して接続された遊技場用端末となるノートパソコン１５０から、該遊技場において優先入店番号となる優先入場番号を含む整理券データを用いた優先入場（優先入店）を実施する日付となる開催期間を含む優先入場情報（優先入店情報）を受付けており、該優先入場情報受付け処理によって本発明における優先入店情報受付け手段並びに優先入店情報受付けステップが形成されている。
【０１４６】
また、これら優先入店情報受付け手段並びに優先入店情報受付けステップとなる優先入場情報受付け処理においては、遊技場において優先入場情報として、前記開催期間（日付）における優先入場に使用される優先入場番号（優先入店番号）のうち、開催期間（日付）の前記整理券データを含む後述する当選メールに使用する優先入場番号（優先入店番号）を含む優先入場情報（優先入店情報）を受付けている。
【０１４７】
尚、本実施例では、このように、整理券データに使用する優先入場番号を各遊技場から受付けるようにしているが、本発明はこれに限定されるものではなく、これら整理券データに使用する優先入場番号を遊技場から受付けることなく、例えば、当該遊技場の設置台数を優先入場番号の上限として整理券データに使用する優先入場番号を管理サーバ１４０側において決定するようにしても良い。
【０１４８】
そして、サイトサーバ１４は、ノートパソコン１５０から受信した受信データから、該ノートパソコン１５０に配信した優先入場設定ページの各項目に付与されているタグに基づいて、該優先入場設定ページにおいて入力または選択された優先入場情報を特定するとともに、受信した優先入場設定ページに該当する遊技場の遊技場ＩＤを特定し、該特定した遊技場ＩＤと前記特定した優先入場情報とを含む優先入場情報登録要求を管理サーバ１４０に送信することで、管理サーバ１４０は、優先入場情報テーブルにおいて、該受信した優先入場情報登録要求に含まれる遊技場ＩＤに対応する各項目に、受信した優先入場情報登録要求に含まれる優先入場情報の内容を登録（記憶）する優先入場情報記憶処理を実施する（図１４参照）。
【０１４９】
具体的に該優先入場情報記憶処理においては、優先入場設定ページにおける開催期間の項目にて入力された期間に含まれる各日付、例えば開催期間が７月２０〜７月２２日までの３日間であれば、対象日として７月２０、７月２１日、７月２２日がそれぞれ優先入場情報テーブルの対象日に登録（記憶）されるとともに、優先入場設定ページにおける通知日、例えば通知日が１日前であれば、対象日に登録された各日付の前日の日付が優先入場情報テーブルの通知日に登録（記憶）され、優先入場設定ページにおける受付け開始日、例えば受付け開始日が５日前であれば、対象日に登録された各日付の５日前の日付が優先入場情報テーブルの受付け開始日に登録（記憶）され、優先入場設定ページにおける入場番号が配信可能優先入場番号に登録（記憶）され、優先入場設定ページの適用来店率の項目において選択された来店率が優先入場情報テーブルの適用来店率に登録（記憶）される。
【０１５０】
つまり、該優先入場情報記憶処理において、前記優先入店情報受付けステップとなる優先入場情報受付け処理において受付けた優先入店情報が優先入場情報テーブルに記憶されており、該優先入場情報記憶処理によって本発明における優先入店情報記憶ステップが形成されている。
【０１５１】
遊技場管理者がその時点において登録されている当該遊技場の優先入場に対する申し込み状況等を確認したい場合には、前述の図２１（ｂ）に示す優先入場メニューページにおいて、「優先入場一覧」の項目に対応する「ＧＯ」 の項目を選択すれば良く、該選択に基づいてサイトサーバ１４は、当該遊技場の遊技場ＩＤを含む優先入場一覧情報出力要求を管理サーバ１４０に送信することで、管理サーバ１４０は、優先入場情報テーブル並びに予約・優先入場状況テーブルの登録内容に基づいて、当該遊技場の遊技場ＩＤに対応付けて登録されている各優先入場日と、当該優先入場日の優先入場の処理状況（当該対象日が予約・優先入場状況テーブルの優先入場日に登録されているかや申込会員の項目における登録の有無による抽選済みか否かにより判定）と、当選者数（当該対象日が予約・優先入場状況テーブルの優先入場日に登録されているサイト会員ＩＤの数をカウント）、並びに未処理の場合には申し込み者数（当該対象日に対応して優先入場情報テーブルの申込会員の項目に記憶されているサイト会員ＩＤの数をカウント）をそれぞれ特定し、該特定した優先入場一覧情報をサイトサーバ１４に返信することで、サイトサーバ１４において、該返信されてきた優先入場一覧情報に基づく図２１（ｄ）に示す優先入場一覧ページが生成されて配信される。
【０１５２】
次いで、遊技場管理者が予約対象とする遊技機を設定することで、本実施例の管理サーバ１４０の予約対象台テーブルに、該予約対象とする遊技機の情報が登録（記憶）される流れについて図１４並びに図２２に基づいて以下に説明する。
【０１５３】
まず、遊技場管理者が予約対象とする遊技機を設定したい場合には、図２２（ａ）の管理者用トップページ（前述の図１５（ｄ）に同じ）において、「台予約」の項目を選択する。該選択に基づいてサイトサーバ１４は、図２２（ｂ）に示す台予約メニューページを配信する。
【０１５４】
この台予約メニューページには、図２２（ｂ）に示すように、台予約に関する設定を実施するための「台予約設定」の項目と、その時点における各台予約を実施する対象日における予約状況を確認するための「台予約一覧」の項目と、各項目に対応する選択可能とされた「ＧＯ」 の項目とが設けられている。
【０１５５】
遊技場管理者が新たに台予約を実施する日を設定したい場合には、該台予約メニューページにおいて、「台予約設定」の項目に対応する「ＧＯ」 の項目を選択すれば良く、該選択に基づいてサイトサーバ１４は、図１４に示すように、台予約設定ページ１（図２２（ｃ））を配信する。
【０１５６】
この台予約設定ページ１には、図２２（ｃ）に示す如く、台予約を実施する開始日を入力するための入力部と終了日を入力するための入力部とを有する開催期間の項目と、後述する予約抽選処理を実施して、台予約を申し込んだ、つまりは遊技機の予約要求を実施したアクセス利用者（遊技者）に対して後述する当選メールまたは落選メールを配信して当選結果を通知する日、具体的には台予約の対象日の何日前とするかを入力するための入力部を有する通知日の項目と、台予約の申し込み、つまりは遊技機の予約要求の受付けを開始する日、具体的には台予約の対象日の何日前とするかを入力するための入力部を有する受付開始日の項目と、当該遊技場において、これら台予約を許容するか否かを判定する判定条件となる、全述した予約・優先入場状況テーブルにおける予約許容禁止フラグの更新に使用される来店率を指定するための適用来店率の項目とが設けられている。
【０１５７】
尚、本実施例の台予約設定ページ１には、図２２（ｃ）に示すように、台予約に際して当該遊技場に設置されている機種登録が必須となるために、未登録の場合には機種登録をすることを促すメッセージが含まれているとともに、該ページには「機種登録」の項目が設けられており、機種登録を実施していない場合には、該「機種登録」の項目を選択することで、前述の図１７（ｃ）に示す新規機種登録ページがサイトサーバ１４から配信され、該新規機種登録ページに移行して機種登録を実施できるようになっている。
【０１５８】
また、本実施例の適用来店率の項目内には、前述の優先入場設定ページの場合と同様に、予約許容禁止フラグの更新に使用される来店率を予約時来店率とするための「予約時来店率のみ」のサブ項目と、予約許容禁止フラグの更新に使用される来店率を予約または優先入場時来店率とするための「予約または優先入場時来店率」のサブ項目とが設けられており、これら各サブ項目に対応付けて排他選択可能なチェックボックスが設けられており、これらチェックボックスをチェックして選択することで、予約許容禁止フラグの更新にいずれの来店率を使用するかを簡便に選択設定できるようになっている。
【０１５９】
遊技場管理者は、該台予約設定ページ１における各項目に、新たに設定したい台予約の開催期間や通知日や受付け開始日からなる予約可能期間情報を入力した後、当該ページの「次へ」の項目を選択する。この選択に基づいてサイトサーバ１４は、当該台予約設定ページ１において入力された予約可能期間情報を含む送信データを受信して、該受信した送信データに含まれる予約可能期間情報を、配信した台予約設定ページ１の各項目に付与されているタグに基づいて特定して一時記憶する予約可能対象情報受付処理を実施するとともに、管理サーバ１４０に記憶されている遊技場情報テーブルにアクセスして、該遊技場情報テーブルにおいて当該台予約設定ページ１に該当する遊技場の遊技場ＩＤに対応付する設置機種の項目に記憶されているパスデータから特定される当該遊技場の設置機種データを読み出して、該設置機種データ中の機種名の設置機種一覧を含む、図２２（ｄ）に示す台予約設定ページ２を生成して配信する。尚、該台予約設定ページ２においては、図２２（ｄ）に示す如く、各機種名毎にチェックボックスが設けられており、台予約の対象とする機種を、該チェックボックスをチェック（選択）することで簡便に選択指定できるようになっている。つまりは、該予約可能対象情報受付処理において、利用契約した遊技場の関係者が操作可能であって通信回線網であるインターネット網を介して接続された遊技場用端末であるノートパソコン１５０から、当該遊技場に設置されている遊技機の予約を可能とする期間（予約日）を特定可能な情報と、当該期間において予約を可能とする遊技機を個々に識別可能な遊技機識別情報となる台番号とを受付けており、該予約可能対象情報受付処理によって本発明における予約可能対象情報受付手段並びに予約可能対象情報受付ステップが形成されている。
【０１６０】
この台予約設定ページ２の配信を受けて遊技場管理者は、図１４に示すように、台予約設定ページ２内の各機種の中から台予約の対象とする機種を、対応するチェックボックスをチェック（選択）することで選択指定した後、当該ページに設けられている「選択」の項目を選択する。
【０１６１】
該選択に基づいてサイトサーバ１４は、台予約設定ページ２において選択された機種情報を含む送信データを受信し、該受信した送信データに含まれる機種情報を、配信した台予約設定ページ２におけるタグや機種名に基づいて特定し、該特定した予約機種情報を一時記憶する予約可能対象情報受付処理を実施するとともに、図２２（ｄ）に示す当該機種における台番号を指定するための入力部を備える台予約設定ページ３を配信する。
【０１６２】
この台予約設定ページ３の配信を受けて遊技場管理者は、図１４に示すように、台予約設定ページ３の入力部に、台予約の対象とする台番号の始番と終番を入力した後、「登録」の項目を選択入力する。
【０１６３】
該選択に基づいてサイトサーバ１４は、台予約設定ページ３において選択された予約対象とする遊技場の遊技機識別情報となる台番号（始番と終番）を含む送信データを受信する予約可能対象情報受付処理を実施し、該受信した送信データに含まれる台番号情報を、配信した台予約設定ページ３におけるタグに基づいて特定し、該特定した台番号情報と、前記にて一時記憶した予約可能期間情報と予約機種情報とから成る予約可能対象情報と、これら各台予約設定ページに該当する遊技場の遊技場ＩＤとを含む予約可能対象情報登録要求を管理サーバ１４０に送信する（図１４参照）。
【０１６４】
つまりは、該予約可能対象情報受付処理において、利用契約した遊技場の関係者である遊技場責任者が操作可能であって通信回線網であるインターネット網を介して接続された遊技場用端末となるノートパソコン１５０から、当該遊技場に設置されている遊技機の予約を可能とする期間を特定可能な情報となる開催期間を含む予約可能期間情報と、当該期間において予約を可能とする遊技機を個々に識別可能な遊技機識別情報となる台番号（始番と終番）とを含む台番号情報とを予約可能対象情報として受付けられており、該予約可能対象情報受付処理によって本発明における予約可能対象情報受付手段並びに予約可能対象情報受付ステップとが形成されている。
【０１６５】
そして、前記予約可能対象情報登録要求を受信に基づいて管理サーバ１４０は、予約対象台テーブルにおいて、該受信した予約可能対象情報登録要求に含まれる遊技場ＩＤに対応する各項目に、受信した予約可能対象情報登録要求に含まれる予約可能対象情報の内容を登録（記憶）する予約可能対象情報記憶処理を実施する（図１４参照）。
【０１６６】
具体的に該予約可能対象情報記憶処理においては、台予約設定ページ１における開催期間の項目にて入力された期間に含まれる各日付、例えば開催期間が７月２２〜７月２５日までの４日間であれば、予約日として７月２２、７月２３日、７月２４日、７月２５日がそれぞれ予約対象台テーブルの予約日に登録（記憶）されるとともに、台予約設定ページ１における通知日、例えば通知日が１日前であれば、予約日に登録された各日付の前日の日付が予約対象台テーブルの通知日に登録（記憶）され、台予約設定ページ１における受付け開始日、例えば受付け開始日が５日前であれば、予約日に登録された各日付の５日前の日付が予約対象台テーブルの予約受付け開始日に登録（記憶）されるとともに、該台予約設定ページ１にて選択された適用来店率や、台予約設定ページ２において選択された機種、台予約設定ページ２において入力された台番号（始番〜終番）が登録（記憶）される。
【０１６７】
つまり、前記予約可能対象情報記憶処理において、前記予約可能対象情報受付手段並びに予約可能対象情報受付ステップとなる予約可能対象情報受付処理において受付けた予約可能対象情報が予約対象台テーブルに記憶されており、該予約可能対象情報記憶処理によって本発明における予約可能対象情報記憶ステップが形成されている。
【０１６８】
一方、遊技場管理者が登録済みの台予約の予約状況や予約の申し込み状況を確認したい場合には、図２３（ａ）の管理者用トップページ（前述の図１５（ｄ）に同じ）において、「台予約」の項目を選択して、図２２（ｂ）に示す台予約メニューページの配信を受けて該台予約メニューページを表示させ、「台予約一覧」の項目に対応する「ＧＯ」 の項目を選択すれば良く、該選択に基づいてサイトサーバ１４は、当該遊技場の遊技場ＩＤを含む台予約一覧情報出力要求を管理サーバ１４０に送信することで、管理サーバ１４０は、当該遊技場の遊技場ＩＤに対応付けて予約対象台テーブルに記憶されている各予約日から台予約が設定されている台予約設定日を特定し、該特定した台予約設定日の情報（リスト）をサイトサーバ１４に返信することで、サイトサーバ１４において、該返信されてきた台予約設定日に基づく図２３（ｃ）に示す台予約設定日選択ページが生成されて配信される。
【０１６９】
この台予約設定日選択ページには、図２３（ｃ）に示す如く、各台予約設定日毎に、選択可能な「詳細」の項目と「一覧」の項目とがそれぞれ設けられており、「一覧」の項目を選択することで、図２３（ｄ）に示すように、当該台予約設定日を予約日とする台予約の機種名と台番号（始番と終番）、並びにサイト予約テーブルへの登録内容または予約・優先入場状況テーブルにおける当該予約日を含む予約情報に基づく予約（申し込み）件数を含む台予約一覧ページが配信され、「詳細」の項目を選択することで、図２３（ｅ）に示すように、当該台予約設定日を予約日とする遊技機の各台番号に対応付けて、予約または予約の申し込みがなされている台には○が、予約または予約の申し込みがなされていない台には×が表示される台予約詳細ページが配信されることで、各台予約設定日における予約状況を遊技場管理者が把握できるようになっている。
【０１７０】
次いで、遊技場管理者により遊技場に来店した整理券データを含む当選メールの配信を受けた遊技者や、台予約の当選メールの配信を受けた遊技者の来店状況が入力されることで、予約・優先入場状況テーブルの各来店回数等が更新される流れについて図１４並びに図２４に基づいて以下に説明する。
【０１７１】
まず、遊技場管理者が来店した遊技者の来店状況を入力する場合には、図２４（ａ）の管理者用トップページ（前述の図１５（ｄ）に同じ）において、「来店入力」の項目を選択する。該選択に基づいてサイトサーバ１４は、図２４（ｂ）に示す来店入力メニューページを配信する。
【０１７２】
この来店入力メニューページには、図２４（ｂ）に示すように、台予約に当選して当選メールの配信を受けた遊技者の来場を入力するための「台予約」の項目と、整理券データに当選して当選メールの配信を受けた遊技者の来場を入力するための「優先入場」の項目と、各項目に対応する選択操作可能とされた「ＧＯ」 の項目とが設けられている。
【０１７３】
遊技場管理者が台予約に当選して当選メールの配信を受けた遊技者の来場の入力を実施したい場合には、「台予約」の項目に対応する「ＧＯ」 の項目を選択すれば良く、整理券データに当選して当選メールの配信を受けた遊技者の来場の入力を実施したい場合には、「優先入場」の項目に対応する「ＧＯ」 の項目を選択すれば良い。
【０１７４】
まず、「台予約」の項目に対応する「ＧＯ」 の項目を選択した場合には、図１４に示すように、該選択に基づいてサイトサーバ１４は、該遊技場管理者のノートパソコン１５０に配信した来店入力メニューページに該当する遊技場の遊技場ＩＤを含む本日予約台情報出力要求を、管理サーバ１４０に送信する。
【０１７５】
そして、本日予約台情報出力要求の受信に基づいて管理サーバ１４０は、受信した本日予約台情報出力要求に含まれる遊技場ＩＤに対応する遊技場における当日において予約されている予約台の台番号を含む予約台番号情報を返信する。具体的には、当該遊技場の遊技場ＩＤが予約・優先入場状況テーブルにおける対象遊技場に記憶されているとともに、本日を予約日に含む予約情報の台番号をすべて抽出し、該抽出した台番号を含む予約台番号情報を返信する。
【０１７６】
この予約台番号情報の返信を受けてサイトサーバ１４は、図２４（ｃ）に示すように、該返信されてきた予約台番号情報に基づく台番号一覧を含む台予約来店入力ページを生成して配信する。この台予約来店入力ページには、図２４（ｃ）に示す如く、各台番号毎にチェックボックスが設けられており、遊技場管理者は、該台予約来店入力ページにおいて、非来場であった台に対応するチェックボックスをチェックして選択した後に、「送信」を選択する。尚、本実施例の台予約来店入力ページには、図２４（ｃ）に示すように、入力対象日の項目が設けられており、デフォルトでは本日が入力対象日の項目に表示されて、該本日における予約された台の台番号一覧が表示されているが、この入力対象日の項目にて前日等を選択することにより、該前日における予約された台の台番号一覧が表示されることで、前日以前の未入力の台予約時の来店状況も入力できるようになっている。また、本実施例では、非来場であった遊技機（台）を選択するようにしているが、本発明はこれに限定されるものではなく、これら選択を来場のあった遊技機（台）としても良いし、来場または非来場のいずれを入力するかを選択できるようにしても良い。
【０１７７】
前記した台予約来店入力ページにおける「送信」の選択に基づいてサイトサーバ１４は、本日において各台番号の遊技機の予約に当選した遊技者（アクセス利用者）の来店の有無を確認するための予約時来店確認情報を含む送信データを受信して予約時来店確認情報を受付け、予約された遊技機の台番号と当該遊技機を予約を要求した遊技者の来場の有無（チェックの有無）データとを含む予約時来店確認情報を抽出し、該抽出した予約時来店確認情報に当該台予約来店入力ページに該当する遊技場の遊技場ＩＤを付加して管理サーバ１４０に送信する台予約時来店確認情報受付け処理を実施し、該台予約時来店確認情報の受信に応じて管理サーバ１４０において、図４４に示す判定条件変更処理が実施される。
【０１７８】
すなわち、前記台予約時来店確認情報受付け処理において、予約を申し込むことで台予約の当選メールの配信を受けた遊技者（アクセス利用者）の来店の有無を確認するための台予約時来店確認情報が受付けられており、該台予約時来店確認情報受付け処理によって本発明における来店確認情報受付け手段並びに来店確認情報受付けステップが形成されている。
【０１７９】
次に、「優先入場」の項目に対応する「ＧＯ」 の項目を選択した場合には、図１４に示すように、該選択に基づいてサイトサーバ１４は、該遊技場管理者のノートパソコン１５０に配信した来店入力メニューページに該当する遊技場の遊技場ＩＤを含む本日優先入場番号出力要求を、管理サーバ１４０に送信する。
【０１８０】
そして、該本日優先入場番号出力要求の受信に基づいて管理サーバ１４０は、受信した本日優先入場番号出力要求に含まれる遊技場ＩＤに対応する遊技場における当日を優先入場の対象日とする整理券データに使用されている優先入場番号を、予約・優先入場状況テーブルの優先入場の対象日に当日の日付が登録されているとともに対象遊技場に当該遊技場ＩＤが登録されているデータに対応する優先入場番号を全て抽出して特定し、これら整理券データに使用されている優先入場番号を含む当日の優先入場番号情報を返信する。
【０１８１】
この優先入場番号情報の返信を受けてサイトサーバ１４は、図２４（ｄ）に示すように、該返信されてきた優先入場番号情報に基づく優先入場番号一覧を含む優先入場来店入力ページを生成して配信する。この優先入場来店入力ページには、図２４（ｄ）に示す如く、整理券データに使用された全ての優先入場番号に対応するチェックボックスが設けられており、遊技場管理者は、該優先入場来店入力ページにおいて、非来場であった優先入場番号に対応するチェックボックスをチェックして選択した後に、「送信」を選択する。尚、本実施例の優先入場来店入力ページには、図２４（ｄ）に示すように、入力対象日の項目が設けられており、デフォルトでは本日が入力対象日の項目に表示されて、該本日を優先入場の対象日とする整理券データに使用された優先入場番号の一覧が表示されているが、この入力対象日の項目にて前日等を選択することにより、該前日を優先入場の対象日とする整理券データに使用された優先入場番号の一覧が表示されることで、前日以前の未入力の優先入場時における来店状況も入力できるようになっている。また、本実施例では、非来場であった優先入場番号を選択するようにしているが、本発明はこれに限定されるものではなく、これら選択を来場のあった優先入場番号としても良いし、来場または非来場のいずれを入力するかを選択できるようにしても良い。
【０１８２】
前記した優先入場来店入力ページにおける「送信」の選択に基づいてサイトサーバ１４は、本日を優先入場の対象日とする整理券データの配信を受けた遊技者（アクセス利用者）の来店の有無を確認するための優先入場時来店確認情報を含む送信データを受信して優先入場時来店確認情報を受付け、各優先入番号と該優先入番号を含む整理券データの配信を受けた遊技者の来場の有無（チェックの有無）データとを含む優先入場時来店確認情報を抽出し、該抽出した優先入場時来店確認情報に当該優先入場来店入力ページに該当する遊技場の遊技場ＩＤを付加して管理サーバ１４０に送信する優先入場時来店確認情報受付け処理を実施し、該優先入場時来店確認情報の受信に応じて管理サーバ１４０において、図４４に示す判定条件変更処理が実施される。
【０１８３】
すなわち、前記優先入場時来店確認情報受付け処理において、後述する整理券データ抽選処理において配信された当選メールに含まれる整理券データの対象日における当該整理券データの配信を受けた遊技者（アクセス利用者）の来店の有無を確認するための優先入場時来店確認情報が受付けられており、該優先入場時来店確認情報受付け処理によって本発明における来店確認情報受付け手段並びに来店確認情報受付けステップが形成されている。
【０１８４】
また、本実施例では、上記したように、遊技場管理者のノートパソコン１５０からの入力を容易とするために、予約されたパチンコ機２の台番号や整理券データの優先入場番号を用いた来場入力を実施できるようにしているが、本発明はこれに限定されるものではなく、これら台予約を実施した遊技者や整理券データの配信を受けた遊技者の来場を確認するための来店確認情報として、これら遊技者のサイト会員ＩＤを来場時に受付けて、該サイト会員ＩＤを遊技場管理者が入力するようにしても良いし、更には、これら遊技者に配信される後述する当選メールにこれらサイト会員ＩＤや該サイト会員ＩＤを特定可能な当選番号等をシンボル化したバーコード等のデータを添付しておき、これらバーコードを来場時に遊技者の携帯電話１６に表示させて、該表示されたバーコードをハンディスキャナ等にて読み取った後、これらハンディスキャナ等にて読み取った来場者のサイト会員ＩＤや、管理サーバ１４０において該サイト会員ＩＤを特定可能とされた当選番号等を、ノートパソコン１５０や会員管理コンピュータ１２０介してサイトサーバ１４や管理サーバ１４０に送信するようにしても良い。
【０１８５】
また、本実施例では、台予約を実施した遊技者や整理券データの配信を受けた遊技者の来場を確認するための来店確認情報を、遊技場管理者のノートパソコン１５０からサイトサーバ１４を介してや管理サーバ１４０に送信するようにしているが、本発明はこれに限定されるものではなく、例えば、台予約を実施した遊技者や整理券データの配信を受けた遊技者が遊技場会員である場合においては、当該遊技場会員が来場した際に自己の会員カードをカードユニット３に挿入することになるので、営業開始時から所定時間内において、会員カードの挿入の有無により、これら台予約に当選した遊技者や整理券データの配信を受けた遊技場会員の来場の有無を確認し、会員管理コンピュータ１２０がこれら遊技場会員の来場の有無を管理サーバ１４０に自動的に送信するようにしても良い。
【０１８６】
次いで、遊技場管理者により当該遊技場の写真や写真を含む写真館データ（ページ）が、遊技場情報テーブルに記憶される流れについて簡潔に説明すると、これら遊技場の写真や写真を含む写真館データ（ページ）を登録する場合には、前述の管理者用トップページにおいて、「写真館」の項目を選択する。該選択に基づいてサイトサーバ１４は、図示しない写真アップロード用のアップロードページを配信する。
【０１８７】
このページには遊技場の個々の写真をアップロードする場合の写真を指定するためのパス指定入力部と、作成済みの写真館データ（ページ）をアップロードするために、該作成済みの写真館データ（ページ）を指定するためのパス指定入力部とが設けられており、これら各パス指定入力部にてアップロードする写真または写真館データ（ページ）を指定した後に、当該ページに設けられている「送信」の項目を選択することで、該選択に基づいてサイトサーバ１４は、遊技場管理者のノートパソコン１５０から送信（アップロード）されてくる写真または写真館データ（ページ）に基づいて、当該遊技場の遊技場ＩＤに対応して遊技場情報テーブルに記憶されている写真館情報のパスデータから特定される写真館情報データを更新することで、これら遊技場から送信（アップロード）された写真または写真館データ（ページ）がアクセス利用者（遊技者）に対して配信されるようになる。
【０１８８】
ここで、前記台予約時来店確認情報並びに優先入場時来店確認情報の受信に応じて管理サーバ１４０において実施される判定条件変更処理について、図４４に基づき説明すると、まず、遊技場管理者のノートパソコン１５０からサイトサーバ１４が受信することで、該サイトサーバ１４から送信されてくる前述の台予約時来店確認情報に基づいて、管理サーバ１４０は、台予約の予約日（例えば本日）と、遊技者が来店した遊技機の台番号を特定し、予約・優先入場状況テーブルにおいて、該特定した予約日と台番号並びに台予約時来店確認情報に付与されている遊技場ＩＤを含む登録データに対応するサイト会員（アクセス利用者（遊技者））を特定するとともに、該特定したサイト会員（アクセス利用者（遊技場））のサイト会員ＩＤと当該遊技場ＩＤとに対応する予約時来店回数の今月の項目に１を加算する（ステップＳｃ１）。
【０１８９】
また、優先入場時来店確認情報を受信した場合には、該受信した優先入場時来店確認情報に基づいて、管理サーバ１４０は、優先入場の対象日（例えば本日）と、来店した遊技者の優先入場番号を特定し、予約・優先入場状況テーブルにおいて、該特定した対象日と優先入場番号並びに優先入場時来店確認情報に付与されている遊技場ＩＤを含む登録データに対応するサイト会員（アクセス利用者（遊技者））を特定するとともに、該特定したサイト会員（アクセス利用者（遊技者））のサイト会員ＩＤと当該遊技場ＩＤとに対応する優先入場時来店回数の今月の項目に１を加算する（Ｓｃ１）。
【０１９０】
つまり、該判定条件変更処理におけるステップＳｃ１において、各アクセス利用者である遊技者の遊技者識別情報となるサイト会員ＩＤに対応付けて、所定期間となる最近３ヶ月における前記優先入場時来店確認情報に基づく後述する各当選メールに含まれる整理券データの対象日における当該整理券データの配信を受けたアクセス利用者（遊技者）の来店回数を特定可能な情報である優先入場時来店回数や、所定期間となる最近３ヶ月における前記予約時来店確認情報に基づく予約日における予約を実施したアクセス利用者（遊技者）の来店回数を特定可能な情報である予約時来店回数が記憶され、該判定条件変更処理におけるステップＳｃ１によって本発明における優先入店時来店回数記憶ステップ並びに予約時来店回数記憶ステップが形成されている。
【０１９１】
そして、これら予約時来店回数や優先入場時来店回数に１を加算したサイト会員の各来店率を算出して更新する（ステップＳｃ２）。
【０１９２】
つまりは、該判定条件変更処理におけるステップＳｃ２において、所定期間となる最近３ヶ月間における各遊技者が遊技機を予約した際の各遊技者の予約時来店率、並びに整理券データを含む後述の当選メールの配信を受けた際の各遊技者の優先入場時来店率、更には該所定期間における各遊技者が遊技機を予約或いは整理券データを含む後述の当選メールの配信を受けた際の各遊技者の来店率となる予約または優先入場時来店率が算出され、該判定条件変更処理のステップＳｃ２によって本発明における来店率算出手段並びに来店率算出ステップが形成されている。尚、この際、前述のように、予約回数や優先入場回数や、予約回数と優先入場回数との和が５を越えない場合には来店率は算出しない。
【０１９３】
これら更新後の新たな来店率が所定値である３０％未満であるかを判定するとともに（ステップＳｃ３）、新たな来店率が所定値である３０％未満である場合には、該３０％未満である来店率の種別が、対応する遊技場ＩＤに対応付けて予約対象台テーブル並びに優先入場情報テーブルに記憶されている適用来店率の種別に合致するか否かを判定する（ステップＳｃ４）。
【０１９４】
これらステップＳｃ３またはステップＳｃ４のいずれかの判定において否の判定であった場合には、ステップＳｃ６に進む。
【０１９５】
そして、合致した適用来店率が予約の適用来店率の場合には、対応する予約許容禁止フラグを１に更新し、合致した適用来店率が優先入場の適用来店率の場合には対応する整理券配信禁止フラグを１に更新する（ステップＳｃ５）。  尚、これらステップＳｃ５において更新された予約許容禁止フラグは、翌月の月初において全ての禁止フラグが「０」に更新されることで禁止が解除される。
【０１９６】
つまりは、該判定条件変更処理におけるステップＳｃ５において、来店率算出手段を成す前記ステップＳｃ２にて算出された各遊技者の各来店率に基づいて、後述する予約抽選処理または整理券データ抽選処理にておける予約の許容の可否または整理券データの配信可否の判定に使用される判定条件となる予約許容禁止フラグや整理券配信禁止フラグが変更されており、該判定条件変更処理におけるステップＳｃ５によって本発明における判定条件変更手段並びに判定条件変更ステップが形成されている。
【０１９７】
そして、受信した台予約時来店確認情報並びに優先入場時来店確認情報に含まれる当該遊技場の本日における台予約に対応する予約情報の登録データや、優先入場の登録データを、予約・優先入場状況テーブルから削除する（ステップＳｃ６）。
【０１９８】
以下、これら管理サーバ１４０並びにサイトサーバ１４により構築される本実施例の遊技用サービスサイト（ＪＧサイト）の内容について、図２５から図４０に基づいて説明する。尚、以下においてアクセス利用者（遊技者）は、前述した図４１（ａ）に示す非会員トップページにおいて会員登録を済ませたサイト会員であるものとする。
【０１９９】
まず、アクセス利用者（遊技者）が携帯電話１６を用いてサイトサーバ１４による本実施例の遊技用サービスサイト（ＪＧサイト）にアクセスした際には、前述したように、当該アクセスによりサイトサーバ１４が受信するＨＴＴＰリクエストヘッダに、携帯電話会社側が該携帯電話１６を所有するアクセス利用者（遊技者）に対して固有に付与した顧客ＩＤが含まれているので、サイトサーバ１４はこれら顧客ＩＤを抽出するとともに、該抽出した顧客ＩＤを含む認証要求を管理サーバ１４０に送信することで、管理サーバ１４０において該認証要求に含まれる顧客ＩＤ（本実施例ではサイト会員ＩＤに同一）がサイト会員情報テーブルに記憶されているか否かにより、当該アクセス利用者（遊技者）がサイト会員であるか否かを判定し、その判定結果（サイト会員である場合にはサイト会員ＩＤに対応してサイト会員情報テーブルに記憶されている姓名を含む）をサイトサーバ１４に返信する会員認証処理を実施し、これら会員認証処理において顧客ＩＤであるサイト会員ＩＤがサイト会員情報テーブルに記憶されているサイト会員でない場合には、各遊技場の遊技場トップページにアクセスして台予約や優先入場の申し込み自体が許諾されないので、これら会員認証処理によっても、本発明における判定手段並びに判定ステップや、配信可否判定手段並びに配信可否判定ステップが形成されている。
【０２００】
サイトサーバ１４は、該判定結果がアクセス利用者（遊技者）がサイト会員ではない非会員（ゲスト）であると判定された場合には前述のように、図４１（ａ）に示す非会員トップページを配信し、該判定結果がアクセス利用者（遊技者）がサイト会員である場合には、図２５（ａ）に示す、前記判定結果に含まれる姓名を含む会員トップページ（サイトトップページ）を携帯電話１６に配信する。
【０２０１】
この本実施例の会員トップページには、図２５（ａ）に示すように、「機種情報」、「ホール情報」、「業界ニュース」、「攻略法の真実」、「コラム」、「パチプロＱ＆Ａ」、「メールマガジン」、「マイページ」、「用語集」、「ランキング」、「エンタメ・ワールド」の各コンテンツメニューが設けられており、これらのメニューからアクセス利用者（遊技者）は所望するメニューを選択することで、これらのメニューにリンクされた予約サイト内の各ページやサイトサーバ１４の記憶装置１８４に記憶されている前述の各種コンテンツファイルに基づき生成された各ページ等が、サイトサーバ１４の記憶装置１８４の処理プログラムに基づいて配信されるようになっている。
【０２０２】
この会員トップページにおいて、「機種情報」の項目をアクセス利用者（遊技者）が選択すると、図２５（ｂ）に示すように、「新機種情報」、「機種検索」、「実践データ」、「設置店検索」の各サブメニューを含むサブメニューページがサイトサーバ１４より配信されて表示される。
【０２０３】
この図２５（ｂ）に示すサブメニューページの各サブメニューの内、「新機種情報」のサブメニューを選択した場合には、図２５（ｃ）に示すように、パチンコとスロットの各種別毎に、前記パチンコ台データテーブル（図１０（ａ）参照）に登録（記憶）されている最新の１０件（機種ＩＤは登録順に付与されている）の各パチンコ機の機種名や、前記パチスロ台データテーブル（図１０（ｂ）参照）に登録（記憶）されている最新の１０件の各パチスロ機の機種名が選択操作可能に一覧表示された機種選択ページが、サイトサーバ１４にて生成されて配信される。
【０２０４】
この図２５（ｃ）に示す機種選択ページにおいて、アクセス利用者（遊技者）が例えば、「ＣＲ△△△」を選択した場合には、該選択に基づいてサイトサーバ１４は、選択された機種名が「ＣＲ△△△」であると特定し、該特定した機種名である「ＣＲ△△△」に対応して前述のパチンコ台データテーブルに記憶されている各台データ並びに台画像データへのパスデータから特定される台画像データを読み出して図２５（ｄ）に示す新機種情報ページを生成して配信することで、アクセス利用者（遊技者）は選択した「ＣＲ△△△」の機種情報を確認することができる。尚、アクセス利用者（遊技者）がスロットの機種名、例えば「００××」を選択した場合にも、パチンコ機の場合と同様に、機種名が「００××」と特定され、特定した機種名である「００××」に対応して前述のパチスロ台データテーブルに記憶されている各台データ並びに台画像データへのパスデータから特定される台画像データを含む新機種情報ページが生成されて配信される。
【０２０５】
また、図２６（ｂ）に示すサブメニューページ（前述の図２５（ｂ）に同じ）において、「機種検索」のサブメニューを選択した場合には、図２６（ｃ）に示すように、「（１）パチンコ機種検索」の項目と、「（２）パチスロ機種検索」の項目と、「（３）簡易機種名検索」の項目とが選択操作可能に表示される検索メニュー選択ページがサイトサーバ１４から配信される。
【０２０６】
アクセス利用者（遊技者）は、この検索メニュー選択ページにおいて、検索対象とする遊技機がパチンコ機である場合には、「（１）パチンコ機種検索」の項目を選択すれば良く、検索対象とする遊技機がパチスロ機である場合には、「（２）パチスロ機種検索」の項目を選択すれば良い。また、検索対象とする遊技機の機種名の一部でも判っている場合には、「（３）簡易機種名検索」の項目を選択すれば良い。
【０２０７】
この検索メニュー選択ページにおいて、アクセス利用者（遊技者）が、例えば、検索対象とする遊技機がパチンコ機であるので「（１）パチンコ機種検索」の項目を選択した場合には、該選択に基づいてサイトサーバ１４は、図２６（ｄ）に示すパチンコ機種検索ページを配信する。
【０２０８】
この本実施例のパチンコ機種検索ページには、図２６（ｄ）に示す如く、検索条件として機種名の全部または一部を入力することで、該入力された名称を含む機種がパチンコ台データテーブルから検索される「機種名」の入力部と、該パチンコ機種検索ページ内に一覧表示されているパチンコ機の各メーカ名の番号を入力することで当該メーカー名に対応付けてパチンコ台データテーブルに記憶されている機種が一覧表示される「メーカー」の入力部と、該パチンコ機種検索ページ内に一覧表示されているパチンコ機の各機種タイプの番号を入力することで当該機種タイプに該当するパチンコ台データテーブルに記憶されている機種が一覧表示される「機種タイプ」の入力部とが設けられており、アクセス利用者（遊技者）は、これらの入力部に検索条件、例えば機種名の一部となる「△△△」を「機種名」の入力部に入力した後に、当該ページに設けられている「検索」の項目を選択する。
【０２０９】
該選択に基づいてサイトサーバ１４は、「機種名」の入力部に入力されたテキスト（文字列）が「△△△」であると特定し、該特定したテキスト（文字列）「△△△」を機種名に含む機種名をパチンコ台データテーブルから検索して全てリスト抽出し、該抽出した機種名の一覧を含み、該機種名が選択操作可能とされた図２６（ｅ）に示すパチンコ機種検索結果ページを生成して配信する。
【０２１０】
そして、該パチンコ機種検索結果ページに検索対象とするパチンコ機の機種名が有る場合に、アクセス利用者（遊技者）は、該検索対象とするパチンコ機の機種名、例えば「ＣＲ△△△」を選択することで、該選択された機種名である「ＣＲ△△△」に対応して前述のパチンコ台データテーブルに記憶されている各台データ並びに台画像データへのパスデータから特定される台画像データを含む図２６（ｆ）に示す機種情報ページがサイトサーバ１４により生成されて配信される。尚、該パチンコ機種検索結果ページに検索対象とするパチンコ機の機種名が無かった場合には、該ページの下部に設けられている「コーナーＴＯＰへ」の項目を選択することで、図２６（ｃ）の検索メニュー選択ページが再度配信されて該検索メニュー選択ページに戻り、その他の検索方法を選択できるようになり、「ＴＯＰへ」の項目を選択することで、図２６（ａ）に示す会員トップページ（図２５（ａ）と同じ）が再度配信されて該会員トップページに戻ることができるようになっている、また、これら「コーナーＴＯＰへ」や「ＴＯＰへ」はその他の各ページにも同様に設けられており、これらの項目を選択することで同様のページに移行できるようになっている。
【０２１１】
尚、前述の検索メニュー選択ページにおいて、アクセス利用者（遊技者）が、例えば、「（２）パチスロ機種検索」の項目を選択した場合には、パチンコ機種検索ページと同様とされ、検索条件として機種名の全部または一部を入力することで、該入力された名称を含む機種がパチスロ台データテーブルから検索される「機種名」の入力部と、該パチスロ機種検索ページ内に一覧表示されているパチスロ機の各メーカ名の番号を入力することで当該メーカー名に対応付けてパチスロ台データテーブルに記憶されている機種が一覧表示される「メーカー」の入力部と、該パチスロ機種検索ページ内に一覧表示されているパチスロ機の各機種タイプの番号を入力することで当該機種タイプに該当するパチスロ台データテーブルに記憶されている機種が一覧表示される「機種タイプ」の入力部とが設けられていて、該パチスロ機種検索ページにて入力された検索条件に基づいて検索が実施されて、図２６（ｅ）に示すパチンコ機種検索結果ページと同様のパチスロ機種検索結果ページに検索されたパチスロ機の機種名の一覧が選択操作可能に表示され、該機種名一覧から検索対象の機種名を選択することで、該選択された機種名の機種情報ページが生成されて配信される。
【０２１２】
また、前述の検索メニュー選択ページにおいて、アクセス利用者（遊技者）が、例えば、「（３）簡易機種検索」の項目を選択した場合には、パチンコ機種検索ページやパチスロ機種検索ページにおける「メーカー」の入力部や「機種タイプ」の入力部を有しない「機種名」の入力部のみを有する図示しない簡易機種検索ページが配信されて、該簡易機種検索ページの「機種名」の入力部に、検索対象とする遊技機の機種名の少なくとも一部を入力することで、該当する機種が検索されて一覧表示された前述の図２６（ｅ）に示すパチンコ機種検索結果ページと同様の簡易機種検索結果ページが配信され、該簡易機種検索結果ページ機種名一覧から検索対象の機種名を選択することで、該選択された機種名の機種情報ページが生成されて配信される。
【０２１３】
また、図２７（ｂ）に示すサブメニューページ（前述の図２５（ｂ）に同じ）において、「実践データ」のサブメニューを選択した場合には、「（１）パチンコ機種（新着）」の項目と、「（２）パチンコ機種（検索）」の項目と、「（３）パチスロ機種（新着）」の項目と、「（４）パチスロ機種（検索）」の項目とが選択操作可能に表示される図２７（ｃ）に示す実践データ選択ページがサイトサーバ１４から配信される。
【０２１４】
この実践データ選択ページにおいて、アクセス利用者（遊技者）が、例えば「（１）パチンコ機種（新着）」の項目を選択した場合には、該選択がサイトサーバ１４にて特定されて、最近において更新または新規に登録されたパチンコ機の実践データの更新日（新規登録日）と選択操作可能とされた当該機種名との一覧を含む図２７（ｄ）に示す新着実践データ（パチンコ）ページがサイトサーバ１４にて生成されて配信される。
【０２１５】
この新着実践データ（パチンコ）ページ内の各機種名は、図２７（ｄ）に示すように選択操作可能とされていて、これら機種名の中から、例えば「ＣＲ△△△」を選択することで、該選択された機種名である「ＣＲ△△△」に対応して前述のパチンコ台データテーブルに記憶されている実践データへのパスデータから特定される実践データが読み出され、該読み出された実践データの内、グラフ画像を含む図２７（ｅ）に示す実践データページ１が配信される。
【０２１６】
そして、該実践データページ１には、図２７（ｅ）に示すように、選択操作可能とされた「実践データ表示」の項目と、「コメント表示」の項目と、「機種情報」の項目とが設けられており、この「実践データ表示」の項目を選択することで、前記にて読み出された実践データの内、図２７（ｆ）に示すように数値データを含む実践データページ２が配信され、「コメント表示」の項目を選択する（実践データページ２の場合も同様）ことで、前記にて読み出された実践データの内、図２７（ｇ）に示すコメントを含む実践データページ３が配信される。
【０２１７】
また、これら実践データページ１、実践データページ２、実践データページ３の各ページに設けられている「機種情報」の項目を選択した場合には、実践データの対象に選択されている機種名である「ＣＲ△△△」に対応して前述のパチンコ台データテーブルに記憶されている各台データ並びに台画像データへのパスデータから特定される台画像データを含む図２７（ｈ）に示す機種情報ページ（図２６（ｆ）に同じ）がサイトサーバ１４により生成されて配信される。
【０２１８】
尚、前記した図２７（ｃ）に示す実践データ選択ページにおいて、アクセス利用者（遊技者）が、「（３）パチンコ機種（新着）」の項目を選択した場合には、上記した「（１）パチンコ機種（新着）」の項目を選択した場合と同様に、最近において更新または新規に登録されたパチスロ機の実践データの更新日（新規登録日）と選択操作可能とされた当該機種名との一覧を含む新着実践データ（パチスロ）ページが配信されて、該新着実践データ（パチスロ）ページにて選択したパチスロの機種の実践データページ１、実践データページ２、実践データページ３が配信される。
【０２１９】
一方、図２８（ｃ）の実践データ選択ページ（前述の図２７（ｃ）に同じ）において、アクセス利用者（遊技者）が、例えば「（２）パチンコ機種（検索）」の項目を選択した場合には、該選択がサイトサーバ１４にて特定されて、図２８（ｄ）に示すパチンコ機種検索ページ（前述の図２６（ｄ）のパチンコ機種検索ページと同一）を配信して、前述の図２６（ｄ）のパチンコ機種検索ページの場合と同様に検索条件の入力を受付け、サイトサーバ１４は、該入力された検索条件に該当するパチンコ機の機種名とメーカー名とをパチンコ台データテーブルから検索して全てリスト抽出し、該抽出したパチンコ機の機種名とメーカー名とを含む、図２８（ｅ）に示す検索結果ページを生成して配信する。
【０２２０】
この検索結果ページに実践データの入手を希望するパチンコ機の機種名が有る場合には、該パチンコ機の機種名、例えば「ＣＲ△△△」を選択することで、該選択された機種名である「ＣＲ△△△」に対応して前述のパチンコ台データテーブルに記憶されている実践データへのパスデータから特定される実践データが読み出され、該読み出された実践データの内、グラフ画像を含む図２８（ｆ）に示す実践データページ１が配信される。
【０２２１】
そして、該実践データページ１には、図２８（ｆ）に示すように、選択操作可能とされた「実践データ表示」の項目と、「コメント表示」の項目と、「機種情報」の項目とが設けられており、この「実践データ表示」の項目を選択することで、前記にて読み出された実践データの内、図２８（ｇ）に示すように数値データを含む実践データページ２が配信され、「コメント表示」の項目を選択する（実践データページ２の場合も同様）ことで、前記にて読み出された実践データの内、図２８（ｈ）に示すコメントを含む実践データページ３が配信される。
【０２２２】
また、これら実践データページ１、実践データページ２、実践データページ３の各ページに設けられている「機種情報」の項目を選択した場合には、実践データの対象に選択されている機種名である「ＣＲ△△△」に対応して前述のパチンコ台データテーブルに記憶されている各台データ並びに台画像データへのパスデータから特定される台画像データを含む図２８（ｉ）に示す機種情報ページ（図２６（ｆ）に同じ）がサイトサーバ１４により生成されて配信される。
【０２２３】
尚、前記した図２８（ｃ）に示す実践データ選択ページにおいて、アクセス利用者（遊技者）が、「（４）パチスロ機種（検索）」の項目を選択した場合には、上記した「（３）パチンコ機種（新着）」の項目を選択した場合と同様に、メーカー名や機種タイプがパチスロ用とされたパチスロ機種検索ページがパチンコ機種検索ページに代えて配信されることで、パチスロ機を対象とする検索を実施し、その検索結果ページにおいて実践データを入手したい機種名を選択することで、該選択したパチスロの機種の実践データページ１、実践データページ２、実践データページ３が配信される。
【０２２４】
また、図２９（ｂ）に示すサブメニューページ（前述の図２５（ｂ）に同じ）において、「設置店検索」のサブメニューを選択した場合には、図２９（ｃ）に示すように、「（１）パチンコ機種検索」の項目と、「（２）パチスロ機種検索」の項目と、「（３）簡易機種名検索」の項目とが選択操作可能に表示される設置店検索メニュー選択ページがサイトサーバ１４から配信される。
【０２２５】
アクセス利用者（遊技者）は、この図２９（ｃ）に示す設置店検索メニュー選択ページにおいて、検索対象とする遊技場に設置されている所望する遊技機がパチンコ機である場合には、「（１）パチンコ機種検索」の項目を選択すれば良く、所望する遊技機がパチスロ機である場合には、「（２）パチスロ機種検索」の項目を選択すれば良い。また、所望する遊技機の機種名の一部でも判っている場合には、「（３）簡易機種名検索」の項目を選択すれば良い。
【０２２６】
この検索メニュー選択ページにおいて、アクセス利用者（遊技者）が、例えば、所望する遊技機がパチンコ機であるので「（１）パチンコ機種検索」の項目を選択した場合には、該選択に基づいてサイトサーバ１４は、図２９（ｄ）示すパチンコ機種検索ページ（図２６（ｄ）に同一）を配信する。
【０２２７】
アクセス利用者（遊技者）は、これらの入力部に検索条件、例えば所望するパチンコ機の機種名の一部となる「△△△」を「機種名」の入力部に入力した後に、当該ページに設けられている「検索」の項目を選択することで、前述のパチンコ機種検索の場合と同様に、該「機種名」の入力部に入力された「△△△」テキスト（文字列）「△△△」を機種名に含むパチンコ機種の機種名がパチンコ台データテーブルから抽出され、該抽出された機種名の一覧を含み、該機種名が選択操作可能とされた図２９（ｅ）に示す検索結果ページを生成して配信する。
【０２２８】
そして、該検索結果ページに所望するパチンコ機の機種名が有る場合に、アクセス利用者（遊技者）は、該所望するパチンコ機の機種名、例えば「ＣＲ△△△」を選択することで、サイトサーバ１４は、当該機種のパチンコ機を設置している遊技場を、管理サーバ１４０に記憶されている遊技場情報テーブルに登録されている各遊技場の設置機種のパスデータから特定される設置機種データを検索して抽出し、該抽出した各遊技場の遊技場名とその所在地（都道府県と市区町村）とを含む、図２９（ｆ）に示す設置店検索結果ページを生成して配信する。
【０２２９】
この設置店検索結果ページに含まれる各遊技場の遊技場名は選択操作可能とされていて、これら設置店検索結果ページ中の遊技場名、例えば「パーラー○○」を選択することで、該選択された契約遊技場である図２９（ｇ）に示す「パーラー○○」の遊技場トップページが、サイトサーバ１４により配信される。
【０２３０】
これら各契約遊技場の遊技場トップページには、図２９（ｇ）に示すように、当該遊技場設置されている遊技機の情報が配信される「設置機種情報」の項目や、お得情報が配信される「お得情報」の項目や、出玉情報が配信される「出玉情報」の項目や、当該遊技場の写真が配信される「写真館」の項目や、当該遊技場の住所や設置台数やレート等の基本情報が配信される「基本情報」の項目や、設定された予約可能台の予約を申し込むための「台予約」の項目や、優先入場を申し込むための「優先入場」の項目や、昨日の遊技データに基づくランキングが配信される「昨日ランキング」の項目が選択操作可能に設けられているとともに、その下方位置には、「ランキングに投票」の項目や、「マイページに登録」の項目や、「マイページ登録解除」の項目が選択可能に設けられている。
【０２３１】
尚、これら各契約遊技場の遊技場トップページにおける「設置機種情報」から「昨日ランキング」までの項目に関する説明は、後述する図３７〜図４０において詳細に行うので、ここでの説明は省略し、「ランキングに投票」並びに「マイページに登録」の項目に関して簡潔に説明する。また、「マイページ登録解除」の項目に関しては、後述する図３０において説明する。
【０２３２】
本実施例では、これら検索した遊技場をお気に入りホールとして登録できるようになっており、お気に入りホールとして遊技場を登録する場合には、各契約遊技場の遊技場トップページに設けられている「マイページに登録」の項目を選択すれば良く、例えばアクセス利用者（遊技者）が、図２９（ｇ）に示す契約遊技場である「パーラー○○」の遊技場トップページにおける「マイページに登録」の項目を選択した場合には、サイトサーバ１４は、該「マイページに登録」の項目（メニュー）の選択されたことを受付け、当該遊技場トップページに該当する契約遊技場である「パーラー○○」の遊技場ＩＤと、携帯電話１６から送信される該「マイページに登録」の選択受付けに伴う送信データのヘッダに含まれる顧客ＩＤ（サイト会員ＩＤに同一）を含むマイページ登録要求を管理サーバ１４０に送信するマイページに登録処理を実施する。
【０２３３】
つまりは、該マイページに登録処理において、本発明の遊技者端末となるアクセス利用者（遊技者）の携帯電話１６から、利用契約した各遊技場の中からアクセス利用者（遊技者）が所望する特別遊技場となるお気に入りホールの指定を受付けており、該マイページに登録処理によって本発明における特別遊技場受付け手段並びに特別遊技場受付けステップとが形成されている。
【０２３４】
そして該マイページ登録要求を受信した管理サーバ１４０は、受信したマイページ登録要求に含まれる顧客ＩＤ（サイト会員ＩＤに同一）に対応付けてサイト会員情報テーブルに記憶されている遊技場ＩＤの数をカウントし、その数が１０に達している場合には、登録エラーをサイトサーバ１４に送信することで、該サイトサーバ１４から携帯電話１６に対して図２９（ｉ）に示す、既に登録が１０件の登録があるので１件を消去して下さいとする旨のメッセージを含む登録エラーページが配信され、その数が１０に達していない場合には、受信したマイページ登録要求に含まれる遊技場ＩＤを顧客ＩＤであるサイト会員ＩＤに対応付けてサイト会員情報テーブルに登録（記憶）し、前記カウントした数から１を減算した数と、登録完了とを含む登録完了通知をサイトサーバ１４に送信するお気に入りホール記憶処理を実施する。
【０２３５】
つまりは、該お気に入りホール記憶処理において、前記特別遊技場受付けステップとなる前述のマイページに登録処理にて指定を受付けた遊技場を特定可能な遊技場特定情報となる遊技場ＩＤを当該アクセス利用者（遊技者）のサイト会員ＩＤ（顧客ＩＤ）に対応付けて記憶しており、該気に入りホール記憶処理によって本発明における特別遊技場記憶ステップが形成されている。
【０２３６】
そして、前記お気に入りホール記憶処理にて送信された登録完了通知の受信に基づいて、サイトサーバ１４から携帯電話１６に対して、図２９（ｈ）に示す、お気に入りホールに登録可能な残数を含む登録完了ページが配信される。尚、図２９（ｉ）に示す本実施例の登録エラーページには、「お気に入りホール一覧へ」の項目が設けられていることで、該項目を選択することで後述する図３４（ｃ）のお気に入りホール一覧ページへ移動して、不必要なお気に入りホールを削除することができるようになっている。
【０２３７】
次に、図３０（ａ）に示す会員トップページ（前述の図２５（ａ）に同じ）において、「ホール情報」の項目をアクセス利用者（遊技者）が選択すると、図３０（ｂ）に示すように、「新着ホール情報」、「全国ホール検索」の各サブメニューを含むサブメニューページがサイトサーバ１４より配信されて表示される。
【０２３８】
この図３０（ｂ）に示すサブメニューページの各サブメニューの内、「新着ホール情報」のサブメニューをアクセス利用者（遊技者）が選択した場合には、図３０（ｃ）に示すように、「（１）新着ホール情報」の項目と、「（２）地域別新着ホール情報」の項目とが選択操作可能に表示される新着ホール情報メニュー選択ページがサイトサーバ１４から配信される。
【０２３９】
この新着ホール情報メニュー選択ページにおける「（１）新着ホール情報」の項目をアクセス利用者（遊技者）が選択した場合には、図３０（ｄ）に示すように、遊技場情報テーブルに新規に登録された最新１０件（新着１０件）の遊技場の登録日と遊技場名との一覧を含む新着ホール情報ページが、サイトサーバ１４にて作成されて配信される。
【０２４０】
この図３０（ｄ）に示す新着ホール情報ページに含まれる各遊技場名は、選択操作可能とされており、これら一覧表示された各遊技場名、例えば「パーラー○○」を選択することで、図３０（ｅ） に示すように、該選択した「パーラー○○」の遊技場トップページがサイトサーバ１４により配信される。
【０２４１】
この図３０（ｅ） に示す「パーラー○○」の遊技場トップページは、図２９（ｇ）と同一であり、その下部位置には、前述のように、「マイページ登録解除」の項目が選択操作可能に設けられており、該「マイページ登録解除」の項目を選択することで、当該アクセス利用者（遊技者）が当該遊技場をお気に入りホールに登録している場合において、その登録が削除される。
【０２４２】
具体的には、該「マイページ登録解除」の項目を選択により、サイトサーバ１４は、図３０（ｉ）に示す、確認ページを配信して削除意志の確認を実施するとともに、該確認ページにおいて「ＯＫ」の項目が選択された場合には、当該確認ページに該当する遊技場である「パーラー○○」の遊技場ＩＤと、携帯電話１６から送信される該「マイページ登録解除」の選択に伴う送信データのヘッダに含まれる顧客ＩＤ（サイト会員ＩＤに同一）を含むマイページ削除要求を管理サーバ１４０に送信するマイページ削除処理を実施する。
【０２４３】
そして該マイページ削除要求を受信した管理サーバ１４０は、受信したマイページ削除要求に含まれる顧客ＩＤ（サイト会員ＩＤに同一）に対応付けてサイト会員情報テーブルに記憶されている遊技場ＩＤに、該受信したマイページ削除要求に含まれる遊技場ＩＤが含まれているかを確認し、含まれていない場合には、削除エラーをサイトサーバ１４に送信することで、図示しない削除エラーページが配信され、マイページ削除要求に含まれる遊技場ＩＤが含まれている場合には、該イページ削除要求に含まれる遊技場ＩＤの登録（記憶）を削除し、削除後において登録されている遊技場ＩＤの数をカウントして、該カウントした数と削除完了とを含む登録完了通知をサイトサーバ１４に送信することで、サイトサーバ１４から携帯電話１６に対して、図３０（ｇ）に示す、新たにお気に入りホールに登録可能な残数を含む削除完了ページが配信される。
【０２４４】
一方、前述の図３０（ｃ）に示す新着ホール情報メニュー選択ページにおいて、「（２）地域別新着ホール情報」の項目をアクセス利用者（遊技者）が選択した場合には、地域を指定するための地域指定入力部を有する図示しない地域指定入力ページが配信され、該地域指定入力ページにて新着遊技場が該当する地域、例えば「新宿区」等を入力することで、最近において遊技場情報テーブルに登録（記憶）された遊技場の内、該「新宿区」の近郊の遊技場名一覧を含む地域別新着ホール情報ページが、サイトサーバ１４から配信される。
【０２４５】
また、図３１（ｂ）のホール情報のサブメニューページ（図３０（ｂ）に同じ）において、「全国ホール検索」のサブメニューをアクセス利用者（遊技者）が選択した場合には、図３１（ｃ）に示すように、「ホール検索」の項目と、「簡易ホール名検索」の項目と、「現在地で検索」の項目と、「地域から検索」の項目とが選択操作可能に表示される全国ホール検索メニュー選択ページがサイトサーバ１４から配信される。
【０２４６】
この全国ホール検索メニュー選択ページにおける「ホール検索」の項目をアクセス利用者（遊技者）が選択した場合には、図３１（ｄ）に示すように、詳細な検索条件、具体的には、ホール名や、都道府県、設置機種名、お得情報の存在の有無、出玉情報の存在の有無、駐車場の存在の有無や、パチンコレートや、パチスロレートの各条件を入力またはチェックボックスにて選択指定できる検索条件設定ページが配信され、アクセス利用者（遊技者）は、該検索条件設定ページにおいて希望する検索条件を入力または選択した後、当該ページに設けられている「検索」の項目を選択することで、サイトサーバ１４は、これら検索条件設定ページの各項目に入力または選択された条件を特定し、該特定した全ての条件を満たす遊技場を、遊技場情報テーブルにおいて検索して抽出し、該当する遊技場が存在する場合において、抽出した遊技場の遊技場名と所在地（都道府県と市区町村）との一覧を含む、図３１（ｅ）に示すホール検索結果ページを配信する。尚、これらホール検索結果ページに含まれる各遊技場の内、アクセス利用者（遊技者）がお気に入りホールに登録している遊技場が特定されて、該特定されたお気に入りホールに登録している遊技場には、「★」のマークが付与される。
【０２４７】
これらホール検索結果ページに含まれる遊技場名は、選択操作可能とされていて、各遊技場名を選択することで、図３１（ｆ）に示すように、該選択された遊技場の遊技場トップページが配信される。
【０２４８】
尚、図３１（ｃ）に示す前述の全国ホール検索メニュー選択ページにおいて「簡易ホール名検索」の項目を選択した場合には、図３１（ｄ）に示す検索条件設定ページに含まれる各種の検索条件の内、ホール名のみの検索条件の入力部を有する簡易ホール名検索設定ページが配信されてホール名に基づく検索を実施できる。
【０２４９】
また、図３１（ｃ）に示す前述の全国ホール検索メニュー選択ページにおいて「現在地で検索」の項目を選択した場合には、携帯電話１６のその時点での位置情報が、携帯電話会社の現在位置情報通知サービスを提供するサーバから携帯電話１６に通知されることに基づいて、該通知された現在位置を含み、在の位置をサイトサーバ１４に通知して良いかを確認する後述する図３５（ｃ）に示す現在位置情報通知確認画面と同一の画面が携帯電話１６において表示され、該画面における「ＯＫ」を選択することで、該現在位置情報通知サービスを提供するサーバからサイトサーバ１４に対して通知される現在位置情報の近郊の遊技場が検索され、検索された現在位置に近い遊技場の一覧を含む地域ホール情報ページ（図３５（ｄ）に同じ）が生成されて配信される。
【０２５０】
また、図３１（ｃ）に示す前述の全国ホール検索メニュー選択ページにおいて「地域から検索」の項目を選択した場合には、図３１（ｄ）に示す前述の検索条件設定ページに含まれる各種の検索条件の内、都道府県や市区町村のみの検索条件の入力部を有する地域から検索設定ページが配信されて、地域指定に基づく検索を実施できる。
【０２５１】
次に、前述の会員トップページにおいて、「業界ニュース」の項目をアクセス利用者（遊技者）が選択すると、「パチンコ関連事件簿」の項目と、「展示会／内覧会レポート」の項目とが選択操作可能に表示される図示しない業界ニュースメニュー選択ページがサイトサーバ１４から配信される。
【０２５２】
この業界ニュースメニュー選択ページにおいて、アクセス利用者（遊技者）が「パチンコ関連事件簿」の項目を選択した場合には、記憶装置１８４に記憶されている業界ニュースコンテンツファイル中の事件簿コンテンツ、具体的には各日付に対応する事件記事の一覧が読み出されて、当該事件記事の一覧を含む図示しない事件記事選択ページが配信されることで、該事件記事選択ページにおいてアクセス利用者（遊技者）が閲覧したい記事を選択することにより、選択された記事がサイトサーバ１４から配信される。
【０２５３】
一方、業界ニュースメニュー選択ページにおいて、アクセス利用者（遊技者）が「展示会／内覧会レポート」の項目を選択した場合には、記憶装置１８４に記憶されている業界ニュースコンテンツファイル中の展示会レポートコンテンツ、具体的には各日付に対応するレポート記事の一覧が読み出されて、当該レポート記事の一覧を含む図示しないレポート記事選択ページが配信され、該レポート記事選択ページにおいてアクセス利用者（遊技者）が閲覧したい記事を選択することで、選択された記事がサイトサーバ１４から配信される。
【０２５４】
次に、図３２（ａ）に示す会員トップページ（前述の図２５（ａ）に同じ）において、「攻略法の真実」の項目をアクセス利用者（遊技者）が選択すると、図３２（ｂ）に示すように、「攻略法の真実」のサブメニューを有するサブメニューページがサイトサーバ１４から配信され、該サブメニューページにおいて「攻略法の真実」のサブメニューを選択することで、サイトサーバ１４の記憶装置１８４に記憶されている攻略法コンテンツファイル中に攻略法の登録がある機種の内、最新登録の攻略法に対応する機種の一覧を含む、例えば図３２（ｃ）に示す対象機種選択ページが配信され、該対象機種選択ページに含まれている機種を選択することで、選択された機種の攻略法の情報が、攻略法コンテンツファイルから読み出されて配信される。
【０２５５】
尚、本実施例の前記対象機種選択ページには、図３２（ｃ）に示すように、「★シークレット◎なび」の項目が設けられており、該項目をアクセス利用者（遊技者）が選択すると、図３２（ｄ）に示すように、市販されている書籍に掲載されているシークレットコード（数字列）の入力を促すメッセージと、シークレットコード（数字列）の入力部を含むシークレット◎ナビページがサイトサーバ１４から配信されるようになっており、該シークレット◎ナビページにおいてシークレットコード（数字列）を入力した後、「入力」の項目を選択することで、該入力されたシークレットコード（数字列）が、記憶装置１８４に各種データファイルとして登録されているシークレット◎ナビファイルに含まれるシークレットコード（数字列）に一致する場合において、サイトサーバ１４は、当該アクセス利用者（遊技者）のシークレットページへの入室を許容し、前記シークレット◎ナビファイルに含まれる特別なシークレットページ、例えば非常に有用性が高い攻略法等の情報や大勝データ、並びにプレミアムグッズのプレゼントへの応募等を含むページが、該アクセス利用者（遊技者）に配信されるようになる。
【０２５６】
次に、前述の会員トップページにおいて、「コラム」の項目をアクセス利用者（遊技者）が選択すると、「○○姫日記」の項目を含むサブメニューページがサイトサーバ１４から配信され、該サブメニューページにおいて「○○姫日記」の項目を選択することで、記憶装置１８４にコラムコンテンツファイルとして記憶されている日記タイトルとその日付の一覧とが読み出されて、当該日記タイトルとその日付一覧を含む図示しない日記選択ページが配信され、該日記選択ページにおいてアクセス利用者（遊技者）が閲覧したいタイトルの日記を選択することで、選択された日記がサイトサーバ１４から配信される。
【０２５７】
次に、前述の会員トップページにおいて、「パチプロＱ＆Ａ」の項目をアクセス利用者（遊技者）が選択すると、「初級者版」の項目と、「上級者版」の項目と、「パチプロに相談する！？」の項目とが選択操作可能に表示される図示しないカテゴリ選択ページがサイトサーバ１４から配信される。
【０２５８】
このカテゴリ選択ページにおいて、アクセス利用者（遊技者）が「初級者版」の項目を選択した場合には、記憶装置１８４に記憶されているＱ＆Ａコンテンツファイル中の初級者版に対応するＱ＆Ａファイルから、Ｑ＆Ａの見出し一覧が読み出されて、当該見出し一覧を含む図示しない初級者版見出し一覧ページが配信され、該初級者版見出し一覧ページにおいてアクセス利用者（遊技者）が閲覧したい見出しを選択することにより、選択された見出しのＱ＆Ａの内容を含む内容詳細ページがサイトサーバ１４から配信される。
【０２５９】
また、前記カテゴリ選択ページにおいて、アクセス利用者（遊技者）が「上級者版」の項目を選択した場合には、前記記憶装置１８４に記憶されているＱ＆Ａコンテンツファイル中の上級者版に対応するＱ＆Ａファイルから、Ｑ＆Ａの見出し一覧が読み出されて、当該見出し一覧を含む図示しない上級者版見出し一覧ページが配信され、該上級者版見出し一覧ページにおいてアクセス利用者（遊技者）が閲覧したい見出しを選択することにより、選択された見出しのＱ＆Ａの内容を含む内容詳細ページがサイトサーバ１４から配信される。
【０２６０】
また、前記カテゴリ選択ページにおいて、アクセス利用者（遊技者）が「パチプロに相談する！？」の項目を選択した場合には、投稿する文章を入力するための投稿文入力部を有する投稿ページがサイトサーバ１４から配信され、該投稿ページの投稿文入力部にパチプロに相談したい内容等を入力して投稿（送信）することで、該投稿した質問が、初級者または上級者版のＱ＆Ａファイルに追加されて、他のアクセス利用者（遊技者）からも当該質問や該質問に対するパチプロの回答を、前記初級者版見出し一覧ページまたは上級者版見出し一覧ページにおいて指定することで、閲覧できるようになっている。
【０２６１】
次に、前述の会員トップページにおいて、「メールマガジン」の項目をアクセス利用者（遊技者）が選択すると、メールマガジンの購読を促すメッセージを含むとともに、「サンプルページを見る」の項目と、「メールマガジンに申し込む」の項目と、「解約する」の項目とが選択操作可能に表示される図示しないメールマガジンメニューページがサイトサーバ１４から配信される。
【０２６２】
このメールマガジンメニューページにおいて、アクセス利用者（遊技者）が「サンプルページを見る」の項目を選択した場合には、記憶装置１８４に記憶されているメールマガジンコンテンツファイルから、サンプルとして登録されている各メールマガジンのタイトルを抽出して、該抽出した各メールマガジンのタイトル一覧を含むサンプル一覧ページが配信される。
【０２６３】
また、前記メールマガジンメニューページにおいて、「メールマガジンに申し込む」の項目と「解約する」の項目に対応付けてチェックボックスが設けられており、これらチェックボックスをチェックして選択した後、該ページに設けられている「送信」の項目を選択することで、サイトサーバ１４において、メールマガジンの申し込み処理或いは解約処理が実施されることで、メールマガジンの申し込み、或いは解約を実施できるようになっている。
【０２６４】
次に、図３３（ａ）に示す会員トップページ（前述の図２５（ａ）に同じ）において、「マイページ」の項目をアクセス利用者（遊技者）が選択すると、「収支帳簿」の項目と、「お気に入りホール情報」の項目と、「地域ホール情報」の項目と、「メールボックス」の項目とが選択操作可能に表示される、図３３（ｂ）に示すマイページメニュー選択ページがサイトサーバ１４から配信される。
【０２６５】
この、図３３（ｂ）に示すマイページメニュー選択ページにおいて、アクセス利用者（遊技者）が「収支帳簿」の項目を選択した場合には、図３３（ｃ）に示すように、「（１）収支帳登録」の項目と、「（２）収支帳参照」の項目と、「（３）収支帳変更／削除」の項目とが選択操作可能に表示される収支帳メニュー選択ページがサイトサーバ１４から配信される。
【０２６６】
アクセス利用者（遊技者）は、この図３３（ｃ）に示す収支帳メニュー選択ページにおいて、新たな収支データを収支帳に登録（記憶）したい場合には、「（１）収支帳登録」の項目を選択すれば良く、既に登録されている収支帳の収支データを確認したい場合には、「（２）収支帳参照」の項目を選択すれば良く、既に登録されている収支帳の収支データの内容を変更または削除したい場合には「（３）収支帳変更／削除」の項目を選択すれば良い。
【０２６７】
この収支帳メニュー選択ページにおいて、アクセス利用者（遊技者）が、例えば、登録（記憶）したい場合に「（１）収支帳登録」の項目を選択した場合には、該選択に基づいてサイトサーバ１４は、図３３（ｄ）に示す収支帳登録ページを配信する。
【０２６８】
この収支帳登録ページには、図３３（ｄ）に示すように、遊技場名の一部を入力することで、該入力した部分名称を含む遊技場名の候補一覧を含むサブメニューウインドウが表示されて該候補一覧から遊技場名を選択することで遊技場名を入力できるようになっているホール名入力部と、機種名の一部を入力することで、該入力した部分名称を含む機種名の候補一覧を含むサブメニューウインドウが表示され該候補一覧から機種名を選択することで機種名を入力できるようになっている機種名入力部と、年、月、日の入力部を有する日付入力部と、収支の「＋」または「−」の入力部と金額の入力部とを有する収支入力部とが設けられており、アクセス利用者（遊技者）はこれら各入力部に収支内容を入力した後、「登録」の項目を選択することで、該入力された内容がサイトサーバ１４に送信され、これら各入力内容を含む収支情報と、当該アクセス利用者（遊技者）のサイト会員ＩＤ（アクセス利用者（遊技者）の携帯電話１６からの送信データのヘッダに付与されている顧客ＩＤから特定）を含む収支データ登録要求を管理サーバ１４０に送信することで、該収支データ登録要求に含まれるサイト会員ＩＤに対応付けてサイト会員情報テーブルに記憶されている収支データへのパスデータから特定される収支データに、該収支データ登録要求に含まれる収支情報が追加記憶されて更新される。
【０２６９】
このように、収支データには、各アクセス利用者（遊技者）であるサイト会員が良く利用する遊技場名や機種名が記憶されていることから、管理サーバ１４０は、所定のタイミングにおいて、これら各サイト会員の収支データに登録されている遊技場名や機種名を確認して、当該遊技場名から特定される遊技場のお得情報や出玉情報やイベント情報や、機種名から特定される機種に関する新着情報（出玉データや攻略法等）を含む電子メール（情報メール）を、当該サイト会員の電子メールアドレスに対して、サイトサーバ１４を介して送信する情報メール送信機能を備えている。
【０２７０】
また、前記収支帳メニュー選択ページにおいて、アクセス利用者（遊技者）が、登録（記憶）した収支データを確認したい場合に「（２）収支帳参照」の項目を選択した場合には、該選択に基づいてサイトサーバ１４は、当該アクセス利用者（遊技者）のサイト会員ＩＤ（前述の収支情報の登録の場合と同様に特定）を含む収支データ出力要求を管理サーバ１４０に送信することで、管理サーバ１４０が該収支データ出力要求に含まれるサイト会員ＩＤに対応付けてサイト会員情報テーブルに記憶されている収支データへのパスデータから特定される収支データを読み出してサイトサーバ１４に送信し、サイトサーバ１４は、管理サーバ１４０から受信した該収支データに基づく図３３（ｅ）に示す収支帳閲覧ページを配信する。
【０２７１】
この収支帳閲覧ページには、図３３（ｅ）に示すように、収支データに基づく「当月の収支」の情報や、登録されている全収支情報の合計となる「現在間での収支」の情報に加えて、収支データに登録されている各収支情報の日付一覧を含んでおり、該日付一覧の日付は選択操作可能とされていて、これら日付一覧の中の日付を選択することで、その日付の各収支情報、具体的には、日付と、店舗（遊技場）名称と、機種と、収支の内容を含む詳細ページ（図示略）がサイトサーバ１４から配信されて表示される。
【０２７２】
また、前記収支帳メニュー選択ページにおいて、アクセス利用者（遊技者）が、登録（記憶）した収支データをの内容を変更または削除したい場合に「（３）収支帳変更／削除」の項目を選択した場合には、該選択に基づいてサイトサーバ１４は、当該アクセス利用者（遊技者）のサイト会員ＩＤ（前述の収支情報の登録の場合と同様に特定）を含む収支データ出力要求を管理サーバ１４０に送信することで、管理サーバ１４０が該収支データ出力要求に含まれるサイト会員ＩＤに対応付けてサイト会員情報テーブルに記憶されている収支データへのパスデータから特定される収支データを読み出してサイトサーバ１４に送信し、サイトサーバ１４は、管理サーバ１４０から受信した該収支データに基づく各収支情報の日付一覧を含む、図３３（ｆ）に示す収支情報一覧ページを配信する。
【０２７３】
この収支情報一覧ページには、図３３（ｆ）に示すように、各収支情報の日付一覧の各日付は選択操作可能とされており、アクセス利用者（遊技者）は、これら日付の収支情報の内、変更または削除したい日付を選択することで、該選択に基づいてサイトサーバ１４は、前記管理サーバ１４０から受信した収支データに基づいて、該選択された日付の収支情報、具体的には、日付と、店舗（遊技場）名称と、機種と、収支の内容を含み、これら各内容を変更可能とされた、図３３（ｇ）に示す更新／削除ページを配信する。
【０２７４】
この更新／削除ページには、「変更」の項目と、「削除」の項目とが選択操作可能に設けられており、アクセス利用者（遊技者）は、該更新／削除ページに含まれる収支情報を削除したい場合には「削除」の項目を選択すれば良く、該「削除」の項目の選択により当該アクセス利用者（遊技者）の収支データから該収支情報が削除更新され、該更新／削除ページに含まれる収支情報を変更したい場合には「変更」の項目を選択すれば良く、該「変更」の項目の選択により、当該アクセス利用者（遊技者）の収支データに含まれる該収支情報が、変更後の内容に更新される。
【０２７５】
また、図３４（ｂ）に示すマイページメニュー選択ページ（前述の図３３（ｂ）に同じ）において、アクセス利用者（遊技者）が「お気に入りホール情報」の項目を選択した場合には、該選択に基づいてサイトサーバ１４は、当該アクセス利用者（遊技者）のサイト会員ＩＤ（前述の収支情報の登録の場合と同様に特定）を含むお気に入りホールリスト出力要求を管理サーバ１４０に送信することで、管理サーバ１４０が該お気に入りホールリスト出力要求に含まれるサイト会員ＩＤに対応付けてサイト会員情報テーブルに記憶されている遊技場ＩＤを抽出してお気に入りホールリストとして送信し、該送信されたお気に入りホールリストに基づいてサイトサーバ１４は、該受信したお気に入りホールリストに含まれる遊技場ＩＤから各遊技場名を遊技場情報テーブルにアクセスして特定し、該特定した遊技場名のホール一覧を含む、図３４（ｃ）に示すお気に入りホール一覧ページを生成して配信する。
【０２７６】
このお気に入りホール一覧ページに含まれるホール一覧の各遊技場名は選択操作可能とされており、これらホール一覧中の遊技場名が選択された場合には、該選択に基づいてサイトサーバ１４から当該選択された遊技用の遊技場トップページ、例えば選択された遊技場が「パーラー○○」であれば、図３４（ｄ）に示す該パーラー○○の遊技場トップページが配信される。つまり、アクセス利用者（遊技者）は、マイページメニューのお気に入りホール情報のサブメニューを選択することで表示されるお気に入りホール一覧ページにて遊技場名を選択することで、お気に入りホールに登録している遊技場の遊技場トップページに簡単にアクセスして、当該遊技場の情報を取得したり、台予約や優先入場の申し込みを実施できるようになっている。
【０２７７】
また、本実施例のお気に入りホール一覧ページには、「限定！！オリジナルメッセージ」の項目が選択操作可能に設けられており、該「限定！！オリジナルメッセージ」の項目を選択した場合には、該選択に基づいてサイトサーバは、記憶装置１８４の各種データ中にオリジナルメッセージとして記憶されているメッセージに対応する選択操作可能とされた遊技場の遊技場名一覧を含む、図３４（ｅ）に示すオリジナルメッセージ一覧ページを生成して配信し、このオリジナルメッセージ一覧ページにおける遊技場名が選択された場合には、該選択された遊技場名に対応するオリジナルメッセージを含む、図３４（ｆ）に示すオリジナルメッセージページを生成して配信する。
【０２７８】
また、図３５（ｂ）に示すマイページメニュー選択ページ（前述の図３３（ｂ）に同じ）において、アクセス利用者（遊技者）が「地域ホール情報」の項目を選択した場合には、携帯電話１６のその時点での位置情報が、携帯電話会社の現在位置情報通知サービスを提供するサーバから携帯電話１６に通知されることに基づいて、該通知された現在位置を含み、在の位置をサイトサーバ１４に通知して良いかを確認する図３５（ｃ）に示す現在位置情報通知確認画面が携帯電話１６において表示され、該画面における「ＯＫ」を選択することで、該現在位置情報通知サービスを提供するサーバからサイトサーバ１４に対して通知される現在位置情報、例えば「新宿駅周辺」が通知された場合には、該現在位置情報の通知に基づいてサイトサーバ１４は、通知された現在位置情報となる新宿駅の近郊の遊技場を遊技場情報テーブルにおける各遊技場の住所から検索し、検索した現在位置である新宿駅に近い遊技場の一覧を含む、図３５（ｄ）に示す地域ホール情報ページを生成して配信する。
【０２７９】
この地域ホール情報ページに含まれる各遊技場名は選択操作可能とされており、該ページの遊技場名を選択した場合には、該選択に基づいてサイトサーバ１４は、該選択された遊技用の遊技場トップページ、例えば選択された遊技場が「パーラー○○」であれば、図３５（ｅ）に示す該パーラー○○の遊技場トップページを配信する。つまり、アクセス利用者（遊技者）は、マイページメニューの地域ホール情報のサブメニューを選択することで、自分が現在地に近い遊技場を簡便に検索して、その検索結果の遊技場を指定することで、現在地に近い遊技場の遊技場トップページに簡単にアクセスして、当該遊技場の情報を取得したり、台予約や優先入場の申し込み（後述するようにその遊技場をお気に入りホールに登録している場合において可能）を実施できるようになっている。
【０２８０】
また、図３３（ｂ）に示す前述のマイページメニュー選択ページにおいて、アクセス利用者（遊技者）が「メールボックス」の項目を選択した場合には、該アクセス利用者（遊技者）のサイト会員ＩＤから特定されるメールボックスに記憶されているメール一覧を含むメール一覧ページが配信され、該メール一覧ページにおいてメールを選択することで、メールの内容を含むメール詳細ページが配信されることで、各メールの内容を確認できるようになっている。
【０２８１】
次に、前述の会員トップページにおいて、「用語集」の項目をアクセス利用者（遊技者）が選択すると、用語の最初の一文字を選択入力するための５０音が一覧表示された一文字選択ページが配信されて、該一文字選択ページにおいて調べたい用語の先頭の一文字を選択することで、当該選択した先頭の一文字に該当する用語の一覧ページが配信され、該用語の一覧ページにおいて所望の用語を選択することで、該選択した用語の解説文が、記憶装置１８４に記憶されている用語集コンテンツファイルから読み出されて、サイトサーバ１４から配信される。
【０２８２】
次に、図３６（ａ）に示す会員トップページ（前述の図２５（ａ）に同じ）において、「ランキング」の項目をアクセス利用者（遊技者）が選択すると、「パチパチランキング」の項目を有する図３３（ｂ）に示すサブメニューページがサイトサーバ１４から配信され、該サブメニューページにおいて「パチパチランキング」の項目を選択すると、図３６（ｃ）に示すように、各種のテーマ別ランキングの項目と、「過去ランキングへ」の項目とともに、各機種の機種情報ページに設けられている「ランキングに投票」の項目の選択に基づくアクセス利用者（遊技者）の投票に基づくパチンコ並びにパチスロにおける只今の人気機種ランキング（リアルタイム結果）を含むパチパチランキングページが配信される。
【０２８３】
このパチパチランキングページにおける前記テーマ別ランキングの項目には、図３６（ｃ）に示すように、複数のテーマ別ランキングの項目が設けられており、これら各項目をアクセス利用者（遊技者）が選択した場合、例えば「相性ばっちりなパチンコメーカーはどこ」の項目を選択した場合には、該選択された「相性ばっちりなパチンコメーカーはどこ」に対応するテーマ別ランキングのランキングデータが、記憶装置１８４に記憶されているパチパチランキングコンテンツファイルより読み出されて、各順位とメーカー名と投票数とを含む該相性ばっちりなパチンコメーカーはどこ」のテーマ別ランキングのページが配信される。
【０２８４】
また、前記パチパチランキングページにおける「過去ランキングへ」の項目をアクセス利用者（遊技者）が選択した場合には、記憶装置１８４に記憶されているパチパチランキングコンテンツファイルより月次または年度の累計ランキングが読み出されて、該月次または年度の累計ランキングを含む月次ランキングページまたは年度ランキングページが配信される。
【０２８５】
また、パチパチランキングページに含まれる只今の人気機種ランキングに含まれる各遊技機の機種名は選択操作可能とされていて、該機種名を選択することで、図３６（ｄ）に示すように、選択された機種の機種情報ページがサイトサーバ１４により配信されることで、これら上位の機種の機種情報を簡便に取得することができるようになっている。
【０２８６】
次に、前述の会員トップページにおいて、「エンタメ・ワールド」の項目をアクセス利用者（遊技者）が選択すると、「機種ムービー」の項目と、「待受画像」の項目と、「着メロ」の項目と、「ゲーム」の項目とが選択操作可能に表示された図示しないエンタメ・ワールドメニュー選択ページがサイトサーバ１４から配信される。
【０２８７】
このエンタメ・ワールドメニュー選択ページにおいて、アクセス利用者（遊技者）が「機種ムービー」の項目を選択した場合には、該選択に基づいてサイトサーバ１４は、記憶装置１８４に記憶されている機種ムービーコンテンツファイルに登録されているパチンコ並びにパチスロの機種ムービーデータが対応する選択操作可能とされた機種名の一覧を含む図示しない機種ムービー一覧ページを生成して配信し、該機種ムービー一覧ページの機種名の選択がなされた場合には、携帯電話１６から送信されてくるデータヘッダに含まれる携帯電話１６の機種から、配信する機種ムービーのデータ種別を特定し、対応するデータ種別の前記選択された機種名の機種ムービーを機種ムービーコンテンツファイルから読み出して配信する。尚、携帯電話１６の機種が機種ムービーの再生に対応していない機種の場合には、図示しないエラーページを配信する。
【０２８８】
また、前記エンタメ・ワールドメニュー選択ページにおいて、アクセス利用者（遊技者）が「待受画像」の項目を選択した場合には、該選択に基づいてサイトサーバ１４は、記憶装置１８４に記憶されている待受画像コンテンツファイルに登録されている各待受画像の内、最近において新たに登録された新着の待受画像が対応する機種名のリストをパチンコ並びにパチスロの双方で作成し、該作成した新着機種名リストを含むとともに、「（１）パチンコ」の項目と、「（２）パチスロ」の項目とが選択操作可能に設けられた図示しない種別選択ページを配信する。
【０２８９】
この種別選択ページにおいて新着機種名リストを選択した場合には、選択された機種名に対応する図示しない待受画像データページが、前記待受画像コンテンツファイルから読み出されてサイトサーバ１４より配信され、該ページにおいて当該ページに表示されている待受画像をダウンロードできるようになっているとともに、「（１）パチンコ」の項目を選択した場合には、パチンコに該当する機種の機種名リストを含む図示しないパチンコ機種選択ページがサイトサーバ１４より生成されて配信され、「（２）パチスロ」の項目を選択した場合には、パチスロに該当する機種の機種名リストを含む図示しないパチスロ機種選択ページがサイトサーバ１４より生成されて配信される。
【０２９０】
このパチンコ機種選択ページ並びにパチスロ機種選択ページに含まれる機種名は、選択操作可能とされており、該機種名を選択することで、選択された機種名に対応する図示しない待受画像データページが、前記待受画像コンテンツファイルから読み出されてサイトサーバ１４より配信され、該ページにおいて当該ページに表示されている待受画像をダウンロードできるようになっている。
【０２９１】
また、前記エンタメ・ワールドメニュー選択ページにおいて、アクセス利用者（遊技者）が「着メロ」の項目を選択した場合には、該選択に基づいてサイトサーバ１４は、記憶装置１８４に記憶されている着メロコンテンツファイルに登録されている各着メロデータの内、最近において新たに登録された新着の着メロデータが対応する機種名のリストをパチンコ並びにパチスロの双方で作成し、該作成した新着機種名リストを含むとともに、「（１）パチンコ」の項目と、「（２）パチスロ」の項目とが選択操作可能に設けられた図示しない種別選択ページを配信する。
【０２９２】
この種別選択ページにおいて新着機種名リストを選択した場合には、選択された機種名を含む図示しない着メロダウンロードページがサイトサーバ１４より配信され、該ページにおいて当該ページに含まれている機種名の着メロデータをダウンロードできるようになっているとともに、「（１）パチンコ」の項目を選択した場合には、パチンコに該当する機種の機種名リストを含む図示しないパチンコ機種選択ページがサイトサーバ１４より生成されて配信され、「（２）パチスロ」の項目を選択した場合には、パチスロに該当する機種の機種名リストを含む図示しないパチスロ機種選択ページがサイトサーバ１４より生成されて配信される。
【０２９３】
このパチンコ機種選択ページ並びにパチスロ機種選択ページに含まれる機種名は、選択操作可能とされており、該機種名を選択することで、選択された機種名を含む図示しない着メロダウンロードページがサイトサーバ１４より配信され、該ページにおいて当該ページに含まれている機種名の着メロデータをダウンロードできるようになっている。
【０２９４】
また、前記エンタメ・ワールドメニュー選択ページにおいて、アクセス利用者（遊技者）が「ゲーム」の項目を選択した場合には、当該サイトにおいて使用可能な「ＪＧポイント」を取得することのできるポイント獲得ゲームである「スロットｄｅビンゴ」ゲームを実施できるようになっている。
【０２９５】
この「スロットｄｅビンゴ」ゲームについて簡単に説明すると、まず、初めにサイトサーバ１４からビンゴカードの配信を受けた後、スロットゲームを実施していき、スロットゲームにおいて特定の停止表示状態、例えば「７７７」が当選ライン上に揃った場合（事前抽選なしで停止操作のみに応じて図柄停止される）において１つのビンゴ数字が抽選されていき、前記ビンゴカードにおいて抽選されたビンゴ数字が整列してビンゴ状態が成立したときに、所定数のＪＧポイントが付与されるようになっており、これら付与されたＪＧポイント数は、該ＪＧポイントが存在する場合において、前記「マイページ」の項目を選択した場合に配信される、マイページメニュー選択ページにおいて表示されるようになるとともに、該ＪＧポイントが存在する場合においては、マイページメニュー選択ページにこれらＪＧポイントを使用してプレミアム景品への抽選に応募することができる「ポイントで応募」の項目が追加されるようになっている。
【０２９６】
これら「ポイントで応募」の項目を選択した場合には、該アクセス利用者（遊技者）がその時点において所有するＪＧポイントと、抽選への応募期間と、応募に必要となる各ポイント数毎に、当選者に付与される得点や商品の内容とを含む図示しない「応募ページ」が配信されることで、アクセス利用者（遊技者）が、前記ポイント獲得ゲームである「スロットｄｅビンゴ」ゲームにて獲得したポイントにて商品や得点を獲得できるうようになっていて、これら「ポイントで応募」の機能をサイトに有することで当該サイトへのアクセスを促進できるようにしている。
【０２９７】
次に、これら遊技用サービスサイト（ＪＧサイト）における各検索結果やランキング等に含まれる遊技場名を選択した場合や、前述の「マイページ」の項目におけるサブメニューである「お気に入りホール情報」を選択した際に配信されるお気に入りホール一覧ページ（図３４（ｃ））におけるお気に入りホールの遊技場名を選択した場合等において配信される各契約遊技場の遊技場トップページの各項目が選択された場合の流れについて、図３７〜図４０に基づいて以下に詳述する。尚、図３７〜図４０においては、前述の図３４（ｃ）におけるお気に入りホールの遊技場名選択において、「パーラー○○」が選択されたことを受けて、「パーラー○○」の遊技場トップページを例に以下に説明する。
【０２９８】
この図３７（ａ）に示す「パーラー○○」の遊技場トップページには、前述したように、「設置機種情報」の項目、「お得情報」の項目、「出玉情報」の項目、「写真館」の項目、「基本情報」の項目、「台予約」の項目、「優先入場」の項目、並びに「昨日ランキング」の項目とが選択操作可能に設けられている。尚、各項目の選択によりサイトサーバ１４から配信される各ページにおいても、図３７に示すように、その下部位置に、遊技場トップページと同様の項目が設けられていることから、図３７においては、便宜上、各項目の選択により配信された各ページ内の各項目を選択した図を示しているが、図３７（ａ）に示す遊技場トップページにおける同一の項目を選択しても同一のページが配信されるので、以下の図３７に関する説明においては遊技場トップページにおける各項目が選択された場合として説明するものとする。
【０２９９】
この図３７（ａ）に示す遊技場トップページにおいて、「設置機種情報」の項目をアクセス利用者（遊技者）が選択した場合には、該選択に基づいて、サイトサーバ１４にて該遊技場トップページに該当する遊技場の遊技場ＩＤが特定され、該特定された遊技場ＩＤに対応付けて管理サーバ１４０の遊技場情報テーブルに記憶されている設置機種データへのパスデータから特定される設置機種データをサイトサーバ１４が読み出し、該読み出した設置機種データに基づく図３７（ｂ）に示す設置機種情報ページを生成して配信する。
【０３００】
これにより、アクセス利用者（遊技者）が「設置機種情報」の項目を選択することで、当該遊技場に設置されている機種や台数を把握することができるようになっており、これら設置機種情報ページに使用される設置機種データには、前述のように、当該遊技場の遊技場管理者が前述の管理者用トップページにおける「設置機種情報」の項目を選択することにより登録された内容が記憶されているので、これら遊技場管理者により登録された設置機種の内容がアクセス利用者（遊技者）に対して配信されるようになる。
【０３０１】
また、図３７（ａ）に示す遊技場トップページにおいて、「お得情報」の項目をアクセス利用者（遊技者）が選択した場合には、該選択に基づいて、サイトサーバ１４にて該遊技場トップページに該当する遊技場の遊技場ＩＤが特定され、該特定された遊技場ＩＤに対応付けて管理サーバ１４０の遊技場情報テーブルに記憶されているお得情報データへのパスデータから特定されるお得情報データをサイトサーバ１４が読み出し、該読み出したお得情報データに基づく図３７（ｃ）に示すお得情報ページを生成して配信する。
【０３０２】
これにより、アクセス利用者（遊技者）が「お得情報」の項目を選択することで、当該遊技場のお得情報を把握することができるようになっており、これらお得情報ページに使用されるお得情報データには、前述のように、当該遊技場の遊技場管理者が前述の管理者用トップページにおける「お得情報」の項目を選択することにより登録された内容が記憶されているので、これら遊技場管理者により登録されたお得情報の内容がアクセス利用者（遊技者）に対して配信されるようになる。
【０３０３】
また、図３７（ａ）に示す遊技場トップページにおいて、「出玉情報」の項目をアクセス利用者（遊技者）が選択した場合には、該選択に基づいて、サイトサーバ１４にて該遊技場トップページに該当する遊技場の遊技場ＩＤが特定され、該特定された遊技場ＩＤに対応付けて管理サーバ１４０の遊技場情報テーブルに記憶されている出玉情報データへのパスデータから特定される出玉情報データをサイトサーバ１４が読み出し、該読み出した出玉情報データに基づく図３７（ｃ）に示す出玉情報ページを生成して配信する。
【０３０４】
これにより、アクセス利用者（遊技者）が「出玉情報」の項目を選択することで、当該遊技場の出玉情報を把握することができるようになっており、これら出玉情報ページに使用される出玉情報データには、前述のように、当該遊技場の遊技場管理者が前述の管理者用トップページにおける「出玉情報」の項目を選択することにより登録された内容が記憶されているので、これら遊技場管理者により登録された出玉情報の内容がアクセス利用者（遊技者）に対して配信されるようになる。
【０３０５】
また、図３７（ａ）に示す遊技場トップページにおいて、「写真館」項目をアクセス利用者（遊技者）が選択した場合には、該選択に基づいて、サイトサーバ１４にて該遊技場トップページに該当する遊技場の遊技場ＩＤが特定され、該特定された遊技場ＩＤに対応付けて管理サーバ１４０の遊技場情報テーブルに記憶されている写真館情報データへのパスデータから特定される写真館情報データをサイトサーバ１４が読み出し、該読み出した写真館情報データに基づく図３７（ｅ）に示す写真館ページを生成して配信する。
【０３０６】
これにより、アクセス利用者（遊技者）が「写真館」の項目を選択することで、当該遊技場の画像を把握することができるようになっており、これら写真館ページに使用される写真館情報データは、前述のように、当該遊技場の遊技場管理者が前述の管理者用トップページにおける「写真館」の項目を選択することにより登録された内容にて更新記憶されているので、これら遊技場管理者により登録された当該遊技場の画像がアクセス利用者（遊技者）に対して配信されるようになる。
【０３０７】
また、図３７（ａ）に示す遊技場トップページにおいて、「基本情報」項目をアクセス利用者（遊技者）が選択した場合には、該選択に基づいて、サイトサーバ１４にて該遊技場トップページに該当する遊技場の遊技場ＩＤが特定され、該特定された遊技場ＩＤに対応付けて管理サーバ１４０の遊技場情報テーブルに記憶されている最寄り駅や、郵便番号、住所、営業時間、交通手段、駐車場の有無、休日、各レートの情報から成る基本情報をサイトサーバ１４が読み出し、該読み出した基本情報を含む、図３７（ｆ）に示す基本情報ページを生成して配信する。
【０３０８】
これにより、アクセス利用者（遊技者）が「基本情報」の項目を選択することで、当該遊技場に関する基本情報を把握することができるようになっており、これら基本情報ページに使用される各情報には、前述のように、当該遊技場の遊技場管理者が前述の管理者用トップページにおける「基本情報」の項目を選択することにより登録された内容が記憶されているので、これら遊技場管理者により登録された基本情報の内容がアクセス利用者（遊技者）に対して配信されるようになる。
【０３０９】
また、図３８（ａ）に示す遊技場トップページ（図３７（ａ）に同じ）において、「台予約」項目をアクセス利用者（遊技者）が選択した場合の流れについて、図４８とともに説明すると、まず、「台予約」の項目の選択受付け基づいて、サイトサーバ１４は、アクセス利用者（遊技者）が「台予約」の項目の選択を実施した遊技場トップページに該当する遊技場を特定することで、アクセス利用者（遊技者）が台予約の指定した遊技場を特定し、該特定した遊技場の遊技場ＩＤを含む台予約可能日出力要求を管理サーバ１４０に対して送信する。
【０３１０】
この台予約可能日出力要求を受信した管理サーバ１４０は、受信した台予約可能日出力要求に含まれる遊技場ＩＤに対応付けて予約対象台テーブルに記憶されている予約日のうち、予約受付け開始日を経過している予約受付中の予約日のリスト（対象日リスト）を抽出してサイトサーバ１４に送信する。
【０３１１】
この対象日リストの受信に応じてサイトサーバ１４は、受信した対象日リストに含まれる予約受付中の予約日一覧を含む、図３８（ｂ）に示す台予約日一覧ページをアクセス利用者（遊技者）の携帯電話１６に配信する。
【０３１２】
この台予約日一覧ページには、一覧表示された各予約日毎にチェックボックスが設けられており、これらチェックボックスをチェックすることで予約日を指定できるようになっていて、該台予約日一覧ページの配信を受けてアクセス利用者（遊技者）は、これら台予約日一覧ページに一覧表示されている各予約日の中から、台予約を希望する予約日（申込日）を、該予約日（申込日）に対応するチェックボックスをチェックすることで選択した後、該ページに設けられている「選択」の項目を選択する。
【０３１３】
この選択に基づいてサイトサーバ１４は、該選択によってアクセス利用者（遊技者）の携帯電話１６から送信されてくる送信データから、チェックボックスがチェックされている予約日（申込日）を特定して受付け、該特定した予約日（申込日）を一時記憶するとともに、該予約日（申込日）と、該アクセス利用者（遊技者）の携帯電話１６への配信ページである台予約日一覧ページに該当する遊技場の遊技場ＩＤ（前述の台予約可能日出力要求に含まれる遊技場ＩＤと同一）を含み、該遊技場にて当該予約日（申込日）において予約が可能な機種情報の出力（送信）を要求する機種情報出力要求を、管理サーバ１４０に送信する予約要求受付け処理を実施する。
【０３１４】
この機種情報出力要求の受信に応じて管理サーバ１４０は、受信した機種情報出力要求に含まれる遊技場ＩＤ並びに予約日（申込日）に対応付けて予約対象台テーブルに記憶されている機種名を全て抽出し、該予約日（申込日）において当該遊技場にて予約が可能な機種の機種リストを作成してサイトサーバ１４に送信する。
【０３１５】
この機種リストの受信に基づいてサイトサーバ１４は、該受信した機種リストの一覧を含む、図３８（ｃ）に示す予約可能機種一覧ページを生成してアクセス利用者（遊技者）の携帯電話１６へ配信する。
【０３１６】
この予約可能機種一覧ページには、一覧表示された各機種毎にチェックボックスが設けられており、これらチェックボックスをチェックすることで機種を指定できるようになっていて、該予約可能機種一覧ページの配信を受けてアクセス利用者（遊技者）は、これら予約可能機種一覧ページに一覧表示されている各機種の中から、台予約を希望する機種を、該機種に対応するチェックボックスをチェックすることで選択した後、該ページに設けられている「選択」の項目を選択する。
【０３１７】
この選択に基づいてサイトサーバ１４は、該選択によって携帯電話１６から送信されてくる送信データから、チェックボックスがチェックされている機種名を特定して受付け、該特定した機種名を一時記憶するとともに、該機種名と前記にて一時記憶している申込日と予約可能機種一覧ページに該当する遊技場の遊技場ＩＤ（前述の機種情報出力要求に含まれる日付並びに遊技場ＩＤと同一）とを含み、該遊技場の申込日に該機種にて予約が可能な台番号の出力（送信）を要求する台番号出力要求を、管理サーバ１４０に送信する予約要求受付け処理を実施する。
【０３１８】
この台番号出力要求の受信に応じて管理サーバ１４０は、受信した台番号出力要求に含まれる遊技場ＩＤ並びに予約日（申込日）並びに機種名に対応付けて予約対象台テーブルに登録されている予約対象台番号を特定し、該特定した予約対象台番号の台番号リストを作成してサイトサーバ１４に送信する。
【０３１９】
この台番号リストの送信を受けてサイトサーバ１４は、該受信した台番号リストの一覧を含む、図３８（ｄ）に示す予約可能台番号一覧ページを生成してアクセス利用者（遊技者）の携帯電話１６へ配信する予約対象情報配信処理を実施する。つまり、該予約対象情報配信処理において、予約可能対象情報記憶手段となる予約対象台テーブルに予約可能対象情報記憶ステップである予約可能対象情報記憶処理にて記憶された予約可能対象情報に基づいて、オープンコンピュータネットワークであるインターネット網を介して接続された遊技者（アクセス利用者）が操作可能な遊技者端末となる携帯電話１６からのアクセス時点において予約可能な遊技機を特定し、該特定した予約可能な遊技機を特定可能な情報となる台番号を含む予約対象情報となる予約可能台番号一覧ページをアクセスしてきた遊技者端末に配信しており、該予約対象情報配信処理によって本発明における予約対象情報配信手段並びに予約対象情報配信ステップが形成されている。
【０３２０】
この予約可能台番号一覧ページには、一覧表示された各台番号毎にチェックボックスが設けられており、これらチェックボックスをチェックすることで台番号を指定できるようになっていて、該予約可能台番号一覧ページの配信を受けてアクセス利用者（遊技者）は、これら予約可能台番号一覧ページに一覧表示されている各台番号の中から、台予約を希望する台番号を、該台番号に対応するチェックボックスをチェックすることで選択した後、該ページに設けられている「選択」の項目を選択する。
【０３２１】
この選択に基づいてサイトサーバ１４は、該選択によって携帯電話１６から送信されてくる送信データから、チェックボックスがチェックされている台番号を特定して受付け、該特定した台番号を一時記憶するとともに、該台番号と該予約可能台番号一覧ページに該当する遊技場の遊技場ＩＤとを含む台データ出力要求を、管理サーバ１４０に対して送信する予約要求受付け処理を実施する。
【０３２２】
この台データ出力要求の受信に応じて管理サーバ１４０は、遊技関連情報テーブルにおいて、受信した台データ出力要求に含まれる遊技場ＩＤと台番号とに対応付けて記憶されている台データ（前日、前々日）を抽出してサイトサーバ１４に送信する。
【０３２３】
この台データの送信を受けてサイトサーバ１４は、前記にて一時記憶している、機種並びに台番号と、受信した台データとを含む、図３８（ｅ）に示す台データページを生成して配信する台データページ配信処理を実施する。つまりは、該台データページ配信処理において、遊技関連情報記憶手段となる遊技関連情報テーブルに遊技関連情報記憶ステップとなる遊技関連情報記憶処理にて記憶された少なくとも予約を可能とする遊技機の遊技関連情報を遊技者端末となる携帯電話１６に配信しており、該台データページ配信処理によって本発明における遊技関連情報配信手段並びに遊技関連情報配信ステップが形成されている。
【０３２４】
この台データページの配信を受けてアクセス利用者（遊技者）は、台予約を申し込む遊技機の台データを確認し、この遊技機（台）でよければ、該台データページに設けられている「ＯＫ」の項目を選択する。尚、台データページにおける台データに基づいて予約を中止する場合には、該ページに設けられている「戻る」を選択することで、１つ前の台番号を指定する予約可能台番号一覧ページに戻ることができ、他の台番号を指定し直すことができる。
【０３２５】
この台データページに設けられている「ＯＫ」の項目が選択された場合には、サイトサーバ１４は、該選択によって携帯電話１６から送信されてくる該台データページに含まれている遊技場を含む予約要求としての送信データを受信し、該受信した送信データのヘッダに携帯電話会社のゲートウェイサーバ１５にて付加されている顧客ＩＤから、予約要求を実施したアクセス利用者（遊技者）のサイト会員ＩＤを特定して受付ける予約要求受付け処理を実施する。そして、該特定したサイト会員ＩＤと、一時記憶している予約日（申込日）、台番号、配信した台データページに対応する遊技場の遊技場ＩＤとを含む予約要求を、管理サーバ１４０に対して送信する。
【０３２６】
つまりは、これら予約要求受付け処理において、前記遊技者端末である携帯電話１６から遊技者が予約を所望する遊技機の遊技機識別情報となる台番号と、当該遊技者を個々に識別可能な遊技者識別情報となるサイト会員ＩＤと、遊技者が予約を希望する遊技機が設置されている遊技場とを予約要求として受付けており、該予約要求受付け処理によって本発明における予約要求受付け手段並びに予約要求受付けステップとが形成されている。
【０３２７】
この予約要求を受信した管理サーバ１４０は、受信した予約要求に含まれるサイト会員ＩＤから特定されるアクセス利用者（遊技者）が、当該予約の申し込みを実施した遊技機が設置されている遊技場をお気に入りホールに登録しているか否か、具体的には、サイト会員情報テーブルに当該サイト会員ＩＤに対応付けて、受信した予約要求に含まれる遊技場ＩＤが登録されているか否か、並びに予約日（申込日）と同一の日付の予約または優先入場の登録が、予約・優先入場状況テーブルに当該サイト会員ＩＤに対応付けて存在するか否かによりエラー判定処理を実施し、該遊技場がお気に入りホールに登録されていて、且つ、予約日（申込日）と同一の日付の予約または優先入場の登録が無い場合に、つまりはエラーがない場合には、サイト会員ＩＤを遊技場ＩＤと台番号とを対応付けて予約要求としてサイト予約情報テーブルに記憶し、当該予約日に対応する通知日を予約対象台テーブルから特定して、該特定した通知日と予約内容とを含む台予約受付け完了ページ配信要求をサイトサーバ１４に送信する。このようにして、サイト予約情報テーブルに、台予約を実施したアクセス利用者（遊技者）のサイト会員ＩＤと、台予約の対象となる遊技場と台番号とを含む予約要求が順次、記憶されていく。尚、サイト予約情報テーブルには、当該サイト会員ＩＤが台予約を申し込んだ遊技場の会員である場合には、当該遊技場の遊技場会員ＩＤが登録される。つまり、これらエラー判定処理において、前記予約要求に含まれる日付が該予約要求に含まれるサイト会員ＩＤに対応付けて前記予約状況記憶手段となる予約・優先入場状況テーブルに、予約状況記憶ステップとなる後述の予約抽選処理のステップＳ１１において記憶されていないこと、並びに、受付けた予約要求に含まれる遊技場が、前記遊技者情報記憶手段となるサイト会員情報テーブルに当該遊技者のサイト会員ＩＤに対応付けて記憶されている遊技場特定情報である遊技場ＩＤから特定される遊技場に一致することを条件に、後述する予約抽選処理における抽選対象とされることで、予約要求として受付けた遊技機識別情報である台番号から識別される遊技機の予約を許容するか否かを判定するようになっており、該エラー判定処理によっても、本発明における判定手段並びに判定ステップが形成されている。
【０３２８】
この台予約受付け完了ページ配信要求の受信に基づいてサイトサーバ１４は、台予約受付け完了ページ配信要求に含まれる予約内容と通知日とを含む、図３８（ｆ）に示す台予約受付け完了ページを生成してアクセス利用者（遊技者）の携帯電話１６に配信する。
【０３２９】
また、管理サーバ１４０は、前記エラー判定においてエラーが存在する場合には、エラーの内容が、予約日（申込日）と同一の日付の予約または優先入場の登録が有ることによるエラーの場合には、重複予約エラーをサイトサーバ１４に送信し、遊技場がお気に入りホールに登録されていていないことによるエラーの場合には、未登録エラーをサイトサーバ１４に送信する。
【０３３０】
サイトサーバ１４は、管理サーバ１４０からこの未登録エラーを受信した場合には、図３８（ｇ）に示す未登録エラーページをアクセス利用者（遊技者）の携帯電話１６に配信して、お気に入りに当該遊技場が登録されていないことを報知する。
【０３３１】
また、サイトサーバ１４は、管理サーバ１４０から重複予約エラーを受信した場合には、図３８（ｈ）に示す重複エラーページをアクセス利用者（遊技者）の携帯電話１６に配信して、予約日（申込日）に、既に他の予約または優先入場が存在することを報知する。
【０３３２】
また、図３９（ａ）に示す遊技場トップページ（図３７（ａ）に同じ）において、「優先入場」項目をアクセス利用者（遊技者）が選択した場合の流れについて、図４７とともに説明すると、まず、「優先入場」の項目の選択受付け基づいて、サイトサーバ１４は、アクセス利用者（遊技者）が「優先入場」の項目の選択を実施した遊技場トップページに該当する遊技場を特定することで、アクセス利用者（遊技者）が優先入場を希望する遊技場を特定し、該特定した遊技場の遊技場ＩＤを含む優先入場可能日出力要求を管理サーバ１４０に対して送信する。
【０３３３】
この優先入場可能日出力要求を受信した管理サーバ１４０は、受信した優先入場可能日出力要求に含まれる遊技場ＩＤに対応付けて優先入場情報テーブルに記憶されている各優先入場情報の内、受付け開始日を経過している受付中の優先入場の対象日リストを抽出してサイトサーバ１４に送信する。
【０３３４】
この対象日リストの受信に応じてサイトサーバ１４は、受信した対象日リストに含まれる受付中の対象日一覧を含む、図３９（ｂ）に示す優先入場日一覧ページをアクセス利用者（遊技者）の携帯電話１６に配信する優先入場日一覧ページ配信処理を実施する。
【０３３５】
つまり、該優先入場日一覧ページ配信処理において、優先入店情報記憶手段となる優先入場情報テーブルの記憶情報に基づいて、優先入店を実施する日付（複数の日付を含む）を含む優先入店対象情報となる優先入場日一覧ページを、インターネット網を介して接続されたアクセス利用者（遊技者）が操作可能な遊技者端末である携帯電話１６に配信しており、該優先入場日一覧ページ配信処理によって本発明における優先入店対象情報配信手段並びに優先入店対象情報配信ステップが形成されている。
【０３３６】
この優先入場日一覧ページには、一覧表示された各対象日毎にチェックボックスが設けられており、これらチェックボックスをチェックすることで対象日を指定できるようになっていて、該優先入場日一覧ページの配信を受けてアクセス利用者（遊技者）は、これら優先入場日一覧ページに一覧表示されている各対象日の中から、優先入場を希望する対象日（申込日）を、該対象日（申込日）に対応するチェックボックスをチェックすることで選択した後、該ページに設けられている「選択」の項目を選択する。
【０３３７】
この選択に基づいてサイトサーバ１４は、前記優先入場を希望する対象日並びに優先入場日一覧ページに含まれている遊技場とを含み、優先入場に使用可能な整理券データの配信を要求する旨となる、該選択によってアクセス利用者（遊技者）の携帯電話１６から送信されてくる整理券データ配信要求としての送信データを受信し、該受信した送信データのヘッダに携帯電話会社のゲートウェイサーバ１５にて付加されている顧客ＩＤから、整理券データの配信を要求したアクセス利用者（遊技者）のサイト会員ＩＤを特定する。つまりは、アクセス利用者（遊技者）が整理券データの配信を要求するための「選択」の項目の選択により送信されるデータのデータヘッダに付与されているサイト会員ＩＤを受付ける。そして、該受信した送信データから、アクセス利用者（遊技者）によりチェックされている対象日（申込日）を特定する整理券データ配信要求受付け処理を実施し、これら特定したサイト会員ＩＤと対象日（申込日）と遊技場の遊技場ＩＤとを含む整理券データ配信要求を管理サーバ１４０に対して送信する。
【０３３８】
つまりは、該整理券データ配信要求受付け処理において、前記遊技者端末１６から、アクセス利用者（遊技者）を個々に識別可能な遊技者識別情報となるサイト会員ＩＤを含み、優先入店対象情報配信手段並びに優先入店対象情報配信ステップとなる優先入場日一覧ページ配信処理において配信した優先入店対象情報となる優先入場日一覧ページに含まれる遊技場（つまり、複数の前記利用契約した遊技場の中からアクセス利用者（遊技者）が所望する特別店舗（お気に入りホール）の指定）と優先入場日一覧ページに含まれる日付（つまり、前記配信された優先入店対象情報となる優先入場日一覧ページに含まれる複数の日付のうち、遊技者が優先入店を希望する日付）における優先入場（入店）番号を含む整理券データの配信を要求する整理券データ配信要求を受付けており、該整理券データ配信要求受付け処理において、整理券データ配信要求受付け手段並びに整理券データ配信要求受付けステップが形成されている。
【０３３９】
この整理券データ配信要求を受信した管理サーバ１４０は、受信した整理券データ配信要求に含まれるサイト会員ＩＤから特定されるアクセス利用者（遊技者）が、優先入場の対象となる受信した整理券データ配信要求に含まれる遊技場ＩＤから特定される遊技場をお気に入りホールに記憶しているか、具体的には、サイト会員情報テーブルに当該サイト会員ＩＤに対応付けて、受信した整理券データ配信要求に含まれる遊技場ＩＤが登録されているか否か、並びに対象日（申込日）と同一の日付の予約または優先入場の登録が、予約・優先入場状況テーブルに当該サイト会員ＩＤに対応付けて存在するか否かによりエラー判定処理を実施し、該遊技場がお気に入りホールに登録されていて、且つ、対象日（申込日）と同一の日付の予約または優先入場の登録が無い場合、つまりはエラーがない場合には、サイト会員ＩＤを、優先入場情報テーブルにおける受信した整理券データ配信要求に含まれる遊技場ＩＤと対象日（申込日）とに対応する申込会員の項目に追加記憶して、対応する通知日と対象日（申込日）とを含む優先入場受付け完了ページ配信要求を、サイトサーバ１４に送信する。このようにして、優先入場情報テーブルにおいて、遊技場ＩＤと各対象日（申込日）に対応付けて当該対象日（申込日）に、その遊技場における優先入場へ申し込みを実施したアクセス利用者（遊技者）のサイト会員ＩＤが順次、記憶されていく。尚、サイトサーバ１４は、前記優先入場受付け完了ページ配信要求の受信に基づいて、図３９（ｃ）に示す、優先入場の対象日と通知日とを含む優先入場受付け完了ページをアクセス利用者の携帯電話１６に配信する。つまり、これらエラー判定処理において、前記整理券データ配信要求に含まれる日付が該整理券データ配信要求に含まれるサイト会員ＩＤに対応付けて前記優先入店状況記憶手段となる予約・優先入場状況テーブルに記憶されていないこと、並びに、受付けた整理券データ配信要求に含まれる遊技場が、前記特別遊技場記憶手段となるサイト会員情報テーブルに当該遊技者のサイト会員ＩＤに対応付けて記憶されている遊技場特定情報である遊技場ＩＤから特定される遊技場に一致することを条件に、後述する整理券データ抽選処理における抽選対象とされることで、遊技者に整理券データを配信するか否かを判定するようになっており、該エラー判定処理によっても、本発明における配信可否判定手段並びに配信可否判定ステップが形成されている。
【０３４０】
また、管理サーバ１４０は、前記エラー判定において、エラーが存在する場合には、エラーの内容が対象日（申込日）と同一の日付の予約または優先入場の登録が有ることによるエラーの場合には、重複予約エラーをサイトサーバ１４に送信し、遊技場がお気に入りホールに登録されていていないことによるエラーの場合には、未登録エラーをサイトサーバ１４に送信する。
【０３４１】
サイトサーバ１４は、管理サーバ１４０からこの未登録エラーを受信した場合には、図３９（ｄ）に示す未登録エラーページをアクセス利用者（遊技者）の携帯電話１６に配信して、お気に入りに当該遊技場が登録されていないことを報知する。
【０３４２】
また、サイトサーバ１４は、管理サーバ１４０から重複予約エラーを受信した場合には、図３９（ｅ）に示す重複エラーページをアクセス利用者（遊技者）の携帯電話１６に配信して、対象日（申込日）に、既に他の予約または優先入場が存在することを報知する。
【０３４３】
また、図４０（ａ）に示す遊技場トップページ（図３７（ａ）に同じ）において、「昨日ランキング」項目をアクセス利用者（遊技者）が選択した場合の流れについて説明すると、まず、「昨日ランキング」の項目の選択受付け基づいて、サイトサーバ１４は、図４０（ａ）に示すように、「昨日パチンコベスト１０」の項目と、「昨日パチンコワースト１０」の項目と、「昨日パチスロベスト１０」の項目と、「昨日パチスロワースト１０」の項目とが選択操作可能に設けられるランキング選択ページを配信する。
【０３４４】
このランキング選択ページの配信を受けてアクセス利用者（遊技者）は、所望するランキングの項目を選択すれば良く、例えば、昨日におけるパチンコの優秀台の情報を知りたい場合には、「昨日パチンコベスト１０」の項目を選択すれば良い。
【０３４５】
これら「昨日パチンコベスト１０」の項目を選択した場合には、該選択に基づいてサイトサーバ１４は、図４０（ｃ）に示すように、昨日パチンコベスト１０の種別となる「大当り回数」の項目と、「差玉数」の項目と、「確変回数」の項目とが選択操作可能に設けられる種別選択ページを配信する。
【０３４６】
この種別選択ページの配信を受けてアクセス利用者（遊技者）は、所望する種別の項目を選択すれば良く、例えば、大当りが多い遊技機の情報を把握したいのであれば「大当り回数」の項目を選択し、より多くの玉を出した遊技機の情報を把握したいのであれば「差玉数」の項目を選択し、より多くの確変回数を出した遊技機の情報を把握したいのであれば「確変回数」の項目を選択すれば良く、例えば、この種別選択ページにおいて「大当り回数」の項目を選択した場合には、該選択に基づいてサイトサーバ１４は、種別選択ページに該当する遊技場の遊技場ＩＤが特定し、該特定した遊技場ＩＤを含み、該遊技場ＩＤに対応するパチンコ大当り回数ベスト１０のデータの出力要求（パチンコ大当り回数ベスト１０データ出力要求）を管理サーバ１４０に送信する。
【０３４７】
このパチンコ大当り回数ベスト１０データ出力要求の受信に応じて管理サーバ１４０は、前述の図８に示すランキングテーブルに、受信したパチンコ大当り回数ベスト１０データ出力要求に含まれている遊技場ＩＤに対応するパチンコ大当り回数ベスト１０の順位と台番号と機種名と大当り回数と予約可／ 不可を含むデータを抽出し、該抽出したパチンコ大当り回数ベスト１０のデータをサイトサーバ１４に送信することで、該送信されたパチンコ大当り回数ベスト１０のデータに基づく図４０（ｄ）に示す昨日パチンコベスト１０大当り回数ページを生成して配信する昨日ランキングページ配信処理を実施する。つまりは、該昨日ランキングページ配信処理において、本発明における遊技関連情報記憶ステップとなる前記ランキングテーブル更新処理にてランキングテーブルに記憶された遊技関連情報（大当り回数）を、当該遊技関連情報に対応付けて記憶された前記予約可否情報に基づいて、当該遊技関連情報に対応する遊技機が予約を可能とする遊技機であるか否かを識別可能な「予約可」を含む昨日パチンコベスト１０大当り回数ページを配信しており、該昨日ランキングページ配信処理によって本発明における予約可否情報配信手段並びに予約可否情報配信ステップが形成されている。
【０３４８】
この昨日パチンコベスト１０大当り回数ページには、図４０（ｄ）に示すように、各順位番号に対応付けて、機種名、台番号、大当り回数が表示されているとともに、各順位の遊技機が、その時点において予約が可能であるか否かを示すための「予約可」の項目が、予約可の遊技機においてのみ付与されており、該「予約可」の項目は選択操作可能とされている。
【０３４９】
この選択操作可能とされた「予約可」の項目をアクセス利用者（遊技者）が選択した場合には、サイトサーバ１４によって、該昨日パチンコベスト１０大当り回数ページが該当する遊技場の遊技場ＩＤが特定され、該特定された遊技場ＩＤと、選択された「予約可」の項目に対応する遊技機の台番号とを含む予約日出力要求が管理サーバ１４０に対して送信される。
【０３５０】
この予約日出力要求の受信に応じて管理サーバ１４０は、受信した予約日出力要求に含まれる遊技場ＩＤ並びに台番号とから、当該遊技機に対して予約の申し込みを実施できる予約日の対象日リストを、予約対象台テーブルの記憶データに基づいて作成し、該作成した対象日リストをサイトサーバ１４に送信する。
【０３５１】
この対象日リストの送信に基づいてサイトサーバ１４は、受信した対象日リストの一覧、並びに予約対象とする遊技機の台番号と機種とを含む、図４０（ｅ）に示す予約可能日一覧ページを生成して配信する。
【０３５２】
この予約可能日一覧ページにおいては、一覧表示された各予約日（対象日）毎にチェックボックスが設けられており、これらチェックボックスをチェックすることで予約日（対象日）を指定できるようになっていて、該予約可能日一覧ページの配信を受けてアクセス利用者（遊技者）は、これら予約可能日一覧ページに一覧表示されている各予約日（対象日）の中から、当該遊技機の予約を実施する予約日（対象日）を、該予約日（対象日）に対応するチェックボックスをチェックすることで選択した後、該ページに設けられている「選択」の項目を選択して台予約を申し込む。
【０３５３】
この予約可能日一覧ページに設けられている「選択」の項目が選択された場合には、サイトサーバ１４は、該選択によって携帯電話１６から送信されてくる送信データのヘッダに携帯電話会社のゲートウェイサーバ１５にて付加されている顧客ＩＤからサイト会員ＩＤを特定し、該特定したサイト会員ＩＤと、予約可能日一覧ページにて指定を受付けた予約日（対象日）と、該予約可能日一覧ページに含まれている予約対象とする台番号と、予約可能日一覧ページに該当する遊技場の遊技場ＩＤとを含む予約要求を管理サーバ１４０に対して送信する。
【０３５４】
この予約要求を受信した管理サーバ１４０は、前述のエラー判定、具体的には、予約要求に含まれる遊技場ＩＤから特定される遊技場が、予約要求に含まれるサイト会員ＩＤから特定されるアクセス利用者（遊技者）の気に入りホールに登録されているか、並びに予約日（申込日）と同一の日付の予約または優先入場の登録が、予約・優先入場状況テーブルに当該サイト会員ＩＤに対応付けて存在するかの判定を実施して、該判定において該遊技場がお気に入りホールに登録されていて、且つ、予約日（申込日）と同一の日付の予約または優先入場の登録が無い場合に、つまりはエラーがない場合には、受信した予約要求に含まれるサイト会員ＩＤを遊技場ＩＤと台番号とに対応付けてサイト予約情報テーブルに記憶し、当該予約日に対応する通知日を予約対象台テーブルから特定して、該特定した通知日と予約内容とを含む台予約受付け完了ページ配信要求をサイトサーバ１４に送信する。
【０３５５】
この台予約受付け完了ページ配信要求の受信に基づいてサイトサーバ１４は、台予約受付け完了ページ配信要求に含まれる予約内容と通知日とを含む、図４０（ｆ）に示す台予約受付け完了ページを生成してアクセス利用者（遊技者）の携帯電話１６に配信する。
【０３５６】
尚、管理サーバ１４０は、前記エラー判定においてエラーが存在する場合には、エラーの内容が予約日（申込日）と同一の日付の予約または優先入場の登録が有ることによるエラーの場合には、重複予約エラーをサイトサーバ１４に送信し、遊技場がお気に入りホールに登録されていていないことによるエラーの場合には、未登録エラーをサイトサーバ１４に送信する。
【０３５７】
サイトサーバ１４は、管理サーバ１４０からこの未登録エラーを受信した場合には、図４０（ｇ）に示す未登録エラーページをアクセス利用者（遊技者）の携帯電話１６に配信して、お気に入りに当該遊技場が登録されていないことを報知する。
【０３５８】
また、サイトサーバ１４は、管理サーバ１４０から重複予約エラーを受信した場合には、図４０（ｈ）に示す重複エラーページをアクセス利用者（遊技者）の携帯電話１６に配信して、予約日（申込日）に、既に他の予約または優先入場が存在することを報知する。
【０３５９】
次に、前述のようにして受付けた遊技機の予約の抽選を実施して、該抽選結果をアクセス利用者（遊技者）に通知するために本実施例の管理サーバ１４０において実施される予約抽選処理について図４２に基づいて以下に説明する。
【０３６０】
まず、管理サーバ１４０は、一日の内、予め設定されている所定の時間となった時点において（ステップＳ１）、ステップＳ２に進み、予約対象台テーブルにおいて、その当日が通知日に設定されている全ての予約対象情報を特定し、該特定した予約対象情報に含まれる予約日と遊技機を対象とする予約情報のサイト予約情報テーブルへの新規登録を禁止して、これら特定した予約対象情報に含まれる予約日と遊技機を対象とする新規の予約の受付けを中止する。
【０３６１】
そして、サイト予約情報テーブルにおいて、前記特定した各予約対象情報毎に、各予約対象情報に含まれる予約日と遊技場ＩＤと予約対象台番号に含まれる各台番号を含む予約要求を特定して抽出していき、抽出した予約要求が複数であるもの、つまりは、予約要求が重複している遊技機の台番号と予約日と遊技場ＩＤとを特定する（ステップＳ３）。
【０３６２】
尚、ステップＳ３において、抽出した予約要求が複数でないもの、つまりは、予約要求が１つしかない遊技機に関しては、当該抽出した予約要求に含まれるサイト会員ＩＤから特定されるアクセス利用者（遊技者）を予約者として確定し、該予約要求をサイト予約情報テーブルから削除し、予約・優先入場状況テーブルの該当選者のサイト会員ＩＤに対応付けて、抽出した予約要求に含まれる予約日と、予約対象の遊技場の遊技場ＩＤと、遊技機の台番号とからなる予約情報を登録（記憶）するとともに、対応する予約回数に１を加算した後、該当選者に予約日と遊技場名と台番号とを含む、図４５（ａ）に示す当選メールを、サイトサーバ１４を通じて送信する。
【０３６３】
そしてステップＳ４に進み、抽出した予約要求が複数であった各予約要求に含まれる各サイト会員ＩＤを抽選テーブルにセットするとともに、該セットしたサイト会員ＩＤに対応する予約要求をサイト予約情報テーブルから削除する。
【０３６４】
そして、これらサイト会員ＩＤがセットされた抽選テーブルに基づいて抽選を実施する。具体的には、予め抽選テーブルにランダムにサイト会員ＩＤをセットして、先頭にセットされたサイト会員ＩＤを取り出すようにして抽選したり、抽選テーブルに申込時刻順序もしくはサイト会員ＩＤに関する辞書式順序でセットされたサイト会員ＩＤを、ランダムに取り出すようにして抽選する。つまり、抽選テーブルに基づく抽選とは、抽選テーブルにセットされたサイト会員ＩＤの中から、サイト会員ＩＤを未作為に１つ抽出する処理であれば任意の処理でよい。そして、該当選したサイト会員ＩＤから特定されるアクセス利用者を当選者として決定する（ステップＳ５）。つまりは、該ステップＳ５において、所定期間において受付けた同一の遊技機に対する予約要求に含まれる遊技者識別情報となるサイト会員ＩＤから特定される遊技者を対象とした抽選を実施し、該ステップＳ５によって本発明における予約抽選手段並びに予約抽選ステップが形成されている。
【０３６５】
そして、ステップＳ６に進んで、該当選者のサイト会員ＩＤがサイト会員情報テーブルに登録されているサイト会員ＩＤに一致するか、つまりは、台予約を申し込んでから当該アクセス利用者（遊技者）が退会した場合も考えられることから、該アクセス利用者（遊技者）がその時点においてサイト会員であるか否かを判定し、アクセス利用者（遊技者）がその時点においてサイト会員である場合にはステップＳ７に進み、サイト会員でない場合にはステップＳ１３に進んで該アクセス利用者（遊技者）のサイト会員ＩＤを抽選テーブルから削除した後、前記ステップＳ５に戻る。
【０３６６】
ステップＳ７においては、予約対象の遊技機が設置されている遊技場が、サイト会員情報テーブルに当選者のサイト会員ＩＤに対応付けて記憶されている遊技場ＩＤから特定される遊技場と一致するか否か、つまりは、台予約の実施後に予約対象の遊技場がお気に入りホールの登録から削除される場合もあるので、該当選者となるアクセス利用者（遊技者）が、優先入場の対象遊技場を、その時点においてお気に入りホールに登録しているか否かを判定し、お気に入りホールに登録している場合にはステップＳ８に進み、お気に入りホールに登録していない場合にはステップＳ１３に進んで該アクセス利用者（遊技者）のサイト会員ＩＤを抽選テーブルから削除した後、前記ステップＳ５に戻る。
【０３６７】
ステップＳ８においては、当選者となるアクセス利用者（遊技者）のサイト会員ＩＤに対応付けて予約・優先入場状況テーブルに、予約日に該当する予約或いは優先入場の登録が有るか否か、つまりは、該アクセス利用者（遊技者）が予約日と同一の日に、他の予約または優先入場に当選しているか否かを判定し、予約日において他の予約または優先入場に当選していない場合にはステップＳ９に進み、当選している場合にはステップＳ１３に進んで該アクセス利用者（遊技者）のサイト会員ＩＤを抽選テーブルから削除した後、前記ステップＳ５に戻る。
【０３６８】
ステップＳ９においては、予約・優先入場状況テーブルにおける該当選者のサイト会員ＩＤに対応する予約許容禁止フラグが「１」か、つまりは、当該アクセス利用者（遊技者）が、予約時等或いは優先入場時並びに予約時の来店率が低くて予約の許容が禁止されているサイト会員であるか否かを判定し、予約許容禁止フラグが「１」でない場合（つまり予約許容禁止フラグが「０」である場合）にはステップＳ１０に進み、予約許容禁止フラグが「１」である場合にはステップＳ１３に進んで該アクセス利用者（遊技者）のサイト会員ＩＤを抽選テーブルから削除した後、前記ステップＳ５に戻る。
【０３６９】
そしてステップＳ１０において、ステップＳ６〜ステップＳ９までの各判定条件を満たしたものとして、該当選したアクセス利用者（遊技者）の予約を許容すると判定し、該当選者であるアクセス利用者（遊技者）を予約者として確定し、該アクセス利用者（遊技者）に予約日と遊技場名と台番号とを含む、図４５（ａ）に示す当選メールを、サイトサーバ１４を通じて送信するとともに、前記抽選にもれた落選したアクセス利用者（遊技者）には、図４５（ｂ）に示す落選メールを、サイトサーバ１４を通じて送信する。尚、当選メールは、当該アクセス利用者（遊技者）の前述のメールボックスにも記憶されることで、該メールボックスにおいても、当選の確認を実施できる。
【０３７０】
つまり、該ステップＳ１０において、前記ステップＳ５における抽選に当選したこと、並びに前記ステップＳ６における、当選者のサイト会員ＩＤがサイト会員情報テーブルに登録されているサイト会員ＩＤに一致すること、並びに前記ステップＳ７における、優先入場の対象遊技場が、サイト会員情報テーブルに当選者のサイト会員ＩＤに対応付けて記憶されている遊技場ＩＤから特定される遊技場と一致すること、並びに前記ステップＳ８における、当選者となるアクセス利用者（遊技者）のサイト会員ＩＤに対応付けて予約・優先入場状況テーブルに、予約日に該当する予約或いは優先入場の登録がないこと、並びに前記ステップＳ９における、予約・優先入場状況テーブルにおける該当選者のサイト会員ＩＤに対応する予約許容禁止フラグが「１」でないことを条件に、前記予約要求受付け処理にて受付けた遊技機識別情報である台番号から識別される遊技機の予約を許容するか否かを判定しており、該予約抽選処理におけるステップＳ１０によって、本発明における判定手段並びに判定ステップが形成されている。尚、ステップＳ６〜ステップＳ８の判定は、本実施例のサイトが公式サイトであるために、ログイン時や予約要求の受信時における前述のエラー判定処理においても判定されているため、予約抽選処理においては、適宜、省略しても良い。
【０３７１】
そしてステップＳ１１に進んで、予約・優先入場状況テーブルの該当選者のサイト会員ＩＤに対応付けて、抽出した予約要求に含まれる予約日と、予約対象の遊技場の遊技場ＩＤと、遊技機の台番号とからなる予約情報を登録（記憶）するとともに、対応する予約回数に１を加算する。これら予約・優先入場状況テーブルに登録された確定された予約の内容は、前述のように各遊技場に設置された会員管理コンピュータ１２０に通知される。つまりは、該予約抽選処理におけるステップＳ１１において、判定ステップとなるステップＳ１０において予約を許容すると判定されたことを条件に、前記予約要求受付け処理にて予約要求として受付けた遊技機識別情報である台番号と、遊技者が予約を希望する日付である予約日と、遊技者識別情報であるサイトＩＤとを対応付けて予約情報として記憶しており、該予約抽選処理におけるステップＳ１１によって本発明における予約情報記憶ステップ並びに予約状況記憶ステップとが形成されているとともに、各遊技者の遊技者識別情報となるサイト会員ＩＤに対応付けて、所定期間における予約情報記憶ステップとなる該ステップＳ１１にて予約情報として記憶した当該遊技者の予約の回数を特定可能な情報である予約回数を記憶する予約回数記憶ステップが形成されている。
【０３７２】
そしてステップＳ１２に進んで、前記ステップＳ３にて特定した予約要求が重複している全ての遊技機の抽選が終了したかを判定し、全ての予約要求が重複している遊技機の抽選が終了するまで、繰返し前記ステップＳ４〜ステップＳ１１の処理を実施する。
【０３７３】
このようにして当選メールの配信を受けたアクセス利用者（遊技者）は、予約日の当日において、該配信を受けた電子メールを自分の携帯電話１６に表示させることで、予約対象の遊技場において予約した遊技機の予約が認められて、該遊技機において遊技を実施できるようになる。
【０３７４】
次に、前述のようにして受付けた整理券データ（優先入場）の申し込みを実施したアクセス利用者（遊技者）を抽選対象とする抽選を実施して、該抽選結果をアクセス利用者（遊技者）に通知するために本実施例の管理サーバ１４０において実施される整理券データ抽選処理について図４３に基づいて以下に説明する。
【０３７５】
まず、管理サーバ１４０は、一日の内、予め設定されている所定の時間となった時点において（ステップＳｂ１）、ステップＳｂ２に進み、優先入場情報テーブルにおいて、その当日が通知日に設定されている全ての優先入場情報を特定し、該特定した優先入場情報に対応する申込会員の項目へのサイト会員ＩＤの追加登録を禁止して、これら特定した優先入場情報の対象遊技場並びに対象日に対する新規の優先入場の受付けを中止するとともに、状態変数（申し込み者が複数存在しないことを判定するための変数）に０をセットする。
【０３７６】
そして、前記ステップＳｂ２で特定した優先入場情報毎に、各優先入場情報に含まれる優先入場の対象日（申込日）の配信可能優先入店番号を特定し、該配信可能優先入店番号において最も若い番号を抽出して付与優先入場番号Ｘにセットする（ステップＳｂ３）。つまりは、該ステップＳｂ３において、優先入店情報記憶手段となる優先入場情報テーブルに優先入場情報記憶ステップとなる優先入場情報記憶処理において記憶された優先入店情報に含まれている優先入店番号である配信可能優先入場番号のうちから１つの優先入店番号を抽出しており、該ステップＳｂ３において本発明における優先入店番号抽出手段並びに優先入店番号抽出ステップが形成されている。
【０３７７】
そして、該優先入場の対象日（申込日）への申込者（アクセス利用者（遊技者））が複数であるか否か、つまりは、該優先入場情報に対応する優先入場情報テーブルの申込会員の項目に複数のサイト会員ＩＤの登録が有るか否かを判定し（ステップＳｂ４）、申込者（アクセス利用者（遊技者））が複数である場合にはステップＳｂ５に進み、申込者（アクセス利用者（遊技者））が複数でない場合には、ステップＳｂ１６に進む。
【０３７８】
このステップＳｂ１６に進んだ場合には、申込者（アクセス利用者（遊技者））が複数ではない１人であることを示すために、前記した状態変数Ｐを１に更新した後、ステップＳｂ７へ進んで、後述のステップＳｂ７〜ステップＳｂ１４の処理が実施された後、ステップＳｂ１５において、抽選テーブルにセットされているサイト会員ＩＤ無しと判定されて処理が終了される。
【０３７９】
そしてステップＳｂ５において、該優先入場情報に対応する優先入場情報テーブルの申込会員の項目に登録されている申込者（アクセス利用者（遊技者））の各サイト会員ＩＤを、抽選テーブルにセットし、該サイト会員ＩＤがセットされた抽選テーブルに基づいて抽選を実施して当選者を決定するとともに（ステップＳｂ６）、申込会員の項目の登録を削除する。これにより、通知日において申込会員の項目の登録が全て消去されている優先入場情報は、抽選済みであることが特定できるようになっている。尚、これら抽選の方法としては、前述の予約抽選処理における抽選と同様とすれば良い。つまりは、該ステップＳｂ６において、前記優先入場情報テーブルの申込会員の項目に登録されているサイト会員ＩＤ、すなわち所定期間において受付けた同一の日付となる対象日に対する整理券データ配信要求となる前述の送信データに含まれる遊技者識別情報となるサイト会員ＩＤから特定されるアクセス利用者（遊技者）を対象とした抽選を実施しており、該ステップＳｂ６にて本発明における抽選手段並びに抽選ステップが形成されている。
【０３８０】
そして、ステップＳｂ７に進んで、該当選者のサイト会員ＩＤがサイト会員情報テーブルに登録されているサイト会員ＩＤに一致するか、つまりは、優先入場を申し込んでから当該アクセス利用者（遊技者）が退会した場合も考えられることから、該アクセス利用者（遊技者）がその時点においてサイト会員であるか否かを判定し、アクセス利用者（遊技者）がその時点においてサイト会員である場合にはステップＳｂ８に進み、サイト会員でない場合にはステップＳｂ１７に進んで状態変数Ｐの値判定を実施した後、状態変数Ｐが０の場合においてステップＳｂ１８に進んで該アクセス利用者（遊技者）のサイト会員ＩＤを抽選テーブルから削除した後、前記ステップＳｂ６に戻る。
【０３８１】
ステップＳｂ８においては、優先入場の対象遊技場が、サイト会員情報テーブルに当選者のサイト会員ＩＤに対応付けて記憶されている遊技場ＩＤから特定される遊技場と一致するか否か、つまりは、優先入場の申込み後に予約対象の遊技場がお気に入りホールの登録から削除される場合もあるので、該当選者となるアクセス利用者（遊技者）が、優先入場の対象遊技場を、その時点においてお気に入りホールに登録しているか否かを判定し、お気に入りホールに登録している場合にはステップＳｂ９に進み、お気に入りホールに登録していない場合にはステップＳｂ１７に進んで状態変数Ｐの値判定を実施した後、状態変数Ｐが０の場合においてステップＳｂ１８に進んで該アクセス利用者（遊技者）のサイト会員ＩＤを抽選テーブルから削除した後、前記ステップＳｂ６に戻る。
【０３８２】
ステップＳｂ９においては、当選者となるアクセス利用者（遊技者）のサイト会員ＩＤに対応付けて予約・優先入場状況テーブルに、対象日に該当する予約或いは優先入場の登録が有るか否か、つまりは、該アクセス利用者（遊技者）が対象日と同一の日に、他の予約または優先入場に当選しているか否かを判定し、対象日において他の予約または優先入場に当選していない場合にはステップＳｂ１０に進み、当選している場合にはステップＳｂ１７に進んで状態変数Ｐの値判定を実施した後、状態変数Ｐが０の場合においてステップＳｂ１８に進んで該アクセス利用者（遊技者）のサイト会員ＩＤを抽選テーブルから削除した後、前記ステップＳｂ６に戻る。
【０３８３】
ステップＳｂ１０においては、予約・優先入場状況テーブルにおける該当選者のサイト会員ＩＤに対応する整理券配信禁止フラグが「１」か、つまりは、当該アクセス利用者（遊技者）が、優先入場時或いは優先入場時並びに予約時の来店率が低くて整理券データの配信が禁止されているサイト会員であるか否かを判定し、整理券配信禁止フラグが「１」でない場合（つまり整理券配信禁止フラグが「０」である場合）にはステップＳｂ１１に進み、整理券配信禁止フラグが「１」である場合にはステップＳｂ１７に進んで状態変数Ｐの値判定を実施した後、状態変数Ｐが０の場合においてステップＳｂ１８に進んで該アクセス利用者（遊技者）のサイト会員ＩＤを抽選テーブルから削除した後、前記ステップＳｂ６に戻る。
【０３８４】
そしてステップＳｂ１１において、ステップＳｂ７〜ステップＳｂ１０までの各判定条件を満たしたものとして、該当選したアクセス利用者（遊技者）へ付与優先入場番号Ｘを含む整理データを配信すると判定する。
【０３８５】
つまり、該ステップＳｂ１１において、前記ステップＳｂ６における抽選に当選したこと、並びに前記ステップＳｂ７における、当選者のサイト会員ＩＤがサイト会員情報テーブルに登録されているサイト会員ＩＤに一致すること、並びに前記ステップＳｂ８における、優先入場の対象遊技場が、サイト会員情報テーブルに当選者のサイト会員ＩＤに対応付けて記憶されている遊技場ＩＤから特定される遊技場と一致すること、並びに前記ステップＳｂ９における、当選者となるアクセス利用者（遊技者）のサイト会員ＩＤに対応付けて予約・優先入場状況テーブルに、対象日に該当する予約或いは優先入場の登録がないこと、並びに前記ステップＳｂ１０における、予約・優先入場状況テーブルにおける該当選者のサイト会員ＩＤに対応する整理券配信禁止フラグが「１」でないことを条件に、遊技者識別情報となるサイト会員ＩＤから特定されるアクセス利用者（遊技者）に整理券データを配信するか否かを判定しており、該整理券データ抽選処理におけるステップＳｂ１１によって、本発明における配信可否判定手段並びに配信可否判定ステップが形成されている。尚、ステップＳｂ７〜ステップＳｂ９の判定は、本実施例のサイトが公式サイトであるために、ログイン時や整理券データ配信要求の受信時における前述のエラー判定処理においても判定されているため、整理券データ抽選処理においては、適宜、省略しても良い。
【０３８６】
そして、予約・優先入場状況テーブルの該当選者であるアクセス利用者（遊技者）のサイト会員ＩＤに対応付けて、優先入場の対象日（申込日）と、対象の遊技場の遊技場ＩＤと、優先入場番号Ｘとを登録するとともに、対応する優先入場回数に１を加算した後、該当選者のサイト会員ＩＤを抽選テーブルから削除する（ステップＳｂ１２）。つまりは、該ステップＳｂ１２によって、整理券データ配信ステップとなる後述するステップＳｂ１３にて各アクセス利用者（遊技者）に配信された整理券データとなる当選メールの対象となる日付である優先入場日を、当該アクセス利用者（遊技者）のサイト会員ＩＤに対応付けて記憶する優先入店状況記憶ステップが形成されているとともに、各アクセス利用者（遊技者）のサイト会員ＩＤに対応付けて、所定期間である約３ヶ月における整理券データ配信ステップとなる後述するステップＳｂ１３による当該アクセス利用者（遊技者）への整理券データとなる当選メールの配信回数を特定可能な情報である優先入場回数を記憶する整理券データ配信回数記憶ステップが形成されている。
【０３８７】
そして、該当選者であるアクセス利用者（遊技者）のメールアドレスとメールボックスとに、優先入場日と、対象の遊技場と、優先入場番号Ｘとを含む整理券データが添付された、図４６（ａ）に示す当選メールを配信して、当選したことと優先番号とを通知する（ステップＳｂ１３）。つまり、該ステップＳｂ１３において、前記配信可否判定ステップとなるステップＳｂ１１において整理券データを配信すると判定されたことを条件として、前記優先入店番号抽出手段並びに優先入店番号抽出ステップとなるステップＳｂ３において抽出された前述の優先入場日一覧ページにて受付けた対象日の優先入店番号Ｘを含む整理券データとなる当選メールを、遊技者端末である携帯電話１６の電子メールアドレスに対して配信しており、該整理券データ抽選処理におけるステップＳｂ１３によって、本発明における整理券データ配信手段並びに整理券データ配信ステップが形成されている。
【０３８８】
そして、前記、予約・優先入場状況テーブルに登録（記憶）した優先入場番号Ｘが、前記ステップＳｂ３にて特定した配信可能優先入店番号の上限値に達しているかを判定する（ステップＳｂ１４）。
【０３８９】
このステップＳｂ１４の判定において、達していないと判定された場合には、ステップＳｂ１５に進んで、抽選テーブルにセットされているサイト会員ＩＤが残存するか否かを判定し、残存しない場合には、全ての申込者であるアクセス利用者（遊技者）のへの優先入場番号Ｘを含む整理券データの配信が終了したものと判定して処理を終了し、残存する場合においては、ステップＳｂ１９に進んで、優先入場番号Ｘに１を加算したの後、前記したステップＳｂ６へ戻ることで、抽選テーブルにセットされているサイト会員ＩＤが無くなるか、或いは優先入場番号Ｘが上限値に達するまで、繰返しＳｂ６〜Ｓｂ１５の処理を実施する。
【０３９０】
また、前記ステップＳｂ１４の判定において、達していると判定された場合には、抽選テーブルにサイト会員ＩＤが残存していることとなるので、抽選に落選した申込者であるアクセス利用者（遊技者）が存在することになるので、該抽選テーブルにセットされている（残存する）サイト会員ＩＤから特定される申込者であるアクセス利用者（遊技者）のメールアドレスに対して、図４６（ｂ）に示す落選メールを配信する。
【０３９１】
尚、ステップＳｂ１７にて状態変数Ｐの値が１の場合には、申込者であるアクセス利用者（遊技者）が１人なので、処理を終了する。
【０３９２】
このようにして整理券データを含む図４６（ａ）の当選メールの配信を受けたアクセス利用者（遊技者）は、該整理券データの対象日の当日において、該配信を受けた整理券データが添付された当選メールを自分の携帯電話１６に表示させることで、整理券データの対象の遊技場において、該整理券データに含まれる優先入場番号における優先入場が認められるようになる。
【０３９３】
以上、本実施例によれば、アクセス利用者（遊技者）である遊技者は遊技者端末となる携帯電話１６を用いて、インターネット網を介して遊技場において整理券となる整理券データを、遊技場に出向くことなく入手することができ、アクセス利用者（遊技者）である遊技者が整理券を取得するためにいちいち遊技場に出向く面倒を解消することができるとともに、これら優先入場を申し込んだアクセス利用者（遊技者）に優先入場番号を含む整理券データを配信するか否かが判定されるので、全てのアクセス利用者（遊技者）に制約なく整理券データを配信することにより、実際に遊技場に来店してもらえないアクセス利用者（遊技者）の比率が高くなり、集客に繋がらないことを回避できるので、整理券を集客向上に十分活用できるようになる。
【０３９４】
また、本実施例によれば、遊技場の関係者が整理券データ配信装置を成すサイトサーバ１４においてアクセス利用者（遊技者）である遊技者に配信される整理券データに使用される優先入場番号を指定できるようになるので、遊技場での整理券の発行と連携した運用、例えば、前述したように、遊技場において早くに来場した遊技者には、若い優先入場番号の整理券を発行し、それ以降の優先入場番号を整理券データに使用される優先入場番号として指定することで、これら遊技場にて発行される整理券との連携が可能となり、これら連携により整理券を固定客化の促進に活用することができる。
【０３９５】
また、本実施例によれば、整理券データの配信を受けるための条件として、アクセス利用者である遊技者に、遊技者登録となるサイト会員登録の実施を課すことで、遊技場への来店意欲の少ないアクセス利用者（遊技者）による整理券データの不適切な取得を抑制できる。
【０３９６】
また、本実施例によれば、整理券データの配信を受けるための条件として、アクセス利用者である遊技者に所望する特定遊技場、つまりは、お気に入りホールを指定することを課すことで、遊技場への来店意欲の少ないアクセス利用者（遊技者）による不適切な整理券データの取得をさらに抑制できる。
【０３９７】
また、本実施例によれば、同一のアクセス利用者である遊技者により、同日に複数の遊技場における整理券データが取得されることを防止できる。
【０３９８】
また、本実施例によれば、各アクセス利用者である遊技者の整理券データ取得時、つまりは当選メールが配信された際における優先入場時来店率を算出し、該優先入場時来店率に基づいて、優先入場時来店率が低いアクセス利用者（遊技者）のへの整理券データを含む当選メールの配信を停止するので、優先入場時来店率が高いアクセス利用者（遊技者）を優遇することで、集客効果向上並びに固定客化を更に促進することができる。
【０３９９】
また、本実施例によれば、優先入場の申込会員を対象とする整理券データ抽選処理を実施しているので、受付け開始時刻等によるアクセス利用者（遊技者）の不平等を生じることなく、公平に整理券データを配信することができる。
【０４００】
以上、本発明の実施例を図面により説明してきたが、具体的な構成はこれら実施例に限られるものではなく、本発明の要旨を逸脱しない範囲における変更や追加があっても本発明に含まれる。
【０４０１】
例えば、上記実施例では、遊技用サービスサイトを携帯電話会社における公式サイトとして運営しているために、ゲートウェイサーバ１５において、携帯電話１６から送信される送信データのヘッダに、前述のように顧客ＩＤが付加されてくることから、アクセスデータからアクセス利用者（遊技者）を特定できるので、これらアクセス利用者（遊技者）を特定するためのサイト会員ＩＤ等を、携帯電話１６からは直接受付けていないが、本発明はこれに限定されるものではなく、これら遊技用サービスサイトを公式サイトではない通常サイトとして運営する場合等においては、これらアクセス利用者（遊技者）を特定するためのサイト会員ＩＤやパスワード等を、サイト会員登録時にアクセス利用者（遊技者）に通知しておき、前述した管理者用サイトの場合と同様に、サイトへのログイン時に、これらサイト会員ＩＤやパスワード等を受付けたり、台予約や優先入場の申込み時において、これらサイト会員ＩＤやパスワードを受付けるようにしても良い。つまり、前記実施例においては、アクセス利用者（遊技者）を特定するための遊技者識別情報となるサイト会員ＩＤを、携帯電話会社のゲートウェイサーバ１５において、携帯電話１６から送信される端末番号または電話番号から特定される携帯電話会社側における顧客ＩＤが、携帯電話１６から送信される端末番号または電話番号に代えて顧客ＩＤとして携帯電話１６から送信される送信データに付与され、該顧客ＩＤをサイト会員ＩＤとして受付けており、これらサイト会員ＩＤ（顧客ＩＤ）を携帯電話１６からは直接受付けていないが、本発明における、「遊技者端末から受付ける」ことは、これら中間装置となるこれらゲートウェイサーバ１５等にて変換された顧客ＩＤを受付けるような形態を含むものである。
【０４０２】
また、前記実施例では、優先入場番号を含む整理券データを配信すると判定するための条件として、アクセス利用者（遊技者）がサイト会員であることが必須とされているが、本発明はこれに限定されるものではなく、これら優先入場をサイト会員に限らず、サイトにアクセスしてきたアクセス利用者（ゲスト）でも整理券データの配信を受けられるようにしても良く、この場合においては、これらアクセス利用者を個々に識別可能な遊技者識別情報としては、例えば、アクセス利用者の電子メールアドレスや携帯電話１６の電話番号等を受付けるようにすれば良い。
【０４０３】
また、前記実施例では、優先入場を申し込んだアクセス利用者（遊技者）を対象とする整理券データの抽選を実施するようにしているが、本発明はこれに限定されるものではなく、これらの抽選を実施せずに、申し込み順に優先入場番号を付与して整理券データを配信するようにしても良い。
【０４０４】
また、前記実施例では、台予約を申し込んだアクセス利用者（遊技者）を対象とする抽選を実施するようにしているが、本発明はこれに限定されるものではなく、これらの抽選を実施せずに、所定の条件を満たせば、申し込み順に予約者を決定するようにしても良い。
【０４０５】
また、前記実施例では、サイトサーバ１４と管理サーバ１４０を、セキュリティ性の観点から個別に設けているが、本発明はこれに限定されるものではなく、これらサイトサーバ１４と管理サーバ１４０を１つのサーバにて構築するようにしても良い。
【０４０６】
また、前記実施例では、管理サーバ１４０が各遊技場に設置されている会員管理コンピュータ１２０に接続されているが、本発明はこれに限定されるものではなく、これら会員管理コンピュータ１２０に接続されていない構成であっても良く、この場合には、これらサイトサーバ１４と管理サーバ１４０を、カード管理会社以外に設置しても良い。
【０４０７】
また、前記実施例では、判定条件となる予約許容禁止フラグや整理券配信禁止フラグを適用来店率に設定されている各来店率が所定の比率である３０％よりも低いことに基づいて変更し、予約の許容や整理券データの配信を禁止するようにしているが、本発明はこれに限定されるものではなく、これら各来店率が所定の比率、例えば８０％以上であるアクセス利用者（遊技者）の場合には、抽選テーブルへのサイト会員ＩＤのセット数を増やす等により、これら来店率が高いアクセス利用者（遊技者）を優遇するようにしても良い。
【０４０８】
また、前記実施例では、前述の整理券データ抽選処理のステップＳｂ１１において整理券データを配信すると判定されたことにより、当選者に配信される当選メールに添付される整理券データに含まれる確定した優先入場番号や、対象日、対象遊技場の遊技場ＩＤが該当選メールの配信を受けたアクセス利用者（遊技者）のサイト会員ＩＤに対応付けて予約・優先入場状況テーブルに登録（記憶）されるようになり、これら予約・優先入場状況テーブルに登録（記憶）された優先入場番号や、対象日、対象遊技場の遊技場ＩＤに基づいて、優先入場や台予約の受付けにおいて、新たに受付ける優先入場や台予約の対象日や予約日がすでに、該優先入場や台予約を申し込むアクセス利用者（遊技者）のサイト会員ＩＤに対応付けて予約・優先入場状況テーブルに記憶されている場合には、該優先入場や台予約を受付けないようにしているが、例えば、新たに受付ける優先入場や台予約の対象日や予約日と同日の対象日に対応する優先入場情報テーブルの申込会員の項目に、既に優先入場や台予約を申し込むアクセス利用者（遊技者）のサイト会員ＩＤが登録されていたり、新たに受付ける優先入場や台予約の対象日や予約日と同日の日付と該優先入場や台予約を申し込むアクセス利用者（遊技者）のサイト会員ＩＤとを含む予約要求がサイト予約情報テーブルに記憶されている場合、つまりは、当選してはいないが、新たに受付ける優先入場や台予約の対象日や予約日と同日の対象日における優先入場や台予約の申し込みをアクセス利用者（遊技者）が既に実施している場合には、これらの優先入場や台予約の申し込みを受付けないようにしても良い。つまりは、整理券データの配信要求に含まれる遊技者識別情報と優先入場を実施する日とを対応付けて記憶する整理券データ配信要求情報記憶手段（ステップ）と、新たに受付ける整理券データの配信要求に含まれる遊技者識別情報と優先入場を実施する日が、前記該整理券データ配信要求情報記憶手段（ステップ）に記憶されていないことを条件として整理券データの配信要求の受付けを許容する配信要求受付許容手段と、遊技機の予約要求に含まれる遊技者識別情報と予約の対象日とを対応付けて記憶する予約要求情報記憶手段（ステップ）と、新たに受付ける遊技機の予約要求に含まれる遊技者識別情報と予約の対象日とが、前記予約要求情報記憶手段（ステップ）に記憶されていないことを条件として予約要求の受付けを許容する予約要求受付許容手段と、を備えるようにすれば良い。
【０４０９】
また、前記実施例では、管理サーバ１４０と遊技場の会員管理コンピュータ１２０とを通信回線１１にて接続し、遊技関連情報テーブルにおける遊技関連情報が、各遊技場の会員管理コンピュータ１２０から定期的に自動送信されるようにしているが、本発明はこれに限定されるものではなく、例えば管理サーバ１４０と遊技場の会員管理コンピュータ１２０とを接続しない場合には、これら遊技関連情報や、遊技関連情報を含むランキングデータ等を遊技場管理者のノートパソコンより、例えばＣＳＶファイル等の所定形式のデータとしてサイトサーバ１４を介して管理サーバ１４０が受信し、遊技関連情報テーブルやランキングテーブルを更新するようにしても良い。
【０４１０】
また、前記実施例においてはアクセス利用者（遊技者）の遊技者端末として遊技者が所持する携帯電話１６を例示したが、本発明はこれに限定されるものではなく、これら遊技者端末としては、オープンコンピュータネットワークであるインターネット網に接続可能なものであれば利用可能であることは言うまでもなく、例えばこれら遊技者端末としては、サイト会員である遊技者が所有する自体等のパソコンであっても良いし、更には、遊技場において貸し出される携帯電話であっても良いし、遊技場内に配置されたパソコンや、該パソコンを内在した専用の顧客用端末装置としても良い。
【０４１１】
また、前記実施例では、会員管理コンピュータ１２０とノートパソコン１５０とを個別の端末としているが、本発明はこれに限定されるものではなく、これらノートパソコン１５０と会員管理コンピュータ１２０とを同一の遊技場端末としても良い。
【０４１２】
また、前記実施例では、複数の各遊技場において異なる形式の遊技場会員ＩＤに対応するために、遊技者識別情報である遊技場会員ＩＤと遊技者特定情報であるサイト会員ＩＤとを個別のものとしているが、本発明はこれに限定されるものではなく、例えば、会員サービスサイトの運営機関と遊技場を運営する機関とが同一であり、これら遊技場会員ＩＤとサイト会員ＩＤとを統一できる場合であれば、サイト会員ＩＤと遊技場会員ＩＤとを同一のものとしても良い。
【０４１３】
前記実施例における各要素は、本発明に対して以下のように対応している。
本発明の請求項１は、利用契約した遊技場の関係者が操作可能であって通信回線網（インターネット網）を介して接続された遊技場用端末（ノートパソコン１５０）から、当該遊技場に設置されている遊技機の予約を可能とする期間（予約日）を特定可能な情報と、当該期間において予約を可能とする遊技機を個々に識別可能な遊技機識別情報（台番号）と、を予約可能対象情報（台予約設定ページ１〜３の入力情報）として受付ける予約可能対象情報受付手段（サイトサーバ１４、予約可能対象情報受付処理）と、前記予約可能対象情報受付手段にて受付けた予約可能対象情報を記憶するための予約可能対象情報記憶手段（記憶装置１４５；予約対象台テーブル）と、前記予約可能対象情報記憶手段に記憶されている予約可能対象情報に基づいて、オープンコンピュータネットワーク（インターネット網）を介して接続された遊技者が操作可能な遊技者端末（携帯電話１６）からのアクセス時点において予約可能な遊技機を特定し、該特定した予約可能な遊技機を特定可能な情報を含む予約対象情報（予約可能台番号一覧ページ）をアクセスしてきた遊技者端末に配信する予約対象情報配信手段（サイトサーバ１４、予約対象情報配信処理）と、前記遊技者端末から遊技者が予約を所望する遊技機の遊技機識別情報と、当該遊技者を個々に識別可能な遊技者識別情報（サイト会員ＩＤ）と、を予約要求として受付ける予約要求受付け手段（サイトサーバ１４、予約要求受付け処理）と、前記予約要求受付け手段にて予約要求として受付けた遊技機識別情報から識別される遊技機の予約を許容するか否かを判定する判定手段（管理サーバ１４０、予約抽選処理、ステップＳ６〜１０）と、前記判定手段において予約を許容すると判定されたことを条件に、前記予約要求受付け手段にて予約要求として受付けた遊技機識別情報と遊技者識別情報とを対応付けて予約情報として記憶するための予約情報記憶手段（記憶装置１４５、予約・優先入場状況テーブル）と、前記遊技場用端末から、該遊技場において優先入店番号（優先入場番号）を含む整理券データ（当選メール）を用いた優先入店（優先入場）を実施する日付を少なくとも含む優先入店情報（優先入場情報）を受付ける優先入店情報受付け手段（サイトサーバ１４、優先入場情報受付け処理）と、前記優先入店情報受付け手段にて受付けた優先入店情報を記憶するための優先入店情報記憶手段（記憶装置１４５；優先入場情報テーブル）と、前記優先入店情報記憶手段の記憶情報に基づいて、優先入店を実施する日付を含む優先入店対象情報（優先入場日一覧ページ）を、前記遊技者端末に配信する優先入店対象情報配信手段（サイトサーバ１４、優先入場日一覧ページ配信処理）と、前記遊技者端末から、当該遊技者を個々に識別可能な遊技者識別情報（サイト会員ＩＤ）を含み、前記優先入店対象情報配信手段にて配信した優先入店対象情報に含まれる日付における優先入店番号を含む整理券データの配信を要求する整理券データ配信要求を受付ける整理券データ配信要求受付け手段（サイトサーバ１４、整理券データ配信要求受付け処理）と、前記整理券データ配信要求に含まれる遊技者識別情報から特定される遊技者に整理券データを配信するか否かを判定する配信可否判定手段（管理サーバ１４０；整理券データ抽選処理、ステップＳｂ７〜１１）と、前記配信可否判定手段において配信すると判定されたことを条件として、優先入店番号を含む整理券データを前記整理券データ配信要求の送信元の遊技者端末に対して配信する整理券データ配信手段（サイトサーバ１４，管理サーバ１４０；整理券データ抽選処理、ステップＳｂ１３）と、を備える。
【０４１４】
本発明の請求項２は、前記優先入店情報受付け手段（サイトサーバ１４、優先入場情報受付け処理）は、前記優先入店情報（優先入場情報）として、前記日付における優先入店番号（優先入場番号）のうち前記整理券データ（当選メール）に使用する優先入店番号を含む優先入店情報を受付け、前記優先入店情報記憶手段（記憶装置１４５；優先入場情報テーブル）に記憶されている優先入店情報に含まれている優先入店番号（配信可能優先入場番号）のうちから１つの優先入店番号を抽出する優先入店番号抽出手段（管理サーバ１４０；整理券データ抽選処理、ステップＳｂ３、ステップＳｂ１９）を備え、前記整理券データ配信手段（サイトサーバ１４、管理サーバ１４０；整理券データ抽選処理、ステップＳｂ１３）は、前記優先入店番号抽出手段にて抽出された優先入店番号を含む整理券データ（当選メール）を配信する。
【０４１５】
本発明の請求項３は、前記遊技者端末から遊技者の属性情報を含む遊技者登録要求を受付ける遊技者登録要求受付け手段（サイトサーバ１４、サイト会員登録要求受付け処理）と、前記遊技者登録要求受付け手段にて受付けた遊技者登録要求に含まれる属性情報を、前記遊技者識別情報（サイト会員ＩＤ）に対応付けて記憶するための遊技者情報記憶手段（記憶装置１４５；サイト会員情報テーブル）と、を備え、前記判定手段（管理サーバ１４０、予約抽選処理）は、受付けた予約要求に含まれる遊技者識別情報が前記遊技者情報記憶手段に記憶されている遊技者識別情報に一致することを条件（ステップＳ６）として予約を許容する判定を行い（ステップＳ１０）、前記配信可否判定手段（管理サーバ１４０；整理券データ抽選処理）は、受付けた整理券データ配信要求に含まれる遊技者識別情報が前記遊技者情報記憶手段に記憶されている遊技者識別情報に一致することを条件（ステップＳｂ７）として配信すると判定する（ステップＳｂ１１）。
【０４１６】
本発明の請求項４は、前記遊技者端末（携帯電話１６）から、複数の前記利用契約した遊技場の内から遊技者が所望する特別遊技場（お気に入りホール）の指定を受付ける特別遊技場受付け手段（サイトサーバ１４、マイページに登録処理）と、前記特別遊技場受付け手段にて指定を受付けた遊技場を特定可能な遊技場特定情報（遊技場ＩＤ）を当該遊技者の遊技者識別情報（サイト会員ＩＤ）に対応付けて記憶するための特別遊技場記憶手段（記憶装置１４５、サイト会員情報テーブル）と、を備え、前記予約要求受付け手段（サイトサーバ１４、予約要求受付け処理）は、遊技者が予約を希望する遊技機が設置されている遊技場を含む予約要求を受付け、前記整理券データ配信要求受付け手段（サイトサーバ１４、整理券データ配信要求受付け処理）は、遊技者が優先入店を希望する遊技場を含む整理券データ配信要求を受付け、前記判定手段（管理サーバ１４０、予約抽選処理）は、受付けた予約要求に含まれる遊技場が、前記遊技者情報記憶手段（記憶装置１４５、サイト会員情報テーブル）に当該遊技者の遊技者識別情報に対応付けて記憶されている遊技場特定情報から特定される遊技場に一致することを条件（ステップＳ７）として予約を許容する判定を行い（ステップＳ１０）、前記配信可否判定手段（管理サーバ１４０；整理券データ抽選処理）は、受付けた整理券データ配信要求に含まれる遊技場が、前記特別遊技場記憶手段に当該遊技者の遊技者識別情報に対応付けて記憶されている遊技場特定情報から特定される遊技場に一致することを条件（ステップＳｂ８）として配信すると判定する（ステップＳｂ１１）。
【０４１７】
本発明の請求項５は、前記予約要求受付け手段（サイトサーバ１４、予約要求受付け処理）は、遊技者が予約を希望する日付を予約要求として受付け、前記優先入店対象情報配信手段（サイトサーバ１４、優先入場日一覧ページ配信処理）は、複数の日付を含む優先入店対象情報（優先入場日一覧ページ）を配信し、前記整理券データ配信要求受付け手段（サイトサーバ１４、整理券データ配信要求受付け処理）は、前記配信された優先入店対象情報に含まれる複数の日付のうち、遊技者が優先入店（優先入場）を希望する日付を含む整理券データ配信要求を受付け、前記整理券データ配信手段（サイトサーバ１４，管理サーバ１４０；整理券データ抽選処理、ステップＳｂ１３）は、前記整理券データ配信要求に含まれる日付における優先入店番号（優先入場番号）を含む整理券データ（当選メール）を配信し、前記予約情報記憶手段（記憶装置１４５、予約・優先入場状況テーブル）に記憶された予約情報に含まれる遊技者識別情報に対応付けて当該予約情報の対象となる日付を記憶する予約状況記憶手段（管理サーバ１４０；予約抽選処理、ステップＳ１１）と、前記予約情報記憶手段（記憶装置１４５、予約・優先入場状況テーブル）は、各遊技者の遊技者識別情報（サイト会員ＩＤ）を含む予約情報として記憶した予約の対象となる日付を記憶し、前記整理券データ配信手段にて各遊技者に配信された整理券データの対象となる日付（優先入場日）を当該遊技者の遊技者識別情報に対応付けて記憶するための優先入店状況記憶手段（記憶装置１４５、予約・優先入場状況テーブル）と、を備え、前記判定手段（管理サーバ１４０、予約抽選処理）は、予約要求として受付けた予約の対象日が該予約要求に含まれる遊技者識別情報に対応付けて前記予約状況記憶手段に記憶されていないことを条件（ステップＳ８）として予約を許容すると判定し（ステップＳ１０）、前記配信可否判定手段（管理サーバ１４０；整理券データ抽選処理）は、前記整理券データ配信要求に含まれる日付が該整理券データ配信要求に含まれる遊技者識別情報に対応付けて前記優先入店状況記憶手段に記憶されていないことを条件（ステップＳｂ９）として配信すると判定する（ステップＳｂ１１）。
【０４１８】
本発明の請求項６は、前記予約情報記憶手段（記憶装置１４５、予約・優先入場状況テーブル）に記憶された予約情報の予約の対象日（予約日）における当該予約を要求した遊技者の来店を確認するための来店確認情報並びに前記整理券データ配信手段にて配信された整理券データの対象日における当該整理券データの配信を受けた遊技者の来店の有無を確認するための来店確認情報を受付ける来店確認情報受付け手段（サイトサーバ１４、台予約時来店確認情報受付け処理、優先入場時来店確認情報受付け処理）と、各遊技者の遊技者識別情報（サイト会員ＩＤ）に対応付けて、所定期間における前記予約情報記憶手段に予約情報として記憶した当該遊技者の予約の回数を特定可能な情報（予約回数）を記憶するための予約回数記憶手段（記憶装置１４５、予約・優先入場状況テーブル）と、各遊技者の遊技者識別情報に対応付けて、前記予約回数記憶手段において記憶対象とされた所定期間における前記来店確認情報に基づく当該遊技者の各予約の対象日における来店回数を特定可能な情報（予約時来店回数）を記憶するための予約時来店回数記憶手段（記憶装置１４５、予約・優先入場状況テーブル）と、各遊技者の遊技者識別情報に対応付けて、所定期間における前記整理券データ配信手段による当該遊技者への整理券データの配信回数を特定可能な情報（優先入場回数）を記憶するための整理券データ配信回数記憶手段（記憶装置１４５、予約・優先入場状況テーブル）と、各遊技者の遊技者識別情報に対応付けて、前記整理券データ配信回数記憶手段において記憶対象とされた所定期間における前記来店確認情報に基づく各整理券データ（当選メール）の対象日（優先入場日）における当該整理券データの配信を受けた遊技者の来店回数を特定可能な情報（優先入場時来店回数）を記憶するための優先入店時来店回数記憶手段（記憶装置１４５、予約・優先入場状況テーブル）と、前記予約回数記憶手段、予約時来店回数記憶手段、整理券データ配信回数記憶手段並びに優先入店時来店回数記憶手段に記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率（予約時来店率）並びに整理券データの配信を受けた際の各遊技者の来店率（優先入場時来店率）、または前記所定期間における各遊技者が遊技機を予約或いは整理券データの配信を受けた際の各遊技者の来店率（予約または優先入場時来店率）の少なくとも一方を算出する来店率算出手段（管理サーバ１４０；判定条件変更処理、ステップＳｃ２）と、前記来店率算出手段にて算出された各遊技者の来店率に基づいて各遊技者の前記判定手段（管理サーバ１４０、予約抽選処理）または前記配信可否判定手段（管理サーバ１４０；整理券データ抽選処理）による判定条件（予約許容禁止フラグ、整理券配信禁止フラグ）を変更する判定条件変更手段（管理サーバ１４０；判定条件変更処理、ステップＳｃ５）と、を備える。
【０４１９】
本発明の請求項７は、前記優先入店対象情報配信手段（サイトサーバ１４、優先入場日一覧ページ配信処理）は、複数の日付を含む優先入店対象情報（優先入場日一覧ページ）を配信し、前記整理券データ配信要求受付け手段（サイトサーバ１４、整理券データ配信要求受付け処理）は、前記配信された優先入店対象情報に含まれる複数の日付のうち、遊技者が優先入店（優先入場）を希望する日付（申込日）を含む整理券データ配信要求を受付け、所定期間において受付けた同一の日付を含む整理券データ配信要求に含まれる遊技者識別情報（サイト会員ＩＤ）から特定される遊技者を対象とした抽選を実施する整理券抽選手段（管理サーバ１４０；整理券データ抽選処理、ステップＳｂ６）を備え、前記配信可否判定手段（管理サーバ１４０；整理券データ抽選処理）は、前記整理券抽選手段における抽選において当選したことを条件（ステップＳｂ６）として配信すると判定し（ステップＳｂ１１）、前記整理券データ配信手段（サイトサーバ１４，ＣＰＵ１４２；整理券データ抽選処理、ステップＳｂ１３）は、前記整理券データ配信要求に含まれる日付（申込日）における優先入店番号を含む整理券データ（当選メール）を配信する。
【０４２０】
本発明の請求項８は、所定期間において受付けた同一の遊技機に対する予約要求に含まれる遊技者識別情報（サイト会員ＩＤ）から特定される遊技者を対象とした抽選を実施する予約抽選手段（管理サーバ１４０、予約抽選処理、ステップＳ５）を備え、前記判定手段（管理サーバ１４０、予約抽選処理）は、前記予約抽選手段における抽選において当選したことを条件（ステップＳ５）として遊技機の予約を許容する（ステップＳ１０）。
【０４２１】
本発明の請求項９は、少なくとも前記予約可能対象情報受付手段（サイトサーバ１４、予約可能対象情報受付処理）にて受付けた情報から特定される予約を可能とする遊技機の前記遊技機識別情報（台番号）と当該遊技機での遊技に関連して発生する遊技関連情報（遊技データ）を入力するための遊技関連情報入力手段（会員管理コンピュータ１２０、デジタルサービスユニット１４８）と、前記遊技関連情報入力手段より入力された前記遊技機識別情報と遊技関連情報とを対応付けて記憶するための遊技関連情報記憶手段（記憶装置１４５、遊技関連情報テーブル）と、前記遊技関連情報記憶手段に記憶されている少なくとも予約を可能とする遊技機の遊技関連情報を前記遊技者端末（携帯電話１６）に配信する遊技関連情報配信手段（サイトサーバ１４、台データページ配信処理）と、を備える。
【０４２２】
本発明の請求項１０は、前記遊技関連情報入力手段（会員管理コンピュータ１２０、デジタルサービスユニット１４８）には、予約を可能とする遊技機以外の予約を不能とする遊技機の前記遊技機識別情報（台番号）と遊技関連情報（遊技データ）とが入力され、各遊技機識別情報に対応する遊技機が予約を可能とする遊技機か否かを識別可能な予約可否情報を当該遊技機識別情報に対応付けて記憶する予約可否情報記憶手段（管理サーバ１４０、遊技関連情報記憶処理）と、前記遊技関連情報記憶手段に記憶されている遊技関連情報を、当該遊技関連情報に対応付けて記憶されている前記予約可否情報に基づいて、当該遊技関連情報に対応する遊技機が予約を可能とする遊技機であるか否かを識別可能（「予約可」表示）に配信する予約可否情報配信手段（サイトサーバ１４、昨日ランキングページ配信処理）と、を備える。
【０４２３】
本発明の請求項１１は、利用契約した遊技場の関係者が操作可能であって通信回線網（インターネット網）を介して接続された遊技場用端末（ノートパソコン１５０）から、当該遊技場に設置されている遊技機の予約を可能とする期間（予約日）を特定可能な情報と、当該期間において予約を可能とする遊技機を個々に識別可能な遊技機識別情報（台番号）と、を予約可能対象情報（台予約設定ページ１〜３の入力情報）として受付ける予約可能対象情報受付ステップ（サイトサーバ１４、予約可能対象情報受付処理）と、前記予約可能対象情報受付ステップにて受付けた予約可能対象情報を記憶する予約可能対象情報記憶ステップ（管理サーバ１４０、予約可能対象情報記憶処理）と、前記予約可能対象情報記憶ステップにて記憶した予約可能対象情報に基づいて、オープンコンピュータネットワーク（インターネット網）を介して接続された遊技者が操作可能な遊技者端末（携帯電話１６）からのアクセス時点において予約可能な遊技機を特定し、該特定した予約可能な遊技機を特定可能な情報を含む予約対象情報（予約可能台番号一覧ページ）をアクセスしてきた遊技者端末に配信する予約対象情報配信ステップ（サイトサーバ１４、予約対象情報配信処理）と、前記遊技者端末から遊技者が予約を所望する遊技機の遊技機識別情報と、当該遊技者を個々に識別可能な遊技者識別情報（サイト会員ＩＤ）と、を予約要求として受付ける予約要求受付けステップ（サイトサーバ１４、予約要求受付け処理）と、前記予約要求受付けステップにて予約要求として受付けた遊技機識別情報から識別される遊技機の予約を許容するか否かを判定する判定ステップ（管理サーバ１４０、予約抽選処理、ステップＳ６〜１０）と、前記判定ステップにおいて予約を許容すると判定されたことを条件に、前記予約要求受付けステップにて予約要求として受付けた遊技機識別情報と遊技者識別情報とを対応付けて予約情報として記憶する予約情報記憶ステップ（管理サーバ１４０、予約抽選処理、ステップＳ１１）と、前記遊技場用端末から、該遊技場において優先入店番号を含む整理券データを用いた優先入店を実施する日付を少なくとも含む優先入店情報を受付ける優先入店情報受付けステップ（サイトサーバ１４、優先入場情報受付け処理）と、前記優先入店情報受付けステップにて受付けた優先入店情報を記憶する優先入店情報記憶ステップ（管理サーバ１４０、優先入場情報記憶処理）と、前記優先入店情報記憶ステップにて記憶した記憶情報に基づいて、優先入店を実施する日付を含む優先入店対象情報（優先入場日一覧ページ）を、前記遊技者端末に配信する優先入店対象情報配信ステップ（サイトサーバ１４、優先入場日一覧ページ配信処理）と、前記遊技者端末から、当該遊技者を個々に識別可能な遊技者識別情報（サイト会員ＩＤ）を含み、前記優先入店対象情報配信ステップにて配信した優先入店対象情報に含まれる日付における優先入店番号を含む整理券データの配信を要求する整理券データ配信要求を受付ける整理券データ配信要求受付けステップ（サイトサーバ１４、整理券データ配信要求受付け処理）と、前記整理券データ配信要求に含まれる遊技者識別情報から特定される遊技者に整理券データを配信するか否かを判定する配信可否判定ステップ（管理サーバ１４０；整理券データ抽選処理、ステップＳｂ７〜１１）と、前記配信可否判定ステップにおいて配信すると判定されたことを条件として、優先入店番号を含む整理券データを前記整理券データ配信要求の送信元の遊技者端末に対して配信する整理券データ配信ステップ（管理サーバ１４０；整理券データ抽選処理、ステップＳｂ１３）と、を含む。
【０４２４】
本発明の請求項１２は、前記優先入店情報受付けステップ（サイトサーバ１４、優先入場情報受付け処理）においては、前記優先入店情報（優先入場情報）として、前記日付における優先入店番号のうち前記整理券データ（当選メール）に使用する優先入店番号を含む優先入店情報を受付け、前記優先入店情報記憶ステップ（管理サーバ１４０、優先入場情報記憶処理）において記憶された優先入店情報（優先入場情報）に含まれている優先入店番号（配信可能優先入場番号）のうちから１つの優先入店番号（優先入場番号）を抽出する優先入店番号抽出ステップ（管理サーバ１４０；整理券データ抽選処理、ステップＳｂ３、ステップＳｂ１９）を含み、前記整理券データ配信ステップ（管理サーバ１４０；整理券データ抽選処理、ステップＳｂ１３）においては、前記優先入店番号抽出ステップにて抽出された優先入店番号を含む整理券データを配信する。
【０４２５】
本発明の請求項１３は、前記遊技者端末（携帯電話１６）から遊技者の属性情報を含む遊技者登録要求を受付ける遊技者登録要求受付けステップ（サイトサーバ１４、サイト会員登録要求受付け処理）と、前記遊技者登録要求受付けステップにて受付けた遊技者登録要求に含まれる属性情報を、前記遊技者識別情報（サイト会員ＩＤ）に対応付けて記憶する遊技者情報記憶ステップ（管理サーバ１４０、遊技者情報記憶処理）と、を含み、前記判定ステップ（管理サーバ１４０；整理券データ抽選処理）においては、受付けた予約要求に含まれる遊技者識別情報（サイト会員ＩＤ）が前記遊技者情報記憶ステップにて記憶されている遊技者識別情報に一致することを条件として予約を許容する判定を行い、前記配信可否判定ステップにおいては、受付けた整理券データ配信要求に含まれる遊技者識別情報が前記遊技者情報記憶ステップにて記憶されている遊技者識別情報に一致することを条件（ステップＳｂ７）として配信すると判定する（ステップＳｂ１１）。
【０４２６】
本発明の請求項１４は、前記遊技者端末（携帯電話１６）から、複数の前記利用契約した遊技場の内から遊技者が所望する特別遊技場（お気に入りホール）の指定を受付ける特別遊技場受付けステップ（サイトサーバ１４、マイページに登録処理）と、前記特別遊技場受付けステップにて指定を受付けた遊技場を特定可能な遊技場特定情報（遊技場ＩＤ）を当該遊技者の遊技者識別情報（サイト会員ＩＤ）に対応付けて記憶する特別遊技場記憶ステップ（管理サーバ１４０、お気に入りホール記憶処理）と、を含み、前記予約要求受付けステップ（サイトサーバ１４、予約要求受付け処理）においては、遊技者が予約を希望する遊技機が設置されている遊技場を含む予約要求を受付け、前記整理券データ配信要求受付けステップ（サイトサーバ１４、整理券データ配信要求受付け処理）においては、遊技者が優先入店（優先入場）を希望する遊技場を含む整理券データ配信要求を受付け、前記判定ステップ（管理サーバ１４０；整理券データ抽選処理）においては、受付けた予約要求に含まれる遊技場が、前記遊技者情報記憶ステップにて当該遊技者の遊技者識別情報に対応付けて記憶されている遊技場特定情報から特定される遊技場に一致することを条件（ステップＳ７）として予約を許容する判定を行い（ステップＳ１０）、前記配信可否判定ステップ（管理サーバ１４０；整理券データ抽選処理）においては、受付けた整理券データ配信要求に含まれる遊技場が、前記特別遊技場記憶ステップにて当該遊技者の遊技者識別情報に対応付けて記憶されている遊技場特定情報から特定される遊技場に一致することを条件（ステップＳｂ８）として配信すると判定する（ステップＳｂ１１）。
【０４２７】
本発明の請求項１５は、前記予約要求受付けステップ（サイトサーバ１４、予約要求受付け処理）においては、遊技者が予約を希望する日付を予約要求として受付け、前記優先入店対象情報配信ステップ（サイトサーバ１４、優先入場日一覧ページ配信処理）においては、複数の日付を含む優先入店対象情報（優先入場日一覧ページ）を配信し、前記整理券データ配信要求受付けステップ（サイトサーバ１４、整理券データ配信要求受付け処理）においては、前記配信された優先入店対象情報に含まれる複数の日付のうち、遊技者が優先入店（優先入場）を希望する日付（申込日）を含む整理券データ配信要求を受付け、前記整理券データ配信ステップ（管理サーバ１４０；整理券データ抽選処理、ステップＳｂ１３）においては、前記整理券データ配信要求に含まれる日付における優先入店番号（優先入場番号）を含む整理券データを配信し、前記予約情報記憶ステップ（管理サーバ１４０、予約抽選処理、ステップＳ１１）にて記憶された予約情報に含まれる遊技者識別情報に対応付けて当該予約情報の対象となる日付を記憶する予約状況記憶ステップ（管理サーバ１４０、予約抽選処理、ステップＳ１１）と、前記整理券データ配信ステップにて各遊技者に配信された整理券データ（当選メール）の対象となる日付（優先入場日）を当該遊技者の遊技者識別情報（サイト会員ＩＤ）に対応付けて記憶する優先入店状況記憶ステップ（管理サーバ１４０、整理券データ抽選処理、ステップＳｂ１２）と、を含み、前記判定ステップ（管理サーバ１４０；整理券データ抽選処理）においては、予約要求として受付けた予約の対象日（予約日）が該予約要求に含まれる遊技者識別情報に対応付けて前記予約状況記憶ステップにて記憶されていないことを条件（ステップＳ８）として予約を許容すると判定（ステップＳ１０）し、前記配信可否判定ステップ（管理サーバ１４０；整理券データ抽選処理）においては、前記整理券データ配信要求に含まれる日付が該整理券データ配信要求に含まれる遊技者識別情報に対応付けて前記優先入店状況記憶ステップにて記憶されていないことを条件（ステップＳｂ９）として配信すると判定する（ステップＳｂ１１）。
【０４２８】
本発明の請求項１６は、前記予約情報記憶ステップ（管理サーバ１４０、予約抽選処理、ステップＳ１１）にて記憶された予約情報の予約の対象日（予約日）における当該予約を要求した遊技者の来店を確認するための来店確認情報並びに前記整理券データ配信ステップにて配信された整理券データの対象日における当該整理券データの配信を受けた遊技者の来店の有無を確認するための来店確認情報を受付ける来店確認情報受付けステップ（サイトサーバ１４、台予約時来店確認情報受付け処理、優先入場時来店確認情報受付け処理）と、各遊技者の遊技者識別情報（サイト会員ＩＤ）に対応付けて、所定期間における前記予約情報記憶ステップにて予約情報として記憶した当該遊技者の予約の回数を特定可能な情報（予約回数）を記憶する予約回数記憶ステップ（管理サーバ１４０、予約抽選処理、ステップＳ１１）と、各遊技者の遊技者識別情報に対応付けて、前記予約回数記憶ステップにおいて記憶対象とされた所定期間における前記来店確認情報に基づく当該遊技者の各予約の対象日における来店回数を特定可能な情報（予約時来店回数）を記憶する予約時来店回数記憶ステップ（管理サーバ１４０；判定条件変更処理、ステップＳｃ１）と、各遊技者の遊技者識別情報に対応付けて、所定期間における前記整理券データ配信ステップによる当該遊技者への整理券データの配信回数を特定可能な情報（優先入場回数）を記憶する整理券データ配信回数記憶ステップ（管理サーバ１４０；整理券データ抽選処理、ステップＳｂ１２）と、各遊技者の遊技者識別情報に対応付けて、前記整理券データ配信回数記憶ステップにおいて記憶対象とされた所定期間における前記来店確認情報に基づく各整理券データの対象日における当該整理券データの配信を受けた遊技者の来店回数を特定可能な情報（優先入場時来店回数）を記憶する優先入店時来店回数記憶ステップ（管理サーバ１４０；判定条件変更処理、ステップＳｃ１）と、前記予約回数記憶ステップ、予約時来店回数記憶ステップ、整理券データ配信回数記憶ステップ並びに優先入店時来店回数記憶ステップにて記憶されている前記予約の回数を特定可能な情報と予約の対象日における来店回数を特定可能な情報、並びに前記整理券データの配信回数を特定可能な情報と整理券データの対象日における来店回数を特定可能な情報とから、前記所定期間における各遊技者が遊技機を予約した際の各遊技者の来店率（予約時来店率）並びに整理券データの配信を受けた際の各遊技者の来店率（優先入場時来店率）、または前記所定期間における各遊技者が遊技機を予約或いは整理券データの配信を受けた際の各遊技者の来店率（予約または優先入場時来店率）の少なくとも一方を算出する来店率算出ステップ（管理サーバ１４０；判定条件変更処理、ステップＳｃ２）と、前記来店率算出ステップにて算出された各遊技者の来店率に基づいて各遊技者の前記判定ステップ（管理サーバ１４０、予約抽選処理）または前記配信可否判定ステップ（管理サーバ１４０；整理券データ抽選処理）による判定条件（予約許容禁止フラグ、整理券配信禁止フラグ）を変更する判定条件変更ステップ（管理サーバ１４０；判定条件変更処理、ステップＳｃ５）と、を含む。
【０４２９】
本発明の請求項１７は、前記優先入店対象情報配信ステップ（サイトサーバ１４、優先入場日一覧ページ配信処理）においては、複数の日付を含む優先入店対象情報（優先入場日一覧ページ）を配信し、前記整理券データ配信要求受付けステップ（サイトサーバ１４、整理券データ配信要求受付け処理）においては、前記配信された優先入店対象情報に含まれる複数の日付のうち、遊技者が優先入店（優先入場）を希望する日付（申込日）を含む整理券データ配信要求を受付け、所定期間において受付けた同一の日付を含む整理券データ配信要求に含まれる遊技者識別情報（サイト会員ＩＤ）から特定される遊技者を対象とした抽選を実施する整理券抽選ステップ（管理サーバ１４０；整理券データ抽選処理、ステップＳｂ６）を含み、前記配信可否判定ステップ（管理サーバ１４０；整理券データ抽選処理）においては、前記整理券抽選ステップにおける抽選において当選したことを条件（ステップＳｂ６）として配信すると判定し（ステップＳｂ１１）、前記整理券データ配信ステップ（サイトサーバ１４，ＣＰＵ１４２；整理券データ抽選処理、ステップＳｂ１３）においては、前記整理券データ配信要求に含まれる日付（申込日）における優先入店番号を含む整理券データ（当選メール）を配信する。
【０４３０】
本発明の請求項１８は、所定期間において受付けた同一の遊技機に対する予約要求に含まれる遊技者識別情報（サイト会員ＩＤ）から特定される遊技者を対象とした抽選を実施する予約抽選ステップ（管理サーバ１４０、予約抽選処理、ステップＳ５）を含み、前記判定ステップ（管理サーバ１４０、予約抽選処理）においては、前記予約抽選ステップにおける抽選において当選したことを条件（ステップＳ５）として遊技機の予約を許容する（ステップＳ１０）。
【０４３１】
本発明の請求項１９は、少なくとも前記予約可能対象情報受付ステップ（サイトサーバ１４、予約可能対象情報受付処理）にて受付けた情報から特定される予約を可能とする遊技機の前記遊技機識別情報（台番号）と当該遊技機での遊技に関連して発生する遊技関連情報（遊技データ）を入力するための遊技関連情報入力ステップ（管理サーバ１４０、遊技関連情報受信処理）と、前記遊技関連情報入力ステップにて入力された前記遊技機識別情報と遊技関連情報とを対応付けて記憶する遊技関連情報記憶ステップ（管理サーバ１４０、遊技関連情報記憶処理）と、前記遊技関連情報記憶ステップにて記憶された少なくとも予約を可能とする遊技機の遊技関連情報を前記遊技者端末（携帯電話１６）に配信する遊技関連情報配信ステップ（サイトサーバ１４、台データページ配信処理）と、を含む。
【０４３２】
本発明の請求項２０は、前記遊技関連情報入力ステップ（管理サーバ１４０、遊技関連情報受信処理）においては、予約を可能とする遊技機以外の予約を不能とする遊技機の前記遊技機識別情報（台番号）と遊技関連情報（遊技データ）とが入力され、各遊技機識別情報に対応する遊技機が予約を可能とする遊技機か否かを識別可能な予約可否情報を当該遊技機識別情報に対応付けて記憶する予約可否情報記憶ステップ（管理サーバ１４０、遊技関連情報記憶処理、ランキングテーブル更新処理）と、前記遊技関連情報記憶ステップ（管理サーバ１４０、遊技関連情報記憶処理、ランキングテーブル更新処理）にて記憶された遊技関連情報を、当該遊技関連情報に対応付けて記憶された前記予約可否情報に基づいて、当該遊技関連情報に対応する遊技機が予約を可能とする遊技機であるか否かを識別可能（「予約可」表示）に配信する予約可否情報配信ステップ（サイトサーバ１４、昨日ランキングページ配信処理）と、を含む。
【図面の簡単な説明】
【０４３３】
【図１】本発明の実施例における遊技用サービスシステムの構成を示すシステム図である。
【図２】本発明の実施例における遊技用サービスシステムに用いたホールコンピュータと会員管理コンピュータの構成を示すブロック図である。
【図３】（ａ）は、本発明の実施例の会員管理コンピュータにおける会員情報テーブルを示す図であり、（ｂ）は、遊技関連情報テーブルを示す図であり、（ｃ）は、予約情報テーブルを示す図である。
【図４】本発明の実施例における遊技用サービスシステムに用いたサイトサーバと管理サーバの構成を示すブロック図である。
【図５】（ａ）は、本発明の実施例における管理サーバのサイト会員情報テーブルを示す図であり、（ｂ）は、サイト予約情報テーブルを示す図である。
【図６】（ａ）は、本発明の実施例における管理サーバの遊技関連情報テーブルを示す図であり、（ｂ）は、予約対象台情報テーブルを示す図である。
【図７】（ａ）は、本発明の実施例における管理サーバの優先入場情報テーブルを示す図であり、（ｂ）は、予約・優先入場状況テーブルを示す図である。
【図８】本発明の実施例における管理サーバのランキングテーブルを示す図である。
【図９】本発明の実施例における管理サーバの遊技場情報テーブルを示す図である。
【図１０】（ａ）は、本発明の実施例におけるサイトサーバのパチンコ台テーブルを示す図であり、（ｂ）は、パチスロ台テーブルを示す図である。
【図１１】本発明の実施例における会員登録における会員管理コンピュータと管理サーバとサイトサーバとの間のデータの流れを示す図である。
【図１２】本発明の実施例における会員管理コンピュータと管理サーバとの間のデータの流れ（遊技データ）を示す図である。
【図１３】本発明の実施例における会員管理コンピュータと管理サーバとの間のデータの流れ（予約情報）を示す図である。
【図１４】本発明の実施例における遊技場用端末（ノートパソコン）とサイトサーバ並びに管理サーバとの間のデータの流れを示す図である。
【図１５】本発明の実施例における遊技場管理者用サイトにおける配信ページの流れを示す図である。
【図１６】本発明の実施例における遊技場管理者用サイトにおける配信ページの流れを示す図である。
【図１７】本発明の実施例における遊技場管理者用サイトにおける配信ページの流れを示す図である。
【図１８】本発明の実施例における遊技場管理者用サイトにおける配信ページの流れを示す図である。
【図１９】本発明の実施例における遊技場管理者用サイトにおける配信ページの流れを示す図である。
【図２０】本発明の実施例における遊技場管理者用サイトにおける配信ページの流れを示す図である。
【図２１】本発明の実施例における遊技場管理者用サイトにおける配信ページの流れを示す図である。
【図２２】本発明の実施例における遊技場管理者用サイトにおける配信ページの流れを示す図である。
【図２３】本発明の実施例における遊技場管理者用サイトにおける配信ページの流れを示す図である。
【図２４】本発明の実施例における遊技場管理者用サイトにおける配信ページの流れを示す図である。
【図２５】本発明の実施例における遊技用サービスサイトにおける配信ページの流れを示す図である。
【図２６】本発明の実施例における遊技用サービスサイトにおける配信ページの流れを示す図である。
【図２７】本発明の実施例における遊技用サービスサイトにおける配信ページの流れを示す図である。
【図２８】本発明の実施例における遊技用サービスサイトにおける配信ページの流れを示す図である。
【図２９】本発明の実施例における遊技用サービスサイトにおける配信ページの流れを示す図である。
【図３０】本発明の実施例における遊技用サービスサイトにおける配信ページの流れを示す図である。
【図３１】本発明の実施例における遊技用サービスサイトにおける配信ページの流れを示す図である。
【図３２】本発明の実施例における遊技用サービスサイトにおける配信ページの流れを示す図である。
【図３３】本発明の実施例における遊技用サービスサイトにおける配信ページの流れを示す図である。
【図３４】本発明の実施例における遊技用サービスサイトにおける配信ページの流れを示す図である。
【図３５】本発明の実施例における遊技用サービスサイトにおける配信ページの流れを示す図である。
【図３６】本発明の実施例における遊技用サービスサイトにおける配信ページの流れを示す図である。
【図３７】本発明の実施例における遊技用サービスサイトにおける配信ページの流れを示す図である。
【図３８】本発明の実施例における遊技用サービスサイトにおける配信ページの流れを示す図である。
【図３９】本発明の実施例における遊技用サービスサイトにおける配信ページの流れを示す図である。
【図４０】本発明の実施例における遊技用サービスサイトにおける配信ページの流れを示す図である。
【図４１】本発明の実施例における遊技用サービスサイトにおける配信ページの流れを示す図である。
【図４２】本発明の実施例の管理サーバにおける予約抽選処理の流れを示すフロー図である。
【図４３】本発明の実施例の管理サーバにおける整理券データ抽選処理の流れを示すフロー図である。
【図４４】本発明の実施例の管理サーバにおける判定条件変更処理の流れを示すフロー図である。
【図４５】（ａ）は、本発明の実施例において台予約を申し込んだアクセス利用者に配信される当選メールを示す図であり、（ｂ）は、落選メールを示す図である。
【図４６】（ａ）は、本発明の実施例において優先入場を申し込んだアクセス利用者に配信される当選メールを示す図であり、（ｂ）は、落選メールを示す図である。
【図４７】本発明の実施例における利用者端末（携帯電話）とサイトサーバ並びに管理サーバとの間のデータの流れを示す図である。
【図４８】本発明の実施例における利用者端末（携帯電話）とサイトサーバ並びに管理サーバとの間のデータの流れを示す図である。
【符号の説明】
【０４３４】
２        パチンコ機
３        カードユニット
１４      サイトサーバ
１６      携帯電話
１１０    ホールコンピュータ
１２０    会員管理コンピュータ
１４０    管理サーバ
１５０    ノートパソコン
【図１】
2006075528.tif 000003
【図２】
2006075528.tif 000004
【図３】
2006075528.tif 000005
【図４】
2006075528.tif 000006
【図５】
2006075528.tif 000007
【図６】
2006075528.tif 000008
【図７】
2006075528.tif 000009
【図８】
2006075528.tif 000010
【図９】
2006075528.tif 000011
【図１０】
2006075528.tif 000012
【図１１】
2006075528.tif 000013
【図１２】
2006075528.tif 000014
【図１３】
2006075528.tif 000015
【図１４】
2006075528.tif 000016
【図１５】
2006075528.tif 000017
【図１６】
2006075528.tif 000018
【図１７】
2006075528.tif 000019
【図１８】
2006075528.tif 000020
【図１９】
2006075528.tif 000021
【図２０】
2006075528.tif 000022
【図２１】
2006075528.tif 000023
【図２２】
2006075528.tif 000024
【図２３】
2006075528.tif 000025
【図２４】
2006075528.tif 000026
【図２５】
2006075528.tif 000027
【図２６】
2006075528.tif 000028
【図２７】
2006075528.tif 000029
【図２８】
2006075528.tif 000030
【図２９】
2006075528.tif 000031
【図３０】
2006075528.tif 000032
【図３１】
2006075528.tif 000033
【図３２】
2006075528.tif 000034
【図３３】
2006075528.tif 000035
【図３４】
2006075528.tif 000036
【図３５】
2006075528.tif 000037
【図３６】
2006075528.tif 000038
【図３７】
2006075528.tif 000039
【図３８】
2006075528.tif 000040
【図３９】
2006075528.tif 000041
【図４０】
2006075528.tif 000042
【図４１】
2006075528.tif 000043
【図４２】
2006075528.tif 000044
【図４３】
2006075528.tif 000045
【図４４】
2006075528.tif 000046
【図４５】
2006075528.tif 000047
【図４６】
2006075528.tif 000048
【図４７】
2006075528.tif 000049
【図４８】
2006075528.tif 000050